(57)【特許請求の範囲】
【請求項１】
複数の中継装置間での通信のための第１の期間及び第２の期間と、前記複数の中継装置と端末装置との間での通信のための第３の期間とを含むサブフレーム単位で、かつ、同一の周波数で、前記複数の中継装置が基地局装置と前記端末装置との間の通信を中継する無線通信システムであって、前記第１の期間及び前記第２の期間では、前記複数の中継装置において、隣接する２つの中継装置が、互いに異なる期間でそれぞれ送信処理を行い、前記第３の期間では、前記複数の中継装置が、各中継装置に接続している端末装置への送信を同時に行う前記無線通信システムにおいて、
前記端末装置が前記２つの中継装置に接続可能である場合、前記２つの中継装置のうち、前記基地局装置と前記端末装置との間の信号の伝達方向においてより上位に位置する上位中継装置との接続を選択する選択手段と、
前記第１の期間又は前記第２の期間において、前記上位中継装置から、前記２つの中継装置のうち前記伝達方向においてより下位に位置する下位中継装置へ送信される他の端末装置向けの信号を受信する受信手段と、
前記第１の期間又は前記第２の期間で受信された前記他の端末装置向けの信号を用いて、前記第３の期間で受信した信号から、前記第３の期間に前記下位中継装置から送信される前記他の端末装置向けの信号を除去することにより、前記上位中継装置から送信される前記端末装置向けの信号を得る除去手段と、
を具備する端末装置。
【請求項２】
前記選択手段は、前記２つの中継装置からの受信信号強度の双方が予め設定された閾値以上の場合には前記上位中継装置との接続を選択し、前記２つの中継装置のうち、前記上位中継装置からの受信信号強度が前記閾値未満であり、前記下位中継装置からの受信信号強度が前記閾値以上の場合には前記下位中継装置との接続を選択する、
請求項１記載の端末装置。
【請求項３】
前記上位中継装置は、前記上位中継装置に接続されている前記端末装置向けの制御情報を用いて、前記下位中継装置に接続されている前記他の端末装置向けの制御情報を生成し、
前記受信手段は、さらに、前記第１の期間又は前記第２の期間において、前記上位中継装置から前記下位中継装置へ送信される、前記端末装置向けの制御情報及び前記他の端末装置向けの制御情報を受信し、
前記除去手段は、前記第１の期間又は前記第２の期間で受信された、前記他の端末装置向けの信号、前記端末装置向けの制御情報、及び、前記他の端末装置向けの制御情報を用いて、前記第３の期間で受信する信号から前記他の端末装置向けの信号を除去する、
請求項１記載の端末装置。
【請求項４】
ダウンリンクとアップリンクとが前記サブフレーム単位で切り替わり、ダウンリンクのサブフレームとアップリンクのサブフレームとの間に第１のガードタイムを設けるとともに、前記第２の期間と前記第３の期間との間に第２のガードタイムを設ける前記無線通信システムにおいて、
前記受信手段は、さらに、前記第１のガードタイム又は前記第２のガードタイムにおいて、前記上位中継装置から送信される前記端末装置向けの制御情報、及び、前記下位中継装置から送信される前記他の端末装置向けの制御情報をそれぞれ受信し、
前記除去手段は、前記端末装置向けの制御情報、及び、前記他の端末装置向けの制御情報を用いて、前記第３の期間に受信する信号から前記他の端末装置向けの信号を除去する、
請求項１記載の端末装置。
【請求項５】
前記受信手段は、前記第１の期間又は前記第２の期間において、前記上位中継装置から送信される前記端末装置向けの制御情報、及び、前記下位中継装置から送信される前記他の端末装置向けの制御情報を受信し、
前記除去手段は、前記第１の期間又は前記第２の期間で受信された、前記他の端末装置向けの信号、前記端末装置向けの制御情報、及び、前記他の端末装置向けの制御情報を用いて、前記第３の期間で受信する信号から前記他の端末装置向けの信号を除去する、
請求項１記載の端末装置。
【請求項６】
前記端末装置向けの制御情報に設けられた制御ヘッダに含まれる、前記端末装置向けの信号の有無を示す通知情報を検出して、前記端末装置向けの信号が前記上位中継装置から送信されるか否かを判断する検出手段、をさらに具備し、
前記受信手段は、前記検出手段が前記端末装置向けの信号が前記上位中継装置から送信されると判断した場合、前記第１の期間又は前記第２の期間において、前記上位中継装置から送信される前記端末装置向けの制御情報、及び、前記下位中継装置から送信される前記他の端末装置向けの制御情報を受信し、前記検出手段が前記端末装置向けの信号が前記上位中継装置から送信されないと判断した場合、前記端末装置向けの制御情報及び前記他の端末装置向けの制御情報の受信処理を停止する、
請求項５記載の端末装置。
【請求項７】
前回のサブフレームで前記上位中継装置から送信される通知情報であって、現在のサブフレームにおける前記端末装置向けの信号の有無を示す前記通知情報を検出して、前記現在のサブフレームで前記端末装置向けの信号が前記上位中継装置から送信されるか否かを判断する検出手段、をさらに具備し、
前記受信手段は、前記検出手段が前記端末装置向けの信号が前記上位中継装置から送信されると判断した場合、前記現在のサブフレーム内の前記第１の期間又は前記第２の期間において、前記上位中継装置から送信される前記端末装置向けの制御情報、及び、前記下位中継装置から送信される前記他の端末装置向けの制御情報を受信し、前記検出手段が前記端末装置向けの信号が前記上位中継装置から送信されないと判断した場合、前記現在のサブフレームにおける前記端末装置向けの制御情報及び前記他の端末装置向けの制御情報の受信処理を停止する、
請求項５記載の端末装置。
【請求項８】
複数の中継装置間での通信のための第１の期間及び第２の期間と、前記複数の中継装置と端末装置との間での通信のための第３の期間とを含むサブフレーム単位で、かつ、同一の周波数で、前記複数の中継装置が基地局装置と前記端末装置との間の通信を中継する無線通信システムであって、前記第１の期間及び前記第２の期間では、前記複数の中継装置において、隣接する２つの中継装置が、互いに異なる期間でそれぞれ送信処理を行い、前記第３の期間では、前記複数の中継装置が、各中継装置に接続している端末装置への送信を同時に行う前記無線通信システムにおいて、
前記端末装置が前記２つの中継装置に接続可能である場合、前記２つの中継装置のうち、前記基地局装置と前記端末装置との間の信号の伝達方向においてより上位に位置する上位中継装置との接続を選択する選択ステップと、
前記第１の期間又は前記第２の期間において、前記上位中継装置から、前記２つの中継装置のうち前記伝達方向においてより下位に位置する下位中継装置へ送信される他の端末装置向けの信号を受信する受信ステップと、
前記第１の期間又は前記第２の期間で受信された前記他の端末装置向けの信号を用いて、前記第３の期間で受信した信号から、前記第３の期間に前記下位中継装置から送信される前記他の端末装置向けの信号を除去することにより、前記上位中継装置から送信される前記端末装置向けの信号を得る除去ステップと、
を具備する干渉除去方法。
【発明の詳細な説明】
【技術分野】
【０００１】
本発明は、マルチホップ通信における端末装置及び干渉除去方法に関する。
【背景技術】
【０００２】
近年、基地局のカバーエリアを拡大させるために、基地局と端末との間に中継装置（ＲＮ：Relay Node）を設置し、基地局と移動局との間の通信を中継装置を介して行う中継送信技術が検討されている。特に、セルラ環境では、マクロセルサービスエリア外への広帯域伝送を提供する手段として、複数の中継装置を多段につなげて、基地局と端末との間の通信を行うマルチホップ通信が有力視されている。【０００３】
また、今後、携帯端末等のみならず、多種多様な装置間の通信において電波利用が拡大していくことを考慮すると、使用周波数の逼迫は避けられず、周波数利用効率の更なる向上、又は、高周波数帯域への使用周波数の拡張は必須となる。このような、周波数利用効率の向上及び高周波数帯域への拡張等の要望を実現する手段としても、マルチホップ通信は有望な通信手段である。【０００４】
具体的には、基地局と端末との間の通信距離を同一とした場合、２ホップ通信（マルチホップ通信）の各装置間の通信距離は、シングルホップ通信の各装置間の通信距離の半分（１／２）になる。ここで、受信信号電力が距離の２乗に反比例する場合を考慮すると、２ホップ通信とシングルホップ通信との間で受信信号電力が同一の場合、２ホップ通信の送信電力は、シングルホップ通信の送信電力の１／４（＝（１／２）２）で済む。また、２ホップ通信において、周波数の再利用距離をシングルホップ通信の半分にできるため、同一周波数での同時通信密度はシングルホップ通信の約４（＝２２）倍となる。ただし、２ホップ通信の場合、送信タイミングを２分割する必要があるため、エンドツーエンド（基地局と端末との間）では、スループットがシングルホップ通信の半分になる。しかし、２ホップ通信では、スループットと同時通信密度との積で与えられる面的周波数利用効率においては、シングルホップ通信の２（＝（１／２）×４）倍となる。つまり、マルチホップ通信（ここでは２ホップ通信）の適用により、周波数利用効率を向上し、システムスループットを向上できる。【０００５】
また、高周波数帯域（高キャリア周波数）では、信号の直進性が高く、伝搬損（パスロス）も大きいため、低周波数帯域（低キャリア周波数）の使用時と同一送信電力を用いると、受信信号電力が減少してしまう。しかし、マルチホップ通信では、送受信間距離をより短くすることで、１ホップあたりの伝搬損（パスロス）を低減できる。つまり、マルチホップ通信の適用により、ホップ数に応じて高周波数帯域への使用周波数の拡張にも柔軟に対応できる。【０００６】
例えば、マルチホップ通信の一例として、複数の中継装置が、同一の固定周波数を使用して、基地局と端末との間の通信を行う従来技術が検討されている（例えば、特許文献１参照）。
【先行技術文献】
【特許文献】
【０００７】
【特許文献１】特表２００９−５３３９４３号公報
【発明の概要】
【発明が解決しようとする課題】
【０００８】
上記従来技術について、図１を用いて、基地局（マクロセル基地局。図示せず）から端末（図１ではＭＳ１〜ＭＳ３）へのダウンリンクにおけるマルチホップ通信を一例として具体的に説明する。【０００９】
以下の説明では、マルチホップ通信に使用する中継装置（図１ではＲＮ１〜ＲＮ４）内の隣接する２つの中継装置のうち、基地局（マクロセル基地局）と端末との間の信号の伝達方向において、より上位に位置する中継装置を上位ＲＮと呼び、より下位に位置する中継装置を下位ＲＮと呼ぶ。例えば、基地局からの距離の順に複数の中継装置が多段に接続されている場合、隣接する２つの中継装置のうち、基地局（マクロセル基地局）により近い中継装置が上位ＲＮとなり、より遠い中継装置が下位ＲＮとなる。例えば、図１に示すＲＮ１〜ＲＮ４では、基地局（マクロセル基地局）から各端末へ送信される信号は、ＲＮ１，ＲＮ２，ＲＮ３，ＲＮ４の順に伝達される。つまり、図１では、ＲＮ１が基地局に最も近く、ＲＮ２が基地局に２番目に近く、ＲＮ３が基地局に３番目に近く、ＲＮ４が基地局に最も遠くなる。この場合、ＲＮ１とＲＮ２との間では、ＲＮ１が上位ＲＮとなり、ＲＮ２が下位ＲＮとなる。同様に、ＲＮ２とＲＮ３との間では、ＲＮ２が上位ＲＮとなり、ＲＮ３が下位ＲＮとなる。ＲＮ３とＲＮ４との間でも同様となる。【００１０】
また、以下の説明では、図１に示すように、ダウンリンクサブフレームは、期間１、期間２及び期間３の３つの期間を含むサブフレーム単位で構成される。具体的には、図１に示すダウンリンクサブフレームは、複数のＲＮと端末との間での通信のための期間１と、複数のＲＮ間での通信のための期間２及び期間３とを含む。【００１１】
また、図１では、ＲＮ１〜ＲＮ４は、固定周波数ｆ１のみを用いて通信を行う。【００１２】
また、図１では、ＭＳ１は、ＲＮ１のカバーエリアとＲＮ２のカバーエリアとが重複する位置、つまり、ＲＮ１及びＲＮ２の双方に接続可能な位置に存在する。同様に、ＭＳ２は、ＲＮ２のカバーエリアとＲＮ３のカバーエリアとが重複する位置に存在し、ＭＳ３は、ＲＮ３のカバーエリアとＲＮ４のカバーエリアとが重複する位置に存在する。【００１３】
まず、図１において、ＭＳ１〜ＭＳ３の各端末は、接続可能なＲＮのうち受信信号強度（ＲＳＳＩ：Received Signal Strength Indicator）がより大きいＲＮに接続する。図１では、ＭＳ１はＲＮ２に接続し、ＭＳ２はＲＮ３に接続し、ＭＳ３はＲＮ４に接続する。【００１４】
そして、ダウンリンクサブフレーム内の期間１では、全ての中継装置（ＲＮ１〜ＲＮ４）は、自装置に接続された端末向けの中継信号を周波数ｆ１で同時に送信する（図１に示す期間１内の実線矢印）。【００１５】
次いで、複数の中継装置（ＲＮ１〜ＲＮ４）のうち隣接する２つの中継装置において、期間２では、一方の中継装置が下位ＲＮに対して中継信号を送信し、期間３では、他方の中継装置が下位ＲＮに対して中継信号を送信する。例えば、図１に示す期間２では、奇数番号の中継装置（ＲＮ１及びＲＮ３）は、自装置に隣接する下位ＲＮである偶数番号の中継装置（ＲＮ２及びＲＮ４）に対して、周波数ｆ１で中継信号を送信する。つまり、図１に示す期間２では、偶数番号の中継装置（ＲＮ２及びＲＮ４）は、自装置に隣接する上位ＲＮである奇数番号の中継装置（ＲＮ１及びＲＮ３）からの中継信号を受信する。同様にして、図１に示す期間３では、偶数番号の中継装置は、自装置に隣接する下位ＲＮである奇数番号の中継装置に対して、周波数ｆ１で中継信号を送信する。つまり、図１に示す期間３では、奇数番号の中継装置は、自装置に隣接する上位ＲＮである偶数番号の中継装置からの中継信号を受信する。【００１６】
このように、上記従来技術では、マルチホップ通信を行う複数の中継装置（図１に示すＲＮ１〜ＲＮ４）は、同一の周波数（図１では周波数ｆ１）を使用する。このため、複数の中継装置から各端末向けの中継信号の送信の際（つまり、図１に示す期間１）、隣接する中継装置のカバーエリアが重複する位置に存在する端末は、自端末が接続している中継装置以外の中継装置からの信号により干渉を受けてしまう課題が発生する。例えば、図１に示すＭＳ１では、ＭＳ１が接続しているＲＮ２からの信号（つまり、ＭＳ１向けの信号（所望信号））は、ＲＮ２に隣接するＲＮ１からの信号（つまり、ＭＳ１以外の他のＭＳ向けの信号（干渉信号））による干渉を受けてしまう。図１に示すＭＳ２及びＭＳ３についても同様である。【００１７】
このように、複数の中継装置間で同一周波数を用いてマルチホップ通信を行う場合には、端末では、端末が接続している中継装置からの信号に対する、他の中継装置からの信号による干渉を避けることができない。【００１８】
本発明の目的は、複数の中継装置間で同一周波数を用いてマルチホップ通信を行う場合でも、端末が接続している中継装置からの信号に対する、他の中継装置からの信号による干渉を低減させることができる端末装置および干渉除去方法を提供することを目的とする。
【課題を解決するための手段】
【００１９】
本発明の端末装置は、複数の中継装置間での通信のための第１の期間及び第２の期間と、前記複数の中継装置と端末装置との間での通信のための第３の期間とを含むサブフレーム単位で、かつ、同一の周波数で、前記複数の中継装置が基地局装置と前記端末装置との間の通信を中継する無線通信システムであって、前記第１の期間及び前記第２の期間では、前記複数の中継装置において、隣接する２つの中継装置が、互いに異なる期間でそれぞれ送信処理を行い、前記第３の期間では、前記複数の中継装置が、各中継装置に接続している端末装置への送信を同時に行う前記無線通信システムにおいて、前記端末装置が前記２つの中継装置に接続可能である場合、前記２つの中継装置のうち、前記基地局装置と前記端末装置との間の信号の伝達方向においてより上位に位置する上位中継装置との接続を選択する選択手段と、前記第１の期間又は前記第２の期間において、前記上位中継装置から、前記２つの中継装置のうち前記伝達方向においてより下位に位置する下位中継装置へ送信される他の端末装置向けの信号を受信する受信手段と、前記第１の期間又は前記第２の期間で受信された前記他の端末装置向けの信号を用いて、前記第３の期間で受信した信号から、前記第３の期間に前記下位中継装置から送信される前記他の端末装置向けの信号を除去することにより、前記上位中継装置から送信される前記端末装置向けの信号を得る除去手段と、を具備する構成を採る。【００２０】
本発明の干渉除去方法は、複数の中継装置間での通信のための第１の期間及び第２の期間と、前記複数の中継装置と端末装置との間での通信のための第３の期間とを含むサブフレーム単位で、かつ、同一の周波数で、前記複数の中継装置が基地局装置と前記端末装置との間の通信を中継する無線通信システムであって、前記第１の期間及び前記第２の期間では、前記複数の中継装置において、隣接する２つの中継装置が、互いに異なる期間でそれぞれ送信処理を行い、前記第３の期間では、前記複数の中継装置が、各中継装置に接続している端末装置への送信を同時に行う前記無線通信システムにおいて、前記端末装置が前記２つの中継装置に接続可能である場合、前記２つの中継装置のうち、前記基地局装置と前記端末装置との間の信号の伝達方向においてより上位に位置する上位中継装置との接続を選択する選択ステップと、前記第１の期間又は前記第２の期間において、前記上位中継装置から、前記２つの中継装置のうち前記伝達方向においてより下位に位置する下位中継装置へ送信される他の端末装置向けの信号を受信する受信ステップと、前記第１の期間又は前記第２の期間で受信された前記他の端末装置向けの信号を用いて、前記第３の期間で受信した信号から、前記第３の期間に前記下位中継装置から送信される前記他の端末装置向けの信号を除去することにより、前記上位中継装置から送信される前記端末装置向けの信号を得る除去ステップと、を具備するようにした。
【発明の効果】
【００２１】
本発明によれば、複数の中継装置間で同一周波数を用いてマルチホップ通信を行う場合でも、端末が接続している中継装置からの信号に対する、他の中継装置からの信号による干渉を低減させることができる。
【図面の簡単な説明】
【００２２】
【図１】本発明の課題を説明するための図
【図２】本発明の実施の形態１に係る中継装置の構成を示すブロック図
【図３】本発明の実施の形態１に係る端末の構成を示すブロック図
【図４】本発明の実施の形態１に係る端末における接続先ＲＮ選択処理を示す図
【図５】本発明の実施の形態１に係る端末における干渉除去処理を示す図
【図６】本発明の実施の形態１に係る中継装置間で通信される中継信号を示す図
【図７】本発明の実施の形態２に係る中継装置の構成を示すブロック図
【図８】本発明の実施の形態２に係る端末の構成を示すブロック図
【図９】本発明の実施の形態２に係る中継装置におけるスケジューリング処理を示す図
【図１０】本発明の実施の形態２に係る中継装置におけるスケジューリング処理を示す図
【図１１】本発明の実施の形態２に係る端末における干渉除去処理を示す図
【図１２】本発明の実施の形態３に係る中継装置の構成を示すブロック図
【図１３】本発明の実施の形態３に係る端末の構成を示すブロック図
【図１４】本発明の実施の形態３に係る中継装置及び端末の処理を示す図
【図１５】本発明の実施の形態４に係る中継装置における干渉除去処理を示す図
【図１６】本発明の実施の形態５に係る中継装置におけるスケジューリング処理を示す図
【図１７】本発明の実施の形態６に係る中継装置及び端末の処理を示す図
【図１８】本発明の実施の形態７に係る制御情報通知方法を示す図
【図１９】本発明の実施の形態８に係る端末の構成を示すブロック図
【図２０】本発明の実施の形態８に係る制御情報通知方法を示す図（端末向けの中継信号が有る場合）
【図２１】本発明の実施の形態８に係る制御情報通知方法を示す図（端末向けの中継信号が無い場合）
【図２２】本発明の実施の形態９に係る端末の構成を示すブロック図
【図２３】本発明の実施の形態９に係る制御情報通知方法を示す図（端末向けの中継信号が有る場合）
【図２４】本発明の実施の形態９に係る制御情報通知方法を示す図（端末向けの中継信号が無い場合）
【図２５】本発明の接続先ＲＮ選択処理のシーケンスを示す図
【発明を実施するための形態】
【００２３】
以下、本発明の実施の形態について、図面を参照して詳細に説明する。
【００２４】
（実施の形態１）
以下の説明では、ダウンリンクにおけるマルチホップ通信を一例として説明する。
【００２５】
また、以下の説明では、ダウンリンク（Downlink）において、複数の中継装置（ＲＮ）間での通信のための第１の期間（以下、期間Ａという）及び第２の期間（以下、期間Ｂという）と、複数の中継装置と端末との間での通信のための第３の期間（以下、期間Ｃという）とを含むサブフレーム（ダウンリンクサブフレーム、以下、ＤＬサブフレームという）単位で、かつ、同一の周波数で、複数の中継装置が基地局と端末との間の通信を中継する無線通信システムについて説明する。
【００２６】
また、ＤＬサブフレーム内の期間Ａ及び期間Ｂでは、複数の中継装置において、隣接する２つの中継装置が互いに異なる期間（つまり、期間Ａ及び期間Ｂのいずれか一方）でそれぞれ送信処理を行う。また、ＤＬサブフレーム内の期間Ｃでは、複数の中継装置が、各中継装置に接続している端末への送信を同時に行う。
【００２７】
また、以下の説明では、図１と同様、隣接する２つの中継装置のうち、基地局（マクロセル基地局）と端末との間の信号（ダウンリンク信号）の伝達方向において、より上位に位置する中継装置を上位ＲＮと呼び、より下位に位置する中継装置を下位ＲＮと呼ぶ。例えば、基地局からの距離の順に複数の中継装置が多段に接続されている場合、隣接する２つの中継装置のうち、基地局（マクロセル基地局）により近い中継装置を上位ＲＮとし、より遠い中継装置を下位ＲＮとする。
【００２８】
また、以下の説明では、基地局（マクロセル基地局）と直接通信を行う中継装置、例えば、基地局に最も近い中継装置（最上位ＲＮ）のＲＮ番号を１（奇数）とし、ＲＮ番号１の中継装置よりも下位の中継装置のＲＮ番号を順に２，３，４，…とする。すなわち、基地局と端末との間の通信を中継する複数の中継装置のＲＮ番号は、最上位ＲＮから順に奇数と偶数とが交互に入れ替わる。なお、最上位ＲＮのＲＮ番号を偶数（例えばＲＮ番号を０）とし、ＲＮ番号０の中継装置よりも下位の中継装置のＲＮ番号を順に１，２，３，…としてもよい。以下、ＲＮ番号が奇数である中継装置を奇数ＲＮと呼び、ＲＮ番号が偶数である中継装置を偶数ＲＮと呼ぶ。
【００２９】
また、以下の説明では、奇数ＲＮは、期間Ａで、下位ＲＮ（つまり、偶数ＲＮ）への中継信号を送信し、偶数ＲＮは、期間Ｂで、下位ＲＮ（つまり、奇数ＲＮ）への中継信号を送信する。換言すると、偶数ＲＮは、期間Ａで、上位ＲＮ（つまり、奇数ＲＮ）からの中継信号を受信し、奇数ＲＮは、期間Ｂで、上位ＲＮ（つまり、偶数ＲＮ）からの中継信号を受信する。
【００３０】
本実施の形態に係る中継装置１００の構成を図２に示す。
【００３１】
図２に示す中継装置１００において、受信ＲＦ部１０２は、上位の装置（最上位ＲＮの場合は基地局、最上位ＲＮ以外の中継装置の場合は上位ＲＮ）から送信された信号をアンテナ１０１を介して受信する。そして、受信ＲＦ部１０２は、受信した信号に対しダウンコンバート、Ａ／Ｄ変換等の受信処理を行う。そして、受信ＲＦ部１０２は、受信処理後の信号を第１メモリ１０３に出力する。なお、基地局又は上位ＲＮから送信される中継信号には、中継装置１００に接続された端末（中継装置１００配下の端末）向けの中継信号（データ信号及び制御情報）又は中継装置１００よりも下位の中継装置（下位ＲＮ）に接続された端末向けの中継信号（データ信号及び制御情報）、及び、既知信号（参照信号又はパイロット信号とも呼ばれる）等が含まれる。
【００３２】
第１メモリ１０３は、タイミング制御部１０９からの指示に従って、受信ＲＦ部１０２から入力される信号（上位の装置からの信号）、及び、後述する送信処理部１０６から入力される信号（中継装置１００に接続された端末向けの中継信号又は下位ＲＮ向けの中継信号）を格納（書き込み）する。また、第１メモリ１０３は、タイミング制御部１０９からの指示に従って、格納している各信号を受信処理部１０４又は送信ＲＦ部１０７に出力（読み出し）する。
【００３３】
受信処理部１０４は、まず、第１メモリ１０３から入力される中継信号に含まれる制御情報に対して復調及び復号を行う。ここで、制御情報のマッピング位置及びＭＣＳ（Modulation and Coding Scheme）は予め設定され既知であるとする。また、制御情報には、データ信号（中継装置１００に接続された端末宛てのデータ又は下位ＲＮに接続された端末宛てのデータ）のマッピング位置及びＭＣＳが含まれている。そして、受信処理部１０４は、制御情報に含まれるマッピング位置及びＭＣＳに基づいて、第１メモリ１０３から入力される中継信号に含まれるデータ信号に対して復調及び復号を行う。そして、受信処理部１０４は、復号後の信号を第２メモリ１０５に出力する。
【００３４】
第２メモリ１０５は、タイミング制御部１０９からの指示に従って、受信処理部１０４から入力される信号（復号後の信号）を格納（書き込み）する。また、第２メモリ１０５は、タイミング制御部１０９からの指示に従って、格納している各信号を送信処理部１０６に出力（読み出し）する。
【００３５】
送信処理部１０６は、第２メモリ１０５から入力される信号（中継装置１００に接続された端末向け中継信号、又は、下位RNに接続された端末向け中継信号）に対して符号化及び変調を行う。そして、送信処理部１０６は、変調後の信号を第１メモリ１０３に出力する。
【００３６】
送信ＲＦ部１０７は、第１メモリ１０３から入力される信号に対して、Ｄ／Ａ変換、増幅及びアップコンバート等の送信処理を行う。そして、送信ＲＦ部１０７は、送信処理後の信号をアンテナ１０１から送信する。
【００３７】
奇数／偶数切替部１０８は、中継装置１００のＲＮ番号に応じて、中継装置１００が奇数ＲＮであるか偶数ＲＮであるかを示す設定を切り替える。例えば、奇数／偶数切替部１０８は、基地局から通知される、マルチホップ通信におけるＲＮ数に応じて、中継装置１００が奇数ＲＮであるか偶数ＲＮであるかを示す設定を切り替えてもよい。または、奇数／偶数切替部１０８は、通信開始前に基地局から通知によって、中継装置１００が奇数ＲＮであるか偶数ＲＮであるかを示す設定を切り替えてもよい。そして、奇数／偶数切替部１０８は、中継装置１００が奇数ＲＮであるか偶数ＲＮであるかを示す設定情報（例えば、‘奇数’又は‘偶数’）をタイミング制御部１０９に出力する。
【００３８】
タイミング制御部１０９は、奇数／偶数切替部１０８から入力される設定情報に基づいて、第１メモリ１０３及び第２メモリ１０５に対して、中継信号の入出力タイミングを指示する。
【００３９】
例えば、奇数／偶数切替部１０８から入力される設定情報が‘奇数’を示す場合（中継装置１００が奇数ＲＮの場合）、タイミング制御部１０９は、期間Ａにおいて、第１メモリ１０３に対して、下位ＲＮ向け中継信号を送信ＲＦ部１０７へ出力するように指示（読み出し指示）する。
【００４０】
また、タイミング制御部１０９は、期間Ｂにおいて、第１メモリ１０３に対して受信ＲＦ部１０２から入力される中継信号（中継装置１００に接続された端末向け中継信号又は下位ＲＮに接続された端末向け中継信号）を格納するように指示（書き込み指示）する。また、タイミング制御部１０９は、期間Ｂにおいて、第１メモリ１０３に中継信号が格納されると、第１メモリ１０３に対して、格納している中継信号を受信処理部１０４へ出力するように指示（読み出し指示）し、第２メモリ１０５に対して、受信処理部１０４から入力される信号（復号後の信号）を格納するように指示（書き込み指示）する。また、タイミング制御部１０９は、期間Ｂにおいて、第２メモリ１０５に復号後の信号が格納されると、第２メモリ１０５に対して、中継信号（中継装置１００に接続された端末向け中継信号又は下位ＲＮに接続された端末向け中継信号）を送信処理部１０６へ出力するように指示（読み出し指示）し、第１メモリ１０３に対して、送信処理部１０６から入力される中継信号（中継装置１００に接続された端末向け中継信号又は下位ＲＮに接続された端末向け中継信号）を格納するように指示（書き込み指示）する。
【００４１】
一方、奇数／偶数切替部１０８から入力される設定情報が‘偶数’を示す場合（中継装置１００が偶数ＲＮの場合）には、タイミング制御部１０９は、設定情報が‘奇数’を示す場合における期間Ａと同様の処理を期間Ｂで行い、設定情報が‘奇数’を示す場合における期間Ｂと同様の処理を期間Ａで行う。つまり、奇数ＲＮと偶数ＲＮとの間では、タイミング制御部１０９での期間Ａ及び期間Ｂにおける処理の順序が入れ替わる。
【００４２】
また、奇数／偶数切替部１０８から入力される設定情報がいずれの場合でも、タイミング制御部１０９は、期間Ｃにおいて、第１メモリ１０３に対して、中継装置１００に接続された端末向け中継信号を送信ＲＦ部１０７へ出力するように指示（読み出し指示）する。
【００４３】
次に、本実施の形態に係る端末２００の構成を図３に示す。
【００４４】
図３に示す端末２００において、受信ＲＦ部２０２は、中継装置１００（図２）から送信された信号をアンテナ２０１を介して受信する。そして、受信ＲＦ部２０２は、受信した信号に対しダウンコンバート、Ａ／Ｄ変換等の受信処理を行う。そして、受信ＲＦ部２０２は、受信処理後の信号を第１メモリ２０３に出力する。なお、端末２００が接続している中継装置１００から送信される中継信号には、端末２００向けの中継信号（データ信号及び制御情報）及び既知信号が含まれる。
【００４５】
第１メモリ２０３は、タイミング制御部２１４からの指示に従って、受信ＲＦ部２０２から入力される中継信号を格納（書き込み）する。また、第１メモリ２０３は、タイミング制御部２１４からの指示に従って、格納している信号を既知信号検出部２０４及び受信処理部２０７に出力（読み出し）する。
【００４６】
既知信号検出部２０４は、第１メモリ２０３から入力される中継信号に含まれる既知信号と、想定される既知信号の全てのパターンとの間で相関演算を行う。ここで、既知信号のパターン数はマルチホップ通信を構成し得るＲＮ数となるが、現実的には、最大でも数十パターンあれば（つまり、数十ホップまでを許容すれば）十分である。既知信号検出部２０４は、相関演算結果に基づいて、中継装置１００から送信された既知信号を検出し、検出した既知信号を信号強度測定部２０５に出力する。また、既知信号検出部２０４は、既知信号のどのパターンにおいてピークが現れたか（つまり、どの中継装置からの既知信号を受信したか）を検出し、検出したパターンに対応するＲＮ番号を選択部２０６に出力する。
【００４７】
信号強度測定部２０５は、既知信号検出部２０４から入力される既知信号の受信信号強度（ＲＳＳＩ）を測定する。そして、信号強度測定部２０５は、測定した受信信号強度を選択部２０６に出力する。
【００４８】
選択部２０６は、既知信号検出部２０４から入力されるＲＮ番号及び信号強度測定部２０５から入力される既知信号の受信信号強度（ＲＳＳＩ）を用いて、端末２００が接続すべき中継装置（ＲＮ）を決定する。ここで、選択部２０６は、端末２００が隣接する２つの中継装置（ＲＮ）に接続可能である場合、２つの中継装置のうち、基地局と端末２００との間の信号（ここでは、ダウンリンク信号）の伝達方向において上位に位置する中継装置（基地局により近い中継装置）、つまり、上位ＲＮとの接続を選択する。つまり、選択部２０６は、端末２００が隣接する２つの中継装置（ＲＮ）に接続可能である場合、２つの中継装置のうち上位ＲＮを、Ｓｅｒｖｉｎｇ  ｃｅｌｌとして選択する。そして、選択部２０６は、選択結果である端末２００の接続先ＲＮ（Ｓｅｒｖｉｎｇ  ｃｅｌｌ）のＲＮ番号を第２メモリ２１０及び奇数／偶数切替部２１３に出力する。なお、選択部２０６における接続先ＲＮ選択処理の詳細については後述する。
【００４９】
受信処理部２０７は、受信部２０８及び干渉除去部２０９を備える。
【００５０】
受信処理部２０７の受信部２０８は、第１メモリ２０３から入力される中継信号に対して復調及び復号を行う。具体的には、端末２００が隣接する２つの中継装置（ＲＮ）に接続可能である場合には、受信部２０８は以下の処理を行う。受信部２０８は、期間Ａ又は期間Ｂ（中継装置間の通信期間）において、端末２００が接続可能な２つの中継装置における上位ＲＮから下位ＲＮへ送信される中継信号（他の端末向けの中継信号）を受信し、その信号に対して復調及び復号を行う。つまり、受信部２０８は、期間Ａ又は期間Ｂでは、他の端末向けの中継信号、つまり、期間Ｃで端末２００に対して干渉を与え得る信号（干渉信号）を受信する。そして、受信部２０８は、期間Ａ又は期間Ｂで受信した他の端末向けの中継信号（干渉信号）を第２メモリ２１０に出力する。また、受信部２０８は、他の端末向けの中継信号を用いて、端末２００が接続している中継装置（上位ＲＮ）と端末２００との間のチャネル推定値を算出し、チャネル推定値を第２メモリ２１０に出力する。同様に、受信部２０８は、下位ＲＮからの中継信号を用いて、下位ＲＮと端末２００との間のチャネル推定値を算出し、干渉信号のチャネル推定値として第２メモリ２１０に出力する。
【００５１】
干渉除去部２０９は、第２メモリ２１０に格納されている期間Ａ又は期間Ｂで受信された他の端末向けの中継信号（干渉信号）と干渉信号のチャネル推定値とを用いて、期間Ｃで受信する中継信号から、期間Ｃに下位ＲＮから送信される他の端末向けの中継信号を除去する。そして、受信部２０８は、ＤＬサブフレーム内の期間Ｃ（中継装置と端末との間の通信期間）で受信する中継信号において、干渉除去部２０９で干渉信号が除去された信号に対し復調及び復号を行うことで、上位ＲＮ（端末２００のＳｅｒｖｉｎｇ  ｃｅｌｌ）から送信される端末２００向けの中継信号（所望信号）を得る。そして、受信部２０８は、復号後の信号を第２メモリ２１０に出力する。なお、干渉除去部２０９における干渉除去処理の詳細については後述する。
【００５２】
第２メモリ２１０は、選択部２０６から入力される選択結果（端末２００のＳｅｒｖｉｎｇ  ｃｅｌｌのＲＮ番号）を格納する。また、第２メモリ２１０は、タイミング制御部２１４からの指示に従って、受信処理部２０７の受信部２０８から入力される信号（干渉信号及び干渉除去後の信号）を格納する。また、第２メモリ２１０は、タイミング制御部２１４からの指示に従って、格納している各信号を受信処理部２０７（干渉除去部２０９）及び送信処理部２１１に出力する。
【００５３】
送信処理部２１１は、端末２００の端末ＩＤと、第２メモリ２１０から入力されるＳｅｒｖｉｎｇ  ｃｅｌｌのＲＮ番号とを含む信号に対して符号化及び変調を行う。そして、送信処理部２１１は、変調後の信号を応答信号として送信ＲＦ部２１２に出力する。
【００５４】
送信ＲＦ部２１２は、送信処理部２１１から入力される応答信号に対して、Ｄ／Ａ変換、増幅及びアップコンバート等の送信処理を行う。そして、送信ＲＦ部２１２は、送信処理後の応答信号をアンテナ２０１から送信する。これにより、応答信号に示されるＳｅｒｖｉｎｇ  ｃｅｌｌに該当する中継装置は、端末２００を自装置に接続される端末（自装置配下の端末）として認識し、端末２００に対して応答信号を送信する。
【００５５】
奇数／偶数切替部２１３は、選択部２０６から入力されるＳｅｒｖｉｎｇ  ｃｅｌｌのＲＮ番号に応じて、奇数／偶数切替部１０８（図２）と同様にして、端末２００が接続する中継装置が奇数ＲＮであるか偶数ＲＮであるかを示す設定を切り替える。そして、奇数／偶数切替部２１３は、端末２００が接続する中継装置が奇数ＲＮであるか偶数ＲＮであるかを示す設定情報（‘奇数’又は‘偶数’）をタイミング制御部２１４に出力する。なお、奇数／偶数切替部２１３は、選択部２０６からＳｅｒｖｉｎｇ  ｃｅｌｌのＲＮ番号（選択部２０６の選択結果）が入力されるまでは、不定値をタイミング制御部２１４に出力する。
【００５６】
タイミング制御部２１４は、タイミング制御部１０９（図２）と同様にして、奇数／偶数切替部２１３から入力される設定情報に基づいて、第１メモリ２０３及び第２メモリ２１０に対して、中継信号の入出力タイミングを指示する。
【００５７】
例えば、奇数／偶数切替部２１３から入力される設定情報が‘奇数’を示す場合（Ｓｅｒｖｉｎｇ  ｃｅｌｌが奇数ＲＮの場合）、タイミング制御部２１４は、期間Ａにおいて、第１メモリ２０３に対して、受信ＲＦ部２０２から入力される下位ＲＮ向け中継信号を格納するように指示（書き込み指示）する。また、タイミング制御部２１４は、期間Ａにおいて、第１メモリ２０３に下位ＲＮ向け中継信号が格納されると、第１メモリ２０３に対して、下位ＲＮ向け中継信号を受信処理部２０７に出力するように指示（読み出し指示）し、第２メモリ２１０に対して、受信処理部２０７から入力される干渉信号（他の端末向け中継信号）、及び、Ｓｅｒｖｉｎｇ  ｃｅｌｌと端末２００との間のチャネル推定値を格納するように指示（書き込み指示）する。
【００５８】
また、タイミング制御部２１４は、期間Ｂにおいて、第１メモリ２０３に対して、受信ＲＦ部２０２から入力される、端末２００が接続可能な２つの中継装置のうち下位ＲＮから送信される中継信号を格納するように指示（書き込み指示）する。また、タイミング制御部２１４は、期間Ｂにおいて、第１メモリ２０３に下位ＲＮからの中継信号が格納されると、第１メモリ２０３に対して、格納している下位ＲＮからの中継信号を受信処理部２０７へ出力するように指示（読み出し指示）し、第２メモリ２１０に対して、受信処理部２０７から入力される、下位ＲＮと端末２００との間のチャネル推定値を格納するように指示（書き込み指示）する。
【００５９】
一方、奇数／偶数切替部２１３から入力される設定情報が‘偶数’を示す場合（Ｓｅｒｖｉｎｇ  ｃｅｌｌが偶数ＲＮの場合）には、タイミング制御部２１４は、設定情報が‘奇数’を示す場合における期間Ａと同様の処理を期間Ｂで行い、設定情報が‘奇数’を示す場合における期間Ｂと同様の処理を期間Ａで行う。つまり、奇数ＲＮに接続された端末２００と偶数ＲＮに接続された端末２００との間では、タイミング制御部２１４での期間Ａ及び期間Ｂにおける処理の順序が入れ替わる。
【００６０】
また、奇数／偶数切替部２１３から入力される設定情報がいずれの場合でも、タイミング制御部２１４は、期間Ｃにおいて、第１メモリ２０３に対して、受信ＲＦ部２０２から入力される各ＲＮからの信号を格納するように指示（書き込み指示）する。また、タイミング制御部２１４は、期間Ｃにおいて、第１メモリ２０３に各ＲＮからの信号が格納されると、第１メモリ２０３に対して、格納している各ＲＮからの信号を受信処理部２０７に出力するように指示（読み出し指示）し、第２メモリ２１０に対して、期間Ａ及び期間Ｂで受信した、干渉信号、Ｓｅｒｖｉｎｇ  ｃｅｌｌと端末２００との間のチャネル推定値及び下位ＲＮと端末２００との間のチャネル推定値を、受信処理部２０７に出力するように指示（読み出し指示）する。また、タイミング制御部２１４は、第２メモリ２１０に対して、受信処理部２０７から入力される信号（干渉除去後の信号）を格納するように指示（書き込み指示）する。
【００６１】
次に、本実施の形態に係る端末２００の選択部２０６（図３）における接続先ＲＮ選択処理の詳細について説明する。
【００６２】
以下の説明では、図４に示すように、奇数ＲＮ（例えば、ＲＮ番号＝２ｎ＋１）のカバーエリアと、偶数ＲＮ（例えば、ＲＮ番号＝２ｎ＋２）のカバーエリアとが重複する位置に存在するＭＳ（端末２００）について説明する。また、図４に示す奇数ＲＮが偶数ＲＮに対して中継信号を送信する。つまり、図４では、隣接する２つの中継装置（奇数ＲＮと偶数ＲＮ）との間では、奇数ＲＮが上位ＲＮとなり、偶数ＲＮが下位ＲＮとなる。なお、図４に示す奇数ＲＮ及び偶数ＲＮは、図２に示す中継装置１００の構成を備える。
【００６３】
まず、奇数ＲＮ及び偶数ＲＮは、予め設定されたリソース及び予め設定された送信電力により、既知信号をＭＳにそれぞれ送信する（図４に示す手順１）。図４では、奇数ＲＮ及び偶数ＲＮは、自装置のＲＮ番号を既知信号に含めている。また、奇数ＲＮと偶数ＲＮとで既知信号を時間多重している。なお、各ＲＮは、自装置のＲＮ番号を既知信号に含める場合に限らず、自装置のＲＮ番号に対応付けられたコードで既知信号を符号化して、同一タイミングで既知信号を送信してもよい。また、ＭＳ（端末２００）では、接続先ＲＮ（Ｓｅｒｖｉｎｇ  ｃｅｌｌ）が選択されていないため、ＭＳのタイミング制御部２１４には、奇数／偶数切替部２１３から設定情報として不定値が入力される。そこで、ＭＳのタイミング制御部２１４は、図４に示す奇数ＲＮ及び偶数ＲＮの双方の既知信号を確実に受信できるように受信タイミング（受信窓幅）を制御する。
【００６４】
そして、ＭＳ（端末２００）の既知信号検出部２０４は、時間多重された既知信号を検出する（図４に示す手順２の既知信号検出処理）。例えば、図４では、既知信号検出部２０４は、手順１で受信した既知信号と、想定される既知信号のパターン全てとの相関演算をする。そして、既知信号検出部２０４は、相関演算の結果、奇数ＲＮ（ＲＮ番号＝２ｎ＋１）の既知信号パターン（例えば、パターン＃２ｎ＋１）及び偶数ＲＮ（ＲＮ番号＝２ｎ＋２）の既知信号パターン（例えば、パターン＃２ｎ＋２）でピークを検出することにより、奇数ＲＮ及び偶数ＲＮの各既知信号を検出する。
【００６５】
次いで、信号強度測定部２０５は、既知信号検出部２０４で検出された奇数ＲＮの既知信号及び偶数ＲＮの既知信号を用いて、奇数ＲＮの受信信号強度ＲＳＳＩ２ｎ＋１及び偶数ＲＮの受信信号強度ＲＳＳＩ２ｎ＋２を測定する（図４に示す手順２の信号強度測定処理）。
【００６６】
次いで、選択部２０６は、図４に示す奇数ＲＮと偶数ＲＮとが同時に信号を送信した場合のＭＳ（端末２００）における、奇数ＲＮに関するＳＩＲｏｄｄを、例えば次式（１）に従って算出し、偶数ＲＮに関するＳＩＮｅｖｅｎを、例えば次式（２）に従って算出する。
ＳＩＲｏｄｄ＝１０ｌｏｇ１０（ＲＳＳＩ２ｎ＋１／ＲＳＳＩ２ｎ＋２）    （１）
ＳＩＲｅｖｅｎ＝１０ｌｏｇ１０（ＲＳＳＩ２ｎ＋２／ＲＳＳＩ２ｎ＋１）    （２）
【００６７】
そして、選択部２０６は、算出したＳＩＲｏｄｄ及びＳＩＲｅｖｅｎと、予め設定された閾値αとを比較することにより、ＭＳ（端末２００）の接続先ＲＮ、つまり、Ｓｅｒｖｉｎｇ  ｃｅｌｌを決定する。具体的には、選択部２０６は、以下の条件（１）〜（４）に従って、Ｓｅｒｖｉｎｇ  ｃｅｌｌを選択する（図４に示す手順２の選択処理）。
条件（１）ＳＩＲｏｄｄ≧α，ＳＩＲｅｖｅｎ≧α  …  Ｓｅｒｖｉｎｇ  Ｃｅｌｌ  ＲＮ番号＝２ｎ＋１
条件（２）ＳＩＲｏｄｄ≧α，ＳＩＲｅｖｅｎ＜α  …  Ｓｅｒｖｉｎｇ  Ｃｅｌｌ  ＲＮ番号＝２ｎ＋１
条件（３）ＳＩＲｏｄｄ＜α，ＳＩＲｅｖｅｎ≧α  …  Ｓｅｒｖｉｎｇ  Ｃｅｌｌ  ＲＮ番号＝２ｎ＋２
条件（４）ＳＩＲｏｄｄ＜α，ＳＩＲｅｖｅｎ＜α  …  Ｓｅｒｖｉｎｇ  Ｃｅｌｌ  ＲＮ番号＝ｎｏｎｅ（セル再選択）
【００６８】
つまり、選択部２０６は、２つのＲＮ（図４では奇数ＲＮ及び偶数ＲＮ）からの受信信号強度の双方が予め設定された閾値α以上の場合、上位ＲＮ（図４では奇数ＲＮ）との接続を選択する（条件（１））。また、選択部２０６は、２つのＲＮのうち、上位ＲＮ（図４では奇数ＲＮ）からの受信信号強度が閾値α以上であり、下位ＲＮ（図４では偶数ＲＮ）からの受信信号強度が閾値α未満の場合、上位ＲＮとの接続を選択する（条件（２））。また、選択部２０６は、２つのＲＮのうち、上位ＲＮ（図４では奇数ＲＮ）からの受信信号強度が閾値α未満であり、下位ＲＮ（図４では偶数ＲＮ）からの受信信号強度が閾値α以上の場合、下位ＲＮとの接続を選択する（条件（３））。一方、選択部２０６は、２つのＲＮからの受信信号強度の双方が閾値α未満の場合、いずれのＲＮも選択せず（ｎｏｎｅ）、接続先ＲＮの再選択（セル再選択）を行う（条件（４））。
【００６９】
ここで、閾値αの値は固定でも可変でもよい。また、閾値αは地形的な理由によりＲＮ毎に異なる値を用いてもよい。また、閾値αは、一般に端末２００で用いられるＡ／Ｄ変換器のダイナミックレンジにおいて所望信号成分をどこまで含めるかに応じて決定されてもよい。または、閾値αとして、シミュレーション等で予め求められた、所要誤り率を満たすＳＩＲを設定してもよい。または、閾値αは、実測により予め求められた隣接するＲＮ間のＳＩＲ分布を用いて決定されてもよい。
【００７０】
例えば、図４に示すＭＳの信号強度測定部２０５で算出されたＳＩＲｏｄｄ及びＳＩＲｅｖｅｎの双方が閾値α以上となるとする。この場合、ＭＳの選択部２０６は、条件（１）に従って、図４に示す奇数ＲＮ及び偶数ＲＮのうち、上位ＲＮである奇数ＲＮをＳｅｒｖｉｎｇ  ｃｅｌｌとして選択する。このように、選択部２０６は、ＳＩＲが閾値α以上となるＲＮが複数存在する場合、ＳＩＲが閾値α以上となる複数のＲＮのうち、最上位のＲＮをＳｅｒｖｉｎｇ  ｃｅｌｌとして選択する。
【００７１】
次いで、図４に示すＭＳ（端末２００）は、ＭＳの端末ＩＤと、選択部２０６で選択されたＳｅｒｖｉｎｇ  ｃｅｌｌ  ＲＮ番号（ここでは２ｎ＋１）とを含む応答信号を、奇数ＲＮ及び偶数ＲＮに送信する（図４に示す手順３）。
【００７２】
次いで、図４に示す奇数ＲＮは、ＭＳ（端末２００）から送信される応答信号に含まれるＳｅｒｖｉｎｇ  ｃｅｌｌのＲＮ番号（２ｎ＋１）が自装置のＲＮ番号（２ｎ＋１）と一致するので、ＭＳ（応答信号に含まれる端末ＩＤの端末）を、自装置配下の端末として認識する。そして、奇数ＲＮは、ＭＳ（端末２００）に対して応答信号を送信する（図４に示す手順４）。一方、図４に示す偶数ＲＮは、ＭＳ（端末２００）から送信される応答信号に含まれるＳｅｒｖｉｎｇ  ｃｅｌｌのＲＮ番号（２ｎ＋１）が自装置のＲＮ番号（２ｎ＋２）と一致しないので、ＭＳ（応答信号に含まれる端末ＩＤの端末）を、自装置配下の端末として認識しない。
【００７３】
次に、本実施の形態に係る端末２００の干渉除去部２０９における干渉除去処理の詳細について説明する。
【００７４】
以下の説明では、図５に示すように、図４と同様、奇数ＲＮのカバーエリアと、偶数ＲＮのカバーエリアとが重複する位置に存在するＭＳ（端末２００）について説明する。また、図５では、図４と同様、奇数ＲＮが上位ＲＮとなり、偶数ＲＮが下位ＲＮとなる。なお、図５に示す奇数ＲＮ及び偶数ＲＮは、図２に示す中継装置１００の構成を備える。
【００７５】
また、図５では、図４で説明したようにして奇数ＲＮにＭＳ（端末２００）が接続される。つまり、奇数ＲＮがＭＳ（端末２００）のＳｅｒｖｉｎｇ  ｃｅｌｌとなる。
【００７６】
図５に示すように、ＤＬサブフレーム内の期間Ａでは、奇数ＲＮは、下位ＲＮである偶数ＲＮに対して中継信号を送信する。なお、図５に示す期間Ａで奇数ＲＮから送信される中継信号には、偶数ＲＮに接続された端末（図５に示すＭＳ以外の他の端末）向けの信号１１、及び、偶数ＲＮよりもさらに下位に位置するＲＮに接続された端末向けの信号１２が含まれる。
【００７７】
ここで、図５に示すＭＳ（端末２００）は、期間Ａにおいて、奇数ＲＮ（上位ＲＮ）から偶数ＲＮ（下位ＲＮ）へ送信される他の端末向けの信号（信号１１及び信号１２）を受信する。具体的には、ＭＳの第１メモリ２０３には、受信ＲＦ部２０２で受信した信号（信号１１及び信号１２）が格納される。また、より具体的には、ＲＮ間で通信される中継信号には、図６（ここでは期間Ａの場合）に示すように、信号１１及び信号１２に加え、プリアンブル信号、及び、信号１１及び信号１２各々の中継信号におけるマッピング位置、ＭＣＳ等を含む制御情報が含まれている。そこで、ＭＳの受信処理部２０７（受信部２０８）は、期間Ａでの中継信号（信号１１及び信号１２）に含まれるプリアンブル信号から、奇数ＲＮ（Ｓｅｒｖｉｎｇ  ｃｅｌｌ）とＭＳとの間のチャネル推定値を得て、そのチャネル推定値を第２メモリ２１０に出力する。次いで、ＭＳの受信処理部２０７（受信部２０８）は、期間Ａでの中継信号（信号１１及び信号１２）に含まれる制御情報（信号１１に関するデータ信号の中継信号におけるマッピング位置及びＭＣＳを含む情報）に対して復調及び復号を行う。ここで、プリアンブル信号及び制御情報のマッピング位置及びＭＣＳはＭＳでは既知とする。そして、ＭＳの受信処理部２０７（受信部２０８）は、制御情報の復号結果（マッピング位置及びＭＣＳ）に基づいて、信号１１に含まれるデータ信号に対して復調及び復号を行い、復号後のデータ信号（期間Ｃで干渉成分となる信号。以下、干渉信号という）を第２メモリ２１０に格納する。次いで、ＭＳの干渉除去部２０９は、第２メモリ２１０に格納された復号後のデータ信号（干渉信号）に対して符号化及び変調を行い、変調後の信号（つまり、期間Ｃにおける干渉信号のレプリカ）を保持する。
【００７８】
次に、図５に示すＤＬサブフレーム内の期間Ｂでは、図５に示す偶数ＲＮは、偶数ＲＮの下位ＲＮである奇数ＲＮ（図示せず）に対して中継信号を送信する。なお、図５に示すように、偶数ＲＮから送信される中継信号には、期間Ａで上位ＲＮ（奇数ＲＮ）から受信した、偶数ＲＮよりもさらに下位に位置するＲＮに接続された端末向けの信号１２が含まれる。
【００７９】
ここで、図５に示すＭＳ（端末２００）は、期間Ｂにおいて、図５に示す偶数ＲＮから下位ＲＮである奇数ＲＮ（図示せず）へ送信される信号１２を受信する。具体的には、ＭＳの第１メモリ２０３には、受信ＲＦ部２０２で受信した信号１２が格納される。そして、ＭＳの受信処理部２０７（受信部２０８）は、信号１２に含まれるプリアンブル信号を用いて、図５に示す偶数ＲＮとＭＳとの間のチャネル推定値（つまり、干渉信号に関するチャネル推定値）を算出し、そのチャネル推定値を第２メモリ２１０に出力する。
【００８０】
また、期間Ｂでは、図５に示す奇数ＲＮは、図示しない上位の装置（最上位ＲＮの場合はマクロセル基地局、最上位ＲＮ以外のＲＮの場合は偶数ＲＮ）から、奇数ＲＮに接続されているＭＳ宛ての信号１３を受信する。
【００８１】
次に、図５に示すＤＬサブフレーム内の期間Ｃでは、図５に示す奇数ＲＮは、期間Ｂで上位の装置（図示せず）から受信したＭＳ向けの信号１３を送信し、図５に示す偶数ＲＮは、期間Ａで上位の奇数ＲＮから受信した、偶数ＲＮに接続されている端末（ＭＳ以外の他の端末）向けの信号１１を送信する。よって、期間Ｃでは、図５に示すＭＳは、奇数ＲＮ（Ｓｅｒｖｉｎｇ  ｃｅｌｌ）からの信号１３（ＭＳ向けの所望信号）及び偶数ＲＮからの信号１１（ＭＳに対する干渉信号）を含む信号を受信する。
【００８２】
そして、図５に示す期間Ｃでは、ＭＳ（端末２００）の干渉除去部２０９は、期間Ａで得た信号１１（干渉信号のレプリカ）、期間Ａで得た奇数ＲＮとＭＳとの間のチャネル推定値（所望信号に関するチャネル推定値）、及び、期間Ｂで得た偶数ＲＮとＭＳとの間のチャネル推定値（干渉信号に関するチャネル推定値）を用いて、期間Ｃで受信した信号（信号１３及び信号１１を含む信号）から、干渉信号である信号１１を除去することにより、ＭＳ宛ての信号１３（所望信号）を得る。そして、ＭＳの受信部２０８は、干渉除去後の信号（つまり、信号１３）に対して復調及び復号を行い、復号後の信号を第２メモリ２１０に格納する。
【００８３】
このようにして、端末２００は、ＤＬサブフレーム内の期間Ａ及び期間Ｂ（つまり、ＲＮ間での通信のための期間）で、期間Ａ及び期間Ｂよりも後の期間Ｃにおいて干渉信号となる信号（図５では信号１１）、及び、期間Ｃにおいて干渉信号となる信号のチャネル推定値を得る。
【００８４】
ここで、図５に示すように、ＲＮ間での通信のための期間（期間Ａ及び期間Ｂ）では、隣接するＲＮは、互いに異なる期間で同一周波数を用いて中継信号の送信処理をそれぞれ行う。例えば、図５に示すように、奇数ＲＮは、期間Ａで、周波数ｆ１を用いて中継信号を送信するのに対して、偶数ＲＮは、期間Ａとは異なる期間Ｂで、周波数ｆ１を用いて中継信号を送信する。つまり、隣接する２つのＲＮは、中継信号を期間Ａと期間Ｂとで時分割して直交化している。よって、各ＲＮ（中継装置１００）は、期間Ａ及び期間Ｂのいずれか一方で、隣接するＲＮからの干渉を受けることなく、中継信号を下位ＲＮへ送信することができる。
【００８５】
これにより、隣接するＲＮの双方に接続可能な端末２００（図５に示すＭＳ）では、全てのＲＮが同一周波数を用いる場合でも、図５に示す期間Ａ及び期間Ｂで、各ＲＮが下位ＲＮへ送信する中継信号を干渉なくそれぞれ受信できる。例えば、図５では、ＭＳ（端末２００）は、期間Ａで奇数ＲＮ（上位ＲＮ）から送信される信号のみを受信でき、期間Ｂで偶数ＲＮ（下位ＲＮ）から送信される信号のみを受信できる。
【００８６】
また、端末２００は、隣接する複数のＲＮに接続可能な場合には、隣接する複数のＲＮ（図５では２つのＲＮ）のうち、より上位となるＲＮ（基地局と端末との間の信号の伝達方向においてより上位に位置するＲＮ。つまり、ダウンリンクでは基地局に最も近いＲＮ）をＳｅｒｖｉｎｇ  ｃｅｌｌとして選択する。
【００８７】
ここで、図５に示す期間Ａ及び期間ＢにおいてＭＳ（端末２００）が受信する信号（ＲＮ間で通信される信号）は、図５に示す奇数ＲＮ（ＭＳのＳｅｒｖｉｎｇ  ｃｅｌｌ）よりも下位に位置するＲＮに接続された端末宛ての信号、つまり、ＭＳ以外の他の端末向けの信号である。つまり、図５に示す期間Ａ及び期間ＢにおいてＭＳ（端末２００）が受信する信号は、ＭＳに対して干渉信号となり得る信号である。これにより、端末２００は、複数のＲＮと端末との間での通信のための期間（図５に示す期間Ｃ）よりも前の時刻で、端末２００に対して干渉信号となり得る信号を予め把握することができる。
【００８８】
よって、端末２００は、予め把握している干渉信号及びその干渉信号のチャネル推定値を用いて、複数のＲＮから送信される信号から干渉信号を除去することができる。ここで、干渉除去技術として様々な技術が知られているが、例えば、所望信号（図５では信号１３）及び干渉信号（図５では信号１１）のそれぞれに対して、ＭＬＤ（Maximum Likelihood Detection）処理を施すＪＤ（Joint Detection）がある。ＪＤでは、所望信号のチャネル推定値及び干渉信号のチャネル推定値がそれぞれ得られれば、干渉除去を精度良く行うことができることが知られている。これに対して、端末２００は、所望信号のチャネル推定値及び干渉信号のチャネル推定値のみでなく、干渉信号自体も予め既知となるため、ＳＩＲが低い状況でも、精度良く干渉信号を除去でき、所望の信号を得ることができる。
【００８９】
このようにして、本実施の形態によれば、複数の中継装置間で同一周波数を用いてマルチホップ通信を行う場合でも、端末が接続している中継装置からの信号に対する、他の中継装置からの信号による干渉を低減させることができる。
【００９０】
なお、本実施の形態では、端末が接続されるＲＮよりも下位となるＲＮが存在する場合について説明した。しかし、マルチホップ通信で使用される複数のＲＮのうち最下位ＲＮ（基地局から最も遠いＲＮ）には下位のＲＮが存在しないため、最下位ＲＮにのみ接続可能なＭＳでは、最下位ＲＮ以外のＲＮから送信される信号による干渉は発生しない。よって、最下位ＲＮに接続されているＭＳは、期間Ａ又は期間Ｂでは何もせず、期間Ｃでは、最下位ＲＮから送信されるＭＳ宛ての信号を受信すればよい。また、マルチホップ通信で使用される複数のＲＮのうち最下位ＲＮは、下位のＲＮが存在しないため、下位ＲＮ向けの中継信号を送信しない。
【００９１】
また、本実施の形態において、図４及び図５では、奇数ＲＮが上位ＲＮとなり、偶数ＲＮが下位ＲＮとなる場合を一例として説明した。しかし、偶数ＲＮが上位ＲＮとなり、奇数ＲＮが下位ＲＮとなる場合でも本発明を適用することができる。具体的には、上述した条件（１）と同様にして、端末は、２つのＲＮ（偶数ＲＮ（上位ＲＮ）及び奇数ＲＮ（下位ＲＮ））からの受信信号強度の双方が予め設定された閾値α以上の場合には、上位ＲＮである偶数ＲＮとの接続を選択すればよい。そして、上位ＲＮである偶数ＲＮに端末が接続されると、端末は、図５に示す期間Ａでの処理を期間Ｂで行い、図５に示す期間Ｂでの処理を期間Ａで行えばよい。
【００９２】
（実施の形態２）
本実施の形態において、或る端末が２つの中継装置に接続可能である場合に、２つの中継装置のうち上位ＲＮとの接続を選択する点は実施の形態１と同様である。本実施の形態では、さらに、上位ＲＮが、自装置に接続している端末向けの制御情報を用いて、下位ＲＮに接続している端末向けの制御情報を生成（スケジューリング）する場合について説明する。
【００９３】
以下、本実施の形態について具体的に説明する。図７は、本実施の形態に係る中継装置の構成を示すブロック図である。なお、図７に示す中継装置３００において、実施の形態１（図２）と同一構成要素には同一の符号を付しその説明を省略する。
【００９４】
図７に示す中継装置３００において、スケジューリング部３０１は、中継装置３００に接続された端末（中継装置３００配下の端末）向けの中継信号が受信処理部１０４から入力されると、その中継信号に含まれる制御情報（つまり、中継装置３００配下の端末向け制御情報）を抽出する。なお、この制御情報には、中継装置３００が期間Ｃで端末にデータを中継する際に用いるマッピング位置及びＭＣＳ等が含まれている。そして、スケジューリング部３０１は、中継装置３００配下の端末向け制御情報を用いて、中継装置３００よりも下位に位置する中継装置（下位ＲＮ）に接続されている端末（下位ＲＮ配下の端末）のスケジューリング（マッピング位置及びＭＣＳ等の決定）を行う。
【００９５】
具体的には、スケジューリング部３０１は、中継装置３００配下の端末向け制御情報に含まれる、中継装置３００配下の端末向け中継信号のマッピング位置を用いて、下位ＲＮ配下の端末向け中継信号のマッピング位置を決定する。例えば、スケジューリング部３０１は、中継装置３００配下の端末向け中継信号のマッピング位置に固定のオフセットを付加した結果を、下位ＲＮ配下の端末向け中継信号のマッピング位置としてもよい。これにより、中継装置３００配下の端末は、自端末向け中継信号のマッピング位置を特定することで、どのマッピング位置に干渉信号（下位ＲＮ配下の端末向け中継信号）がマッピングされているかも特定することができる。または、スケジューリング部３０１は、中継装置３００配下の端末向け中継信号のマッピング位置のうち、回線品質が良好であるマッピング位置を、下位ＲＮ配下の端末向けの中継信号のマッピング位置とし、回線品質が劣悪であるマッピング位置を下位ＲＮ配下の端末向け中継信号のマッピング位置としなくてもよい。これにより、中継装置３００配下の端末は、どのマッピング位置に干渉信号がマッピングされているかを特定できる。さらに、回線品質が劣悪であるマッピング位置には干渉信号がマッピングされないため、中継装置３００配下の端末は、回線品質が劣悪なマッピング位置では干渉の影響による受信品質の低減を抑えて、所望の信号を受信できる。
【００９６】
また、スケジューリング部３０１は、中継装置３００配下の端末向け制御情報に含まれる、中継装置３００配下の端末向け中継信号のＭＣＳを用いて、下位ＲＮ配下の端末向け中継信号のＭＣＳを決定する。例えば、スケジューリング部３０１は、中継装置３００配下の端末向け中継信号のＭＣＳと同一のＭＣＳを、下位ＲＮ配下の端末向け中継信号のＭＣＳとして決定してもよい。これにより、中継装置３００配下の端末は、自端末向け中継信号のＭＣＳを特定することで、干渉信号（下位ＲＮは以下の端末向け中継信号）のＭＣＳも特定することができる。または、スケジューリング部３０１は、下位ＲＮ配下の端末向けの中継信号のＭＣＳとして、中継装置３００配下の端末向け中継信号のマッピング位置のうち、回線品質が良好であるマッピング位置では低多値変調であるＭＣＳを決定し、回線品質が劣悪であるマッピング位置では高多値変調であるＭＣＳを決定してもよい。これにより、中継装置３００配下の端末では、既知となる干渉信号の干渉除去処理への寄与をより大きくすることができ、所望信号の推定精度を向上させることができる。
【００９７】
そして、スケジューリング部３０１は、中継装置３００配下の端末向け制御情報、及び、下位ＲＮ配下の端末向け制御情報を第２メモリ１０５に出力する。
【００９８】
送信処理部３０２は、第２メモリ１０５から入力される中継装置３００配下の端末向け制御情報に基づいて、第２メモリ１０５から入力される、中継装置３００配下の端末向け中継信号及び中継装置３００配下の端末向け制御情報に対して符号化及び変調を行う。また、送信処理部３０２は、第２メモリ１０５から入力される下位ＲＮ配下の端末向け中継信号及び下位ＲＮ配下の端末向け制御情報に対して、予め設定された符号化及び変調を行う。
【００９９】
タイミング制御部３０３は、実施の形態１のタイミング制御部１０９の処理に加え、中継装置３００配下の端末向け制御情報、及び、下位ＲＮ配下の端末向け制御情報の入出力タイミングを、第１メモリ１０３及び第２メモリ１０５に対して指示する。
【０１００】
例えば、奇数／偶数切替部１０８から入力される設定情報が‘奇数’を示す場合（中継装置３００が奇数ＲＮの場合）、タイミング制御部３０３は、期間Ｂにおいて、タイミング制御部１０９と同様の処理に加え、第２メモリ１０５に対して、スケジューリング部３０１から入力されるスケジューリング結果（中継装置３００配下の端末向け制御情報及び下位ＲＮ配下の端末向け制御情報）を格納するように指示（書き込み指示）する。また、タイミング制御部３０３は、期間Ｂにおいて、第２メモリ１０５に復号後の信号（中継信号）が格納されると、タイミング制御部１０９と同様の処理に加え、第２メモリ１０５に対して、中継装置３００配下の端末向け制御情報及び下位ＲＮ配下の端末向けの制御情報を送信処理部３０２へ出力するように指示（読み出し指示）する。
【０１０１】
一方、奇数／偶数切替部１０８から入力される設定情報が‘偶数’を示す場合（中継装置３００が偶数ＲＮの場合）には、タイミング制御部３０３は、上述した、設定情報が‘奇数’を示す場合における期間Ｂの処理を期間Ａで行う。つまり、奇数ＲＮと偶数ＲＮとの間では、タイミング制御部３０３での期間Ａ及び期間Ｂにおける処理の順序が入れ替わる。
【０１０２】
次に、本実施の形態に係る端末について説明する。図８は、本実施の形態に係る端末の構成を示すブロック図である。なお、図８に示す端末４００において、実施の形態１（図３）と同一構成要素には同一の符号を付しその説明を省略する。
【０１０３】
図８に示す端末４００において、ポインタ生成部４０１は、タイミング制御部４０２から入力されるＤＬサブフレーム番号を用いて、端末４００向け制御情報、及び、端末４００のＳｅｒｖｉｎｇ  ｃｅｌｌ（上位ＲＮ）の下位ＲＮである中継装置配下の端末向け制御情報の格納アドレスを示すポインタをそれぞれ生成する。
【０１０４】
例えば、予め通知されている、マルチホップ通信を構成し得るＲＮ数＝Ｎとし、端末４００のＳｅｒｖｉｎｇ  ｃｅｌｌのＲＮ番号＝Ｌとし、タイミング制御部４０２から入力されるＤＬサブフレーム番号＝ｍとする。また、奇数／偶数切替部２１３における設定情報を‘奇数’とする。この場合、ポインタ生成部４０１は、ＤＬサブフレームｍ内の期間Ａでは、端末４００向け制御情報の格納アドレス［ｍ−Ｌ］を示すポインタ、及び、下位ＲＮ配下の端末向け制御情報の格納アドレス［ｍ−Ｌ］を示すポインタをタイミング制御部４０２に出力する。次いで、ポインタ生成部４０１は、期間Ａにおいて、下位ＲＮ配下の端末向け制御情報の格納アドレス［ｍ−Ｎ＋１］を示すポインタをタイミング制御部４０２に出力する。また、ポインタ生成部４０１は、ＤＬサブフレームｍ内の期間Ｃでは、端末４００向け制御情報の格納アドレス［ｍ−Ｎ＋１］を示すポインタをタイミング制御部４０２に出力する。
【０１０５】
タイミング制御部４０２は、現時点のＤＬサブフレーム番号（例えばＤＬサブフレーム番号ｍ）をポインタ生成部４０１に出力する。また、タイミング制御部４０２は、ポインタ生成部４０１から入力されるポインタを用いて、実施の形態１のタイミング制御部２１４（図３）の処理に加え、端末４００向け制御情報、及び、下位ＲＮ配下の端末向け制御情報の入出力タイミングを、第１メモリ２０３及び第２メモリ２１０に対して指示する。
【０１０６】
例えば、奇数／偶数切替部２１３から入力される設定情報が‘奇数’を示す場合（Ｓｅｒｖｉｎｇ  ｃｅｌｌが奇数ＲＮの場合）、タイミング制御部４０２は、ＤＬサブフレームｍ内の期間Ａにおいて、タイミング制御部２１４の処理に加え、第２メモリ２１０に対して、端末４００向け制御情報（格納アドレス［ｍ−Ｌ］）及び下位ＲＮ配下の端末向け制御情報（格納アドレス［ｍ−Ｌ］）を格納するように指示（書き込み指示）する。また、タイミング制御部４０２は、期間Ａにおいて、受信処理部２０７から第２メモリ２１０に干渉信号（他の端末向け中継信号）が入力されると、タイミング制御部２１４の処理に加え、第２メモリ２１０に対して、下位ＲＮ配下の端末向け制御情報（格納アドレス［ｍ−Ｎ＋１］）を受信処理部２０７（干渉除去部２０９）に出力するように指示（読み出し指示）する。これにより、干渉除去部２０９は、下位ＲＮ配下の端末向け制御情報（格納アドレス［ｍ−Ｎ＋１］）に基づいて、第２メモリ２１０に格納されている干渉信号に対して符号化及び変調を行い、変調後の干渉信号（期間Ｃにおける干渉信号のレプリカ）を保持する。また、タイミング制御部４０２は、ＤＬサブフレームｍ内の期間Ｃにおいて、タイミング制御部２１４の処理に加え、第２メモリ２１０に対して、端末４００向け制御情報（格納アドレス［ｍ−Ｎ＋１］）を受信処理部２０７に出力するように指示（読み出し指示）する。
【０１０７】
一方、奇数／偶数切替部２１３から入力される設定情報が‘偶数’を示す場合（Ｓｅｒｖｉｎｇ  ｃｅｌｌが偶数ＲＮの場合）には、タイミング制御部４０２は、設定情報が‘奇数’を示す場合における期間Ａの処理を、期間Ｂで行う。つまり、つまり、奇数ＲＮに接続された端末４００と偶数ＲＮに接続された端末４００との間では、タイミング制御部４０２での期間Ａ及び期間Ｂにおける処理の順序が入れ替わる。
【０１０８】
次に、本実施の形態に係る中継装置３００におけるスケジューリング処理の詳細について説明する。
【０１０９】
以下の説明では、図９及び図１０に示すように、４つのＲＮ＃１〜＃４によりマルチホップ通信を行う場合について説明する。図９及び図１０では、ＲＮ＃１が最も上位のＲＮであり、ＲＮ＃４が最も下位のＲＮである。なお、図９及び図１０に示すＲＮ＃１〜＃４は、図７に示す中継装置３００の構成を備える。
【０１１０】
また、図１０では、例えば、ＲＮ番号＝αのＲＮ配下の端末に対するスケジューリング結果（制御情報）を、‘＃α向けスケジューリング’と表す。また、図９及び図１０では、ＲＮ＃１（奇数ＲＮ）がＤＬサブフレーム［β］で上位の装置（図１０ではマクロセル基地局ＭｅＮＢ）から受信した、ＲＮ＃１配下の端末向け制御情報の格納アドレスを、‘［β］’で表す。また、格納アドレス［β］の制御情報に基づいて生成された下位ＲＮ配下の端末向け制御情報の格納アドレスも［β］で表す。例えば、ＤＬサブフレーム［β］でＲＮ＃１が受信した制御情報（＃１向けスケジューリング［β］）に基づいて生成される、ＲＮ番号＝３のＲＮ配下の端末向け制御情報は、‘＃３向けスケジューリング［β］’となる。また、ＲＮ番号＝αのＲＮ配下の端末を‘＃α端末’で表す。
【０１１１】
また、図１０では、送信処理を‘ＴＸ’で表し、受信処理を‘ＲＸ’で表す。
【０１１２】
また、ここでは、図９及び図１０において、ＲＮ＃１（奇数ＲＮ）がＤＬサブフレーム［ｍ］でＲＮ＃１配下の＃１端末向け制御情報（＃１向けスケジューリング［ｍ］）を受信してから、その制御情報を端末に反映するまでの処理に着目して説明する。
【０１１３】
図９及び図１０に示すＤＬサブフレーム［ｍ］では、ＲＮ＃１は、ＲＮ＃１の上位の装置（図１０ではＭｅＮＢ）から、ＲＮ＃１配下の＃１端末向け制御情報を受信する。具体的には、ＲＮ＃１は、図１０に示すＤＬサブフレーム［ｍ］内の期間Ｂで、ＲＮ＃１の上位の装置（ＭｅＮＢ）から、ＲＮ＃１配下の＃１端末向け制御情報（図１０に示す＃１向けスケジューリング［ｍ］）を受信する。そして、ＲＮ＃１のスケジューリング部３０１は、ＲＮ＃１配下の＃１端末向け制御情報（図１０に示す＃１向けスケジューリング［ｍ］）を用いて、ＲＮ＃１の下位ＲＮであるＲＮ＃２配下の＃２端末に対するスケジューリング処理を行う。これにより、ＲＮ＃１のスケジューリング部３０１は、ＲＮ＃２配下の＃２端末向け制御情報（図１０に示す＃２向けスケジューリング［ｍ］）を得る。つまり、ＤＬサブフレーム［ｍ］では、ＲＮ＃１は、図９に示すように、ＲＮ＃１配下の＃１端末及びＲＮ＃２配下の＃２端末に対するスケジューリング結果を得る。
【０１１４】
次いで、図９及び図１０に示すＤＬサブフレーム［ｍ＋１］では、ＲＮ＃１は、ＲＮ＃２配下の＃２端末向け制御情報（図１０に示す＃２向けスケジューリング［ｍ］）を期間Ａで送信し、ＲＮ＃２は、ＲＮ＃２配下の＃２端末向け制御情報を受信する。そして、ＲＮ＃２のスケジューリング部３０１は、ＲＮ＃２配下の＃２端末向け制御情報（図１０に示す＃２向けスケジューリング［ｍ］）を用いて、ＲＮ＃２の下位ＲＮであるＲＮ＃３配下の＃３端末に対するスケジューリング処理を行う。これにより、ＲＮ＃２のスケジューリング部３０１は、ＲＮ＃３配下の＃３端末向け制御情報（図１０に示す＃３向けスケジューリング［ｍ］）を得る。つまり、ＤＬサブフレーム［ｍ＋１］では、ＲＮ＃２は、図９に示すように、ＲＮ＃２配下の＃２端末及びＲＮ＃３配下の＃３端末に対するスケジューリング結果を得る。
【０１１５】
また、図９及び図１０に示すＤＬサブフレーム［ｍ＋２］では、ＲＮ＃３は、ＲＮ＃１及びＲＮ＃２と同様にして、期間ＢにおいてＲＮ＃２から受信した、ＲＮ＃３配下の＃３端末向け制御情報（図１０に示す＃３向けスケジューリング［ｍ］）を用いて、ＲＮ＃３の下位ＲＮであるＲＮ＃４配下の＃４端末に対するスケジューリング処理を行う。そして、ＲＮ＃３は、ＲＮ＃４配下の＃４端末向け制御情報（図１０に示す＃４向けスケジューリング［ｍ］）を、ＤＬサブフレーム［ｍ＋３］内の期間ＡでＲＮ＃４に送信する。
【０１１６】
そして、図９及び図１０に示すＤＬサブフレーム［ｍ＋３］内の期間Ｃでは、ＲＮ＃１〜ＲＮ＃４の全てのＲＮは、ＤＬサブフレーム［ｍ］〜［ｍ＋２］でそれぞれ決定されたスケジューリング結果（図９に示す＃１〜＃４向けスケジューリング［ｍ］）に基づいて、各ＲＮ配下の端末（図１０では＃１端末〜＃４端末）向け中継信号を同時送信することで、端末に対してスケジューリング結果を反映する。具体的には、図１０に示すように、ＲＮ＃１は、ＤＬサブフレーム［ｍ］で得た＃１端末向け制御情報（図１０に示す＃１向けスケジューリング［ｍ］）を用いて、ＲＮ＃１配下の＃１端末向け中継信号を期間Ｃで送信する（図１０に示す＃１端末＠スケジューリング［ｍ］  ＴＸ）。同様に、図１０に示すように、ＲＮ＃２は、ＤＬサブフレーム［ｍ＋１］で得た＃２端末向け制御情報（図１０に示す＃２向けスケジューリング［ｍ］）を用いて、ＲＮ＃２配下の＃２端末向け中継信号を期間Ｃで送信する（図１０に示す＃２端末＠スケジューリング［ｍ］  ＴＸ）。ＲＮ＃３及びＲＮ＃４についても同様である。
【０１１７】
次に、本実施の形態に係る端末４００における干渉除去処理の詳細について説明する。
【０１１８】
以下の説明では、図９及び図１０と同様、４つ（ＲＮ数Ｎ＝４）のＲＮ＃１〜＃４によりマルチホップ通信を行う場合について説明する。ただし、図１１では、ＲＮ＃１〜＃４のうち、２つのＲＮ＃１及びＲＮ２についてのみ説明する。また、図９及び図１０と同様、ＲＮ＃１が最も上位のＲＮであり、ＲＮ＃４が最も下位のＲＮである。つまり、図１１に示すＲＮ＃１とＲＮ＃２との間では、ＲＮ＃１が上位ＲＮであり、ＲＮ＃２が下位ＲＮである。また、図１１では、ＲＮ＃１には＃１端末が接続され、ＲＮ＃２には＃２端末が接続されている。なお、図１１に示すＲＮ＃１及びＲＮ＃２は図７に示す中継装置３００の構成を備え、＃１端末及び＃２端末は図８に示す端末４００の構成を備える。
【０１１９】
また、図１１では、ＲＮ＃１（ＲＮ番号Ｌ＝１）がＤＬサブフレーム［β］で上位の装置（図１１ではＭｅＮＢ）から受信した、ＲＮ＃１配下の＃１端末向け中継信号を‘＃１端末向け［β］’で表す。そして、中継信号（＃１端末向け［β］）に含まれる＃１端末向け制御情報の格納アドレスを‘［β］’で表し、格納アドレス［β］の制御情報に基づいて生成された下位ＲＮ配下の端末向け制御情報の格納アドレスも［β］で表す。また、図１１では、ＤＬサブフレーム［β］内の期間Ｃにおいて、ＲＮ番号＝αのＲＮが、ＲＮ番号＝αのＲＮ配下の端末に送信する中継信号を、‘＃α端末＠［β−Ｎ＋１］’と表す。これは、端末向け制御情報（格納アドレス［β−Ｎ＋１］）に基づいて送信される中継信号を意味する。
【０１２０】
また、図１１では、信号の送信処理を‘ＴＸ’で表し、信号の受信処理を‘ＲＸ’で表す。
【０１２１】
まず、図１１に示すＤＬサブフレームｍ内の期間Ａ〜期間Ｃにおける端末４００の動作について説明する。以下の説明では、ＲＮ番号Ｌが奇数である奇数ＲＮ配下の端末（図１１ではＲＮ＃１（Ｌ＝１）配下の＃１端末）の動作を一例として説明する。なお、ＲＮ番号Ｌが偶数である偶数ＲＮ配下の端末（図１１ではＲＮ＃２（Ｌ＝２）配下の＃２端末）における処理は、後述する奇数ＲＮ配下の端末の期間Ｂでの処理を期間Ａで行い、期間Ａでの処理を期間Ｂで行えばよい。
【０１２２】
図１１に示すＤＬサブフレーム［ｍ］内の期間Ａでは、端末４００（ＲＮ番号＝ＬのＲＮ配下の端末）は、ＲＮ＃１からＲＮ＃２への信号を受信することにより、端末４００向け中継信号及び下位ＲＮ配下の端末向け中継信号（格納アドレス［ｍ−Ｌ］）を受信する。例えば、図１１に示すＤＬサブフレーム［ｍ］内の期間Ａでは、ＲＮ＃１（ＲＮ番号Ｌ＝１）配下の＃１端末は、＃１端末向け中継信号及び＃２端末向け中継信号（図１１では＃１，＃２端末向け［ｍ−１］）を受信する。ここで、＃１，＃２端末向け［ｍ−１］に含まれる＃１端末向け制御情報（＃１端末向け［ｍ−１］）は、図示しないＤＬサブフレーム［ｍ−１］でＲＮ＃１がＭｅＮＢから受信した制御情報である。また、＃２端末向け制御情報（＃２端末向け［ｍ−１］）は、図示しないＤＬサブフレーム［ｍ−１］で、ＲＮ＃１が、＃１端末向け制御情報を用いて生成した制御情報である。
【０１２３】
そして、＃１端末は、実施の形態１と同様にして、中継信号に含まれるプリアンブル信号から、＃１端末とＲＮ＃１との間のチャネル推定値（所望信号のチャネル推定値）を得て、そのチャネル推定値を第２メモリ２１０に出力する。また、＃１端末は、各中継信号（＃１，＃２端末向け［ｍ−１］）に含まれる制御情報を復調及び復号し、＃１端末向け制御情報（格納アドレス［ｍ−１］）、及び、＃２端末向け制御情報（格納アドレス［ｍ−１］）を取得し、第２メモリ２１０に格納する。そして、＃１端末は、期間ＡにおけるＲＮ間の中継信号に含まれる制御情報（中継信号における干渉信号のマッピング位置及びＭＣＳを含む制御情報。例えば、図６に示す制御情報）、及び、端末＃１とＲＮ＃１との間のチャネル推定値を用いて、干渉信号（＃２端末向け［ｍ−１］）を復調及び復号する。そして、＃１端末では、復号後の干渉信号、＃１端末向け制御情報（格納アドレス［ｍ−１］）及び＃２端末向け制御情報（格納アドレス［ｍ−１］）が第２メモリ２１０に格納される。
【０１２４】
また、期間Ａにおいて干渉信号が第２メモリ２１０に格納されると、端末４００は、第２メモリ２１０に格納されている干渉信号及び下位ＲＮ配下の端末向け制御情報（格納アドレス［ｍ−Ｎ＋１］）を干渉除去部２０９に出力する。例えば、図１１に示す＃１端末は、干渉信号（つまり、＃２端末向け中継信号）、及び、ＲＮ＃２配下の＃２端末向け制御情報（格納アドレス［ｍ−３］）を干渉除去部２０９に出力する。そして、＃１端末の干渉除去部２０９は、＃２端末向け制御情報（格納アドレス［ｍ−３］）を用いて、干渉信号を符号化及び変調し、変調後の干渉信号（ＤＬサブフレーム［ｍ］内の期間Ｃにおける干渉信号のレプリカ）を保持する。
【０１２５】
図１１に示すＤＬサブフレーム［ｍ］内の期間Ｂでは、端末４００（奇数ＲＮ配下の端末）は、実施の形態１の端末２００における期間Ｂでの処理と同様の処理を行う。例えば、図１１に示す＃１端末は、ＲＮ＃２からＲＮ＃３へ送信される、＃２端末向け中継信号及び＃３端末向け中継信号（図１１では＃２，＃３端末向け［ｍ−２］）を受信する。この中継信号に含まれるプリアンブル信号を用いて、図１１に示す＃１端末は、ＲＮ＃２と＃１端末との間のチャネル推定値（干渉信号に関するチャネル推定値）を得る。
【０１２６】
図１１に示すＤＬサブフレーム［ｍ］内の期間Ｃでは、端末４００（奇数ＲＮ配下の端末）は、第２メモリ２１０に格納されている、上位ＲＮと端末４００との間のチャネル推定値（期間Ａで算出）、及び、既に受信している端末４００向け制御情報（格納アドレス［ｍ−Ｎ＋１］）を干渉除去部２０９に出力する。例えば、図１１に示すＤＬサブフレーム［ｍ］内の期間Ａでは、ＲＮ＃１配下の＃１端末は、ＲＮ＃１と＃１端末との間のチャネル推定値及び＃１端末向け制御情報（格納アドレス［ｍ−３］）を受信処理部２０７に出力する。そして、＃１端末の干渉除去部２０９は、期間Ｃにおいて、ＲＮ＃１と＃１端末との間のチャネル推定値、ＲＮ＃２と＃１端末との間のチャネル推定値、干渉信号のレプリカ、及び、＃１端末向け制御情報（格納アドレス［ｍ−３］）を用いて、期間Ｃで受信した信号から、ＲＮ＃２からの干渉信号である＃２端末向け中継信号（図１１に示す＃２端末＠［ｍ−３］）を除去することにより、ＲＮ＃１からの所望信号である＃１端末向け中継信号（図１１に示す＃１端末＠［ｍ−３］）を得る。
【０１２７】
次いで、図１１において、ＲＮ＃１（奇数ＲＮ）がＤＬサブフレーム［ｍ］でＲＮ＃１配下の＃１端末向け中継信号（＃１端末向け［ｍ］）を受信してから、その中継信号を＃１端末に送信するまでの処理に着目して説明する。
【０１２８】
図９及び図１０で説明したように、図１１に示すＤＬサブフレーム［ｍ］内の期間Ｂで＃１端末向け中継信号（＃１端末向け［ｍ］）を受信すると、ＲＮ＃１（スケジューリング部３０１）は、＃１端末向け中継信号（＃１端末向け［ｍ］）に含まれる＃１端末向け制御情報を用いて、下位ＲＮ配下の＃２端末向け制御情報（格納アドレス［ｍ］）を生成する。
【０１２９】
そして、ＲＮ＃１は、ＤＬサブフレーム［ｍ＋１］内の期間Ａで、＃１端末向け制御情報及び＃２端末向け制御情報を含む中継信号（図１１に示す＃１，＃２端末向け［ｍ］）をＲＮ＃２に送信する。このとき、＃１端末は、ＲＮ＃１からＲＮ＃２へ送信される中継信号（図１１に示す＃１，＃２端末向け［ｍ］）を受信する。そして、上述したように、＃１端末は、中継信号（図１１に示す＃１，＃２端末向け［ｍ］）を用いて、干渉信号（＃２端末向け中継信号）、ＲＮ＃１と＃１端末との間のチャネル推定値、＃１端末向け制御情報及び＃２端末向け制御情報を取得する。また、＃１端末は、＃２端末向け制御情報（格納アドレス［ｍ−２］）及び干渉信号を用いて、干渉信号を符号化及び変調し、ＤＬサブフレーム［ｍ＋１］内の期間Ｃでの干渉信号のレプリカを生成する。
【０１３０】
また、ＲＮ＃２は、ＤＬサブフレーム［ｍ＋１］内の期間Ａで、中継信号（図１１に示す＃１，＃２端末向け［ｍ］）を受信すると、中継信号に含まれる＃２端末向け制御情報を用いて、下位ＲＮであるＲＮ＃３（図示せず）配下の＃３端末（図示せず）向け制御情報（格納アドレス［ｍ］）を生成する。
【０１３１】
そして、ＲＮ＃２は、ＤＬサブフレーム［ｍ＋２］内の期間Ｂで、＃２端末向け制御情報及び＃３端末向け制御情報を含む中継信号（図１１に示す＃２，＃３端末向け［ｍ］）をＲＮ＃３（図示せず）に送信する。このとき、＃１端末は、ＲＮ＃２からＲＮ＃３へ送信される中継信号（図１１に示す＃２，＃３端末向け［ｍ］）を受信する。そして、上述したように、＃１端末は、中継信号（図１１に示す＃２，＃３端末向け［ｍ］）を用いて、ＲＮ＃２と＃１端末との間のチャネル推定値を取得する。
【０１３２】
そして、ＤＬサブフレーム［ｍ＋３］内の期間Ｃでは、ＲＮ＃１は、＃１端末向け中継信号（図１１に示す＃１端末＠［ｍ］）を＃１端末に送信し、ＲＮ＃２は、＃２端末向け中継信号（図１１に示す＃２端末＠［ｍ］）を＃２端末に送信する。よって、＃１端末が受信する信号には、＃１端末向け中継信号（図１１に示す＃１端末＠［ｍ］）と＃２端末向け中継信号（図１１に示す＃２端末＠［ｍ］）とが含まれる。
【０１３３】
そこで、＃１端末は、図１１に示すように、ＤＬサブフレーム［ｍ＋３］内の期間Ａで取得した干渉信号（期間Ｃにおける干渉信号のレプリカ）、ＲＮ＃１と＃１端末との間のチャネル推定値、＃１端末向け制御情報、及び、期間Ｂで取得したＲＮ＃２と＃１端末との間のチャネル推定値を用いて、＃１端末が期間Ｃで受信した信号から＃２端末向け中継信号（図１１に示す＃２端末＠［ｍ］、つまり、干渉信号）を除去することにより、＃１端末向け中継信号（図１１に示す＃１端末＠［ｍ］、つまり、所望信号）を得る。
【０１３４】
このようにして、本実施の形態では、上位ＲＮ（中継装置３００）は、自装置配下の端末に対するスケジューリングに基づいて、下位ＲＮ配下の端末に対するスケジューリング処理を行う。そして、上位ＲＮ（中継装置３００）は、ＲＮ間の通信時（期間Ａ又は期間Ｂ）に、自装置配下の端末向け制御情報及び下位ＲＮ配下の端末向け制御情報を含む中継信号を、下位ＲＮに送信する。これにより、上位ＲＮに接続している端末４００は、期間Ａ又は期間Ｂで、端末４００向け制御情報及び下位ＲＮ配下の端末向け制御情報を干渉無く受信できる。
【０１３５】
これにより、端末４００は、端末４００向け中継信号（所望信号）のマッピング位置及びＭＣＳのみでなく、他の端末向け中継信号（干渉信号）のマッピング位置及びＭＣＳも、干渉信号となる中継信号を実際に受信する時刻（期間Ｃ）よりも前に把握することができる。よって、端末４００は、期間Ｃにおいて干渉信号となる信号を事前に取得した時点（期間Ａ又は期間Ｂ）から干渉除去処理の準備（例えば、干渉信号のレプリカ生成処理又は干渉除去方法の選択処理等）を開始することができるため、所望信号を得るのに必要な受信処理時間を短縮することができる。
【０１３６】
このようにして、本実施の形態によれば、複数の中継装置間で同一周波数を用いてマルチホップ通信を行う場合でも、実施の形態１と同様、端末が接続している中継装置からの信号に対する、他の中継装置からの信号による干渉を低減させることができる。さらに、本実施の形態によれば、端末は、干渉信号を除去するための、干渉信号に関する制御情報を確実に得ることができるため、端末が接続している中継装置からの信号に対する、他の中継装置からの信号による干渉を確実に低減させることができる。
【０１３７】
なお、本実施の形態において、図１１では、奇数ＲＮ配下の端末４００が、端末４００向け制御情報を期間Ａ（偶数ＲＮ配下の端末４００の場合は期間Ｂ）で得て、その制御情報を期間Ｃで使用する場合について説明した。しかし、図１１の場合に限らず、端末４００は、期間Ｃにおいて上位ＲＮから送信される端末４００向け制御情報を得て、その制御情報を使用してもよい。同様に、本実施の形態では、奇数ＲＮ配下の端末４００が、奇数ＲＮと端末４００との間のチャネル推定値を期間Ａで得て、そのチャネル推定値を期間Ｃで使用する場合について説明した。しかし、これに限らず、端末４００は、期間Ｃにおいて上位ＲＮから送信される端末４００向け中継信号からチャネル推定値を得て、そのチャネル推定値を使用してもよい。
【０１３８】
また、本実施の形態では、端末が接続されるＲＮよりも下位となるＲＮが存在する場合について説明した。しかし、マルチホップ通信で使用される複数のＲＮのうち最下位ＲＮ（基地局から最も遠いＲＮ）には下位のＲＮが存在しないため、最下位ＲＮにのみ接続可能な端末では、最下位ＲＮ以外のＲＮから送信される信号による干渉は発生しない。よって、最下位ＲＮに接続されている端末は、期間Ａ又は期間Ｂでは何もせず、期間Ｃでは、最下位ＲＮから送信される端末向け中継信号を受信すればよい。そして、端末は、期間Ｃにおいて、中継信号に含まれるプリアンブル信号を用いて算出される最下位ＲＮと端末とのチャネル推定値、及び、中継信号に含まれる制御情報に含まれるマッピング位置及びＭＣＳを用いて、中継信号（データ信号）を復調及び復号すればよい。また、マルチホップ通信で使用される複数のＲＮのうち最下位ＲＮは、下位のＲＮが存在しないため、下位ＲＮ向けの中継信号を送信しない。
【０１３９】
また、本実施の形態では、隣接する２つのＲＮのうち、上位ＲＮが、下位ＲＮ配下の端末に対してスケジューリングを行う場合について説明した。しかし、マルチホップ通信を行う複数のＲＮのうち、最上位ＲＮ（又はマクロセル基地局）が、全てのＲＮ（つまり、下位に位置する全てのＲＮ）配下の端末に対するスケジューリングを行ってもよい。
【０１４０】
（実施の形態３）
本実施の形態において、端末が、自端末向け制御情報及び他の端末向け制御情報（干渉信号の制御情報）を用いて干渉除去処理を行う点は実施の形態２と同様であるが、端末が用いる制御情報の通知方法が実施の形態２と異なる。
【０１４１】
一般に、上述したようなマルチホップ通信を構成する複数の中継装置（ＲＮ）では、送信処理と受信処理とを切り替えるためのガード時間（ガードタイム）が設けられている。
【０１４２】
例えば、或るＤＬサブフレーム内の期間Ａ〜期間Ｃにおいて、隣接する奇数ＲＮ（上位ＲＮ）及び偶数ＲＮ（下位ＲＮ）が通信を行う場合を一例として説明する。この例では、奇数ＲＮは、期間Ａで中継信号を下位ＲＮへ送信し、期間Ｂで中継信号を上位の装置から受信する。一方、偶数ＲＮは、期間Ａで中継信号を上位ＲＮから受信し、期間Ｂで中継信号を下位ＲＮへ送信する。すなわち、期間Ａと期間Ｂとの間において、奇数ＲＮ及び偶数ＲＮ（つまり、全てのＲＮ）では、送信処理と受信処理とが切り替わる。よって、期間Ａと期間Ｂとの間には、いずれのＲＮでもガードタイムを設ける必要がある。
【０１４３】
また、奇数ＲＮ及び偶数ＲＮは、期間Ｃで中継信号を各ＲＮ配下の端末へ送信する。よって、期間Ｂと期間Ｃとの間において、奇数ＲＮでは、送信処理と受信処理とが切り替わるのに対し、偶数ＲＮでは、送信処理のままである。よって、奇数ＲＮは期間Ｂと期間Ｃとの間にガードタイムを設ける必要がある。一方、偶数ＲＮは期間Ｂと期間Ｃとの間にガードタイムを設ける必要がない。換言すると、期間Ｂと期間Ｃとの間のガードタイムに対応する期間では、奇数ＲＮは、送受信処理の切替のため、信号を送信することができないのに対して、偶数ＲＮは、送信処理のままであるので、信号を送信することができる。
【０１４４】
このように、隣接する複数のＲＮ（或る端末が接続可能な複数のＲＮ）のうち一方のＲＮ（上記例では奇数ＲＮ）における送受信処理の切替のために設けられるガードタイムでは、他方のＲＮ（上記例では偶数ＲＮ）は、一方のＲＮからの信号による干渉を受けることなく、端末に対して信号を送信することができる。
【０１４５】
また、本実施の形態に係る無線通信システムでは、ダウンリンクとアップリンク（Uplink）とがサブフレーム単位で交互に切り替わる。すなわち、ＤＬサブフレームの直後（又は直前）にはアップリンクサブフレーム（以下、ＵＬサブフレームという）が存在する。より具体的には、上述したＤＬサブフレーム内の期間Ａ〜期間Ｃのうち、期間Ｃの後には、ＵＬサブフレームが存在する。
【０１４６】
そのため、マルチホップ通信を構成する複数の中継装置（ＲＮ）では、ダウンリンクとアップリンクとを切り替える際にも、ガードタイムが設けられている。例えば、上述したＤＬサブフレームの後（つまり、期間Ｃの後）にガードタイムが設けられる。そして、ガードタイム中は、複数のＲＮは送受信処理を行わない。
【０１４７】
よって、ダウンリンクとアップリンクとの間に設けられたガードタイムでは、隣接する複数のＲＮ（或る端末が双方に接続可能なＲＮ）のうち一方のＲＮ（例えば、奇数ＲＮ）のみが信号を送信することで、他方のＲＮ（例えば、偶数ＲＮ）からの信号による干渉を受けることなく、端末に対して信号を送信することができる。
【０１４８】
そこで、本実施の形態では、マルチホップ通信を構成する複数の中継装置（ＲＮ）において、或る端末が双方に接続可能な、隣接する２つの中継装置のうち、一方の中継装置は、他方の中継装置の送受信処理の切替のために設けられるガードタイムで自装置配下の端末向け制御情報を送信し、他方の中継装置は、ダウンリンクとアップリンクとの間に設けられるガードタイムで自装置配下の端末向け制御情報を送信する。
【０１４９】
以下、本実施の形態について具体的に説明する。なお、本実施の形態では、ダウンリンクとアップリンクとがサブフレーム単位で切り替わり、ＤＬサブフレームとＵＬサブフレームとの間にガードタイム（第１のガードタイム）を設けるとともに、ＤＬサブフレームｍ内の期間Ｂと期間Ｃとの間にガードタイム（第２のガードタイム）を設ける無線通信システムについて説明する。
【０１５０】
図１２は、本実施の形態に係る中継装置の構成を示すブロック図である。なお、図１２に示す中継装置５００において、実施の形態１（図２）と同一構成要素には同一の符号を付しその説明を省略する。
【０１５１】
図１２に示す中継装置５００において、タイミング制御部５０１は、実施の形態１のタイミング制御部１０９の処理に加え、各ＤＬサブフレーム内の期間Ａと期間Ｂとの間、及び、期間Ｂと期間Ｃとの間にガードタイムを設け、ＤＬサブフレームとＵＬサブフレームとの間にガードタイムを設ける。
【０１５２】
ただし、タイミング制御部５０１は、期間Ｂと期間Ｃとの間のガードタイム及びダウンリンクとアップリンクとの間のガードタイムのうちいずれか１つのガードタイムで、中継装置５００配下の端末向け制御情報を送信するように、第１メモリ１０３及び第２メモリ１０５の入出力タイミングを制御する。
【０１５３】
例えば、奇数／偶数切替部１０８から入力される設定情報が‘奇数’を示す場合（中継装置５００が奇数ＲＮの場合）、タイミング制御部５０１は、タイミング制御部１０９と同様の処理に加え、期間Ｃの後、つまり、ダウンリンクとアップリンクとの間のガードタイムに対応する期間（以下、期間ｐｏｓｔ−Ｃという）では、第２メモリ１０５に対して、中継装置５００配下の端末向け制御情報を送信処理部１０６へ出力するように指示（読み出し指示）し、第１メモリ１０３に対して、中継装置５００配下の端末向け制御情報を送信ＲＦ部１０７へ出力するように指示（読み出し指示）する。
【０１５４】
一方、奇数／偶数切替部１０８から入力される設定情報が‘偶数’を示す場合、タイミング制御部５０１は、タイミング制御部１０９と同様の処理に加え、期間Ｂと期間Ｃとの間のガードタイムに対応する期間（以下、期間ｐｒｅ−Ｃという）では、第２メモリ１０５に対して、中継装置５００配下の端末向け制御情報を送信処理部１０６へ出力するように指示（読み出し指示）し、第１メモリ１０３に対して、中継装置５００配下の端末向け制御情報を送信ＲＦ部１０７へ出力するように指示（読み出し指示）する。
【０１５５】
次に、本実施の形態に係る端末について説明する。図１３は、本実施の形態に係る端末の構成を示すブロック図である。なお、図１３に示す端末６００において、実施の形態１（図３）と同一構成要素には同一の符号を付しその説明を省略する。
【０１５６】
図１３に示す端末６００において、タイミング制御部６０１は、実施の形態１のタイミング制御部２１４（図３）の処理に加え、期間Ｂと期間Ｃとの間のガードタイムに対応する期間ｐｒｅ−Ｃ、及び、ダウンリンクとアップリンクとの間のガードタイムに対応する期間ｐｏｓｔ−Ｃの２つの期間のうちいずれか一方において端末６００向け制御情報を受信し、他方において下位ＲＮ配下の端末向け制御情報を受信するように、第１メモリ２０３及び第２メモリ２１０の入出力タイミングを制御する。
【０１５７】
例えば、奇数／偶数切替部２１３から入力される設定情報が‘奇数’を示す場合（Ｓｅｒｖｉｎｇ  ｃｅｌｌが奇数ＲＮの場合）について説明する。この場合、タイミング制御部６０１は、期間Ｂと期間Ｃとの間のガードタイムに対応する期間（期間ｐｒｅ−Ｃ）では、第１メモリ２０３に対して、受信ＲＦ部２０２から入力される下位ＲＮ配下の端末向け制御情報（つまり、干渉信号に関する制御情報）を格納するように指示（書き込み指示）する。また、タイミング制御部６０１は、期間ｐｒｅ−Ｃでは、第１メモリ２０３に下位ＲＮ配下の端末向け制御情報が格納されると、第１メモリ２０３に対して、下位ＲＮ配下の端末向け制御情報を受信処理部２０７に出力するように指示（読み出し指示）し、第２メモリ２１０に対して、受信処理部２０７から入力される下位ＲＮ配下の端末向け制御情報を格納するように指示（書き込み指示）する。また、タイミング制御部６０１は、期間ｐｒｅ−Ｃでは、第２メモリ２１０に復号後の信号（期間Ｃで干渉信号となる信号）が格納されると、第２メモリ２１０に対して、干渉信号（下位ＲＮ配下の端末向け中継信号）及び下位ＲＮ配下の端末向け制御情報を受信処理部２０７（干渉除去部６０３）に出力するように指示（読み出し指示）する。
【０１５８】
また、タイミング制御部６０１は、ダウンリンクとアップリンクとの間のガードタイムに対応する期間（期間ｐｏｓｔ−Ｃ）では、第１メモリ２０３に対して、受信ＲＦ部２０２から入力される端末６００向け制御情報を格納するように指示（書き込み指示）する。また、タイミング制御部６０１は、期間ｐｏｓｔ−Ｃでは、第１メモリ２０３に端末６００向け制御情報が格納されると、第１メモリ２０３に対して、端末６００向け制御情報を受信処理部２０７（受信部６０２）に出力するように指示（読み出し指示）し、第２メモリ２１０に対して、受信処理部２０７（受信部６０２）から入力される端末６００向け制御情報を格納するように指示（書き込み指示）する。
【０１５９】
一方、奇数／偶数切替部２１３から入力される設定情報が‘偶数’を示す場合（Ｓｅｒｖｉｎｇ  ｃｅｌｌが偶数ＲＮの場合）には、タイミング制御部６０１は、設定情報が‘奇数’を示す場合における期間ｐｒｅ−Ｃの処理を期間ｐｏｓｔ−Ｃで行い、設定情報が‘奇数’を示す場合における期間ｐｏｓｔ−Ｃの処理を期間ｐｒｅ−Ｃで行う。つまり、奇数ＲＮと偶数ＲＮとの間では、タイミング制御部６０１での期間ｐｒｅ−Ｃ及び期間ｐｏｓｔ−Ｃにおける処理の順序が入れ替わる。
【０１６０】
受信処理部２０７の受信部６０２は、実施の形態１の受信部２０８の処理に加え、期間ｐｒｅ−Ｃ又は期間ｐｏｓｔ−Ｃで、下位ＲＮ配下の端末（他の端末）向け制御情報が第１メモリ２０３から入力されると、下位ＲＮ配下の端末向け制御情報を復調及び復号する。これにより、受信部６０２は、干渉信号（下位ＲＮ配下の端末向け中継信号）のマッピング位置及びＭＣＳ等を取得する。そして、受信部６０２は、復号後の下位ＲＮ配下の端末向け制御情報を第２メモリ２１０に出力する。さらに、受信部６０２は、期間ｐｒｅ−Ｃ又は期間ｐｏｓｔ−Ｃで、端末６００向け制御情報が第１メモリ２０３から入力されると、端末６００向け制御情報を復調及び復号する。これにより、受信部６０２は、端末６００向け中継信号（所望信号）のマッピング位置及びＭＣＳ等を取得する。そして、受信部６０２は、復号後の端末６００向け制御情報を第２メモリ２１０に出力する。
【０１６１】
受信処理部２０７の干渉除去部６０３は、実施の形態１の干渉除去部２０９と同様にして、期間ｐｒｅ−Ｃ又は期間ｐｏｓｔ−Ｃで、干渉信号（下位ＲＮ配下の端末向け中継信号）及び下位ＲＮ配下の端末向け制御情報が第２メモリ２１０から入力されると、下位ＲＮ配下の端末向け制御情報を用いて、干渉信号を符号化及び変調する。そして、干渉除去部６０３は、変調後の干渉信号（期間Ｃにおける干渉信号のレプリカ）を保持する。そして、干渉除去部６０３は、実施の形態１と同様にして、変調後の干渉信号、上位ＲＮと端末６００との間のチャネル推定値、下位ＲＮと端末６００との間のチャネル推定値、及び、端末６００向け制御情報（所望信号のマッピング位置及びＭＣＳ）を用いて、期間Ｃで受信した信号から干渉信号を除去することにより、端末６００向け中継信号（所望信号）を得る。
【０１６２】
次に、本実施の形態に係る中継装置５００及び端末６００における処理の詳細について説明する。
【０１６３】
以下の説明では、３つ以上のＲＮによりマルチホップ通信を行う場合について説明する。ただし、図１４では、３つ以上のＲＮのうち、２つのＲＮ１及びＲＮ２のみを示す。また、図１４に示すＲＮ１とＲＮ２との間では、ＲＮ１が上位ＲＮであり、ＲＮ２が下位ＲＮである。また、図１４では、ＲＮ１にはＭＳ１が接続され、ＲＮ２にはＭＳ２が接続されている。なお、図１４に示すＲＮ１及びＲＮ２は図１２に示す中継装置５００の構成を備え、ＭＳ１及びＭＳ２は図１３に示す端末６００の構成を備える。
【０１６４】
また、図１４では、送信処理を‘ＴＸ’で表し、受信処理を‘ＲＸ’で表す。
【０１６５】
なお、ここでは、ＲＮ１に接続しているＭＳ１（ＲＮ１配下のＭＳ１）における干渉除去処理に着目して説明する。
【０１６６】
図１４に示すＤＬサブフレーム内の期間Ａでは、ＲＮ１は、下位ＲＮであるＲＮ２配下の端末（ＭＳ２）向け中継信号を、ＲＮ２へ送信し、ＲＮ２は、ＲＮ２配下の端末（ＭＳ２）向け中継信号を受信する。このとき、ＲＮ１とＲＮ２との間に位置するＭＳ１（ＲＮ１配下の端末）は、ＲＮ１からＲＮ２へ送信された、ＲＮ２配下の端末（ＭＳ２）向け中継信号を受信する。これにより、ＭＳ１は、実施の形態１と同様、ＭＳ２向け中継信号（期間Ｃで干渉信号となる信号）、及び、ＲＮ１とＭＳ１との間のチャネル推定値を取得する。
【０１６７】
次いで、ＲＮ１及びＲＮ２（タイミング制御部５０１）は、図１４に示す期間Ａと期間Ｂとの間にガードタイムを設ける。
【０１６８】
次いで、図１４に示すＤＬサブフレーム内の期間Ｂでは、ＲＮ１は、上位の装置（図１４ではＭｅＮＢ）からＲＮ１配下のＭＳ１向け中継信号を受信する。一方、ＲＮ２は、下位ＲＮであるＲＮ３配下のＭＳ３（図示せず）向け中継信号を、ＲＮ３へ送信する。このとき、ＭＳ１は、ＲＮ２からＲＮ３へ送信された、ＲＮ３配下のＭＳ３向け中継信号を受信する。これにより、ＭＳ１は、実施の形態１と同様、ＲＮ２とＭＳ１との間のチャネル推定値（期間Ｃにおける干渉信号に関するチャネル推定値）を取得する。
【０１６９】
次いで、ＲＮ１（タイミング制御部５０１）は、図１４に示す期間Ｂと期間Ｃとの間にガードタイム（期間ｐｒｅ−Ｃ）を設ける。一方、ＲＮ２は、ＲＮ１が設けたガードタイムに対応する期間ｐｒｅ−Ｃにおいて、ＲＮ２配下のＭＳ２向け制御情報をＭＳ２へ送信する。このとき、ＭＳ１は、ＲＮ２からＭＳ２へ送信された、ＭＳ２向け制御情報（期間Ｃにおける干渉信号の制御情報）を受信する。
【０１７０】
ここで、図１４に示す期間ｐｒｅ−Ｃでは、ＲＮ１は、期間Ｂ（受信処理）及び期間Ｃ（送信処理）の送受信処理の切替のため何もしない（ガードタイムを設ける）。これに対して、図１４に示す期間ｐｒｅ−Ｃでは、ＲＮ２は、期間Ｂ及び期間Ｃの双方が送信処理であるため、期間ｐｒｅ−Ｃでも信号を送信することができる。よって、図１４に示す期間ｐｒｅ−Ｃでは、ＭＳ１は、ＲＮ１からの信号による干渉を受けることなく、ＲＮ２からの信号（干渉信号の制御情報）を受信することができる。そして、ＭＳ１（干渉除去部６０３）は、期間ｐｒｅ−Ｃにおいて、期間ｐｒｅ−Ｃで取得した干渉信号の制御情報を用いて、期間Ａで取得した干渉信号（ＭＳ２向け中継信号）を符号化及び変調することにより、変調後の干渉信号（期間Ｃにおける干渉信号のレプリカ）を得る。
【０１７１】
次いで、図１４に示すＤＬサブフレーム内の期間Ｃでは、ＲＮ１は、ＲＮ１配下のＭＳ１向け中継信号をＭＳ１に送信し、ＲＮ２は、ＲＮ２配下のＭＳ２向け中継信号をＭＳ２に送信する。よって、図１４に示すように、ＭＳ１は、ＲＮ１からのＭＳ１向け中継信号（所望信号）及びＲＮ２からのＭＳ２向け中継信号（干渉信号）を含む信号を受信する。
【０１７２】
次いで、図１４に示す期間Ｃの後、つまり、ＤＬサブフレームとＵＬサブフレーム（図示せず）との間のガードタイムに対応する期間ｐｏｓｔ−Ｃでは、ＲＮ１は、ＲＮ１配下のＭＳ１向け制御情報をＭＳ１へ送信する。そして、ＭＳ１は、ＲＮ１からＭＳ１へ送信された、ＭＳ１向け制御情報（所望信号の制御情報）を受信する。一方、ＲＮ２（タイミング制御部５０１）は、図１４に示すＤＬサブフレームとＵＬサブフレーム（図示せず）との間にガードタイム（期間ｐｏｓｔ−Ｃ）を設ける。
【０１７３】
ここで、図１４に示す期間ｐｏｓｔ−Ｃでは、ＲＮ２は、ダウンリンクとアップリンクとの切替のため何もしない（ガードタイムを設ける）。これに対して、図１４に示す期間ｐｏｓｔ−Ｃでは、ＲＮ１はＲＮ１配下の端末向け制御情報を送信する。よって、期間ｐｒｅ−Ｃと同様、図１４に示す期間ｐｏｓｔ−Ｃでは、ＭＳ１は、ＲＮ２からの信号による干渉を受けることなく、ＲＮ１からの信号（所望信号の制御情報）を受信できる。
【０１７４】
そして、図１４に示すＭＳ１（干渉除去部６０３）は、実施の形態１と同様にして、期間Ａで取得した干渉信号（期間ｐｒｅ−Ｃで変調された干渉信号）、期間Ａで取得したＲＮ１とＭＳ１との間のチャネル推定値（所望信号に関するチャネル推定値）、期間Ｂで取得したＲＮ２とＭＳ１との間のチャネル推定値（干渉信号に関するチャネル推定値）、期間ｐｏｓｔ−Ｃで取得した所望信号の制御情報（ＭＳ１向け制御情報）を用いて、期間Ｃで受信した信号から、期間ＣでＲＮ２が送信した干渉信号（ＭＳ２向け中継信号）を除去することにより、所望信号（ＭＳ１向け中継信号）を得る。
【０１７５】
なお、ここでは、奇数ＲＮ（ＲＮ１）配下の端末６００（ＭＳ１）について説明した。これに対し、偶数ＲＮ（ＲＮ２）配下の端末６００（ＭＳ２）の場合には、奇数ＲＮ配下の端末における期間Ａ及び期間ｐｒｅ−Ｃでの処理を、期間Ｂ及び期間ｐｏｓｔ−Ｃで行い、奇数ＲＮ配下の端末における期間Ｂ及び期間ｐｏｓｔ−Ｃでの処理を、期間Ａ及び期間ｐｒｅ−Ｃで行えばよい。
【０１７６】
例えば、図１４に示すＲＮ２（偶数ＲＮ）配下のＭＳ２は、期間ＡではＲＮ３（図示せず）から送信されるＲＮ４配下の端末向け中継信号を受信して、ＲＮ３とＭＳ２との間のチャネル推定値（干渉信号に関するチャネル推定値）を取得する。また、ＭＳ２は、期間ＢではＲＮ２から送信されるＲＮ３配下のＭＳ３向け中継信号を受信して、ＭＳ２に対する干渉信号、及び、ＲＮ２とＭＳ２との間のチャネル推定値（所望信号に関するチャネル推定値）を取得する。また、ＭＳ２は、期間ｐｒｅ−ＣではＲＮ２から送信されるＭＳ２向け制御情報（所望信号の制御情報）を取得する。また、ＭＳ２は、期間ｐｏｓｔ−ＣではＲＮ３（図示せず）から送信されるＭＳ３向け制御情報（干渉信号の制御情報）を取得する。これにより、奇数ＲＮ配下の端末（図１４ではＭＳ１）と同様にして、偶数ＲＮ配下の端末（図１４ではＭＳ２）は、期間Ｃで受信した信号から干渉信号を除去することにより、所望信号を得ることができる。
【０１７７】
このようにして、本実施の形態では、中継装置５００（全てのＲＮ）は、期間Ｂと期間Ｃとの間のガードタイム（送受信処理の切替のために設けられるガードタイム（期間ｐｒｅ−Ｃ））、又は、ダウンリンクとアップリンクとの間のガードタイム（ダウンリンクとアップリンクとの切替のために設けられるガードタイム（期間ｐｏｓｔ−Ｃ））のうちいずれか一方で、中継装置５００配下の端末向け制御情報を送信する。そして、端末６００は、期間Ｂと期間Ｃとの間のガードタイム、又は、ダウンリンクとアップリンクとの間のガードタイムにおいて、上位ＲＮから送信される端末６００向け制御情報（所望信号の制御情報）、及び、下位ＲＮから送信される他の端末向け制御情報（干渉信号の制御情報）をそれぞれ受信する。
【０１７８】
具体的には、期間Ｂと期間Ｃとの間のガードタイムでは、端末６００は、送受信処理の切替が不要である中継装置（図１４では偶数ＲＮ）からの制御情報を、送受信処理の切替が必要である中継装置（図１４では奇数ＲＮ）からの信号による干渉を受けずに、受信することができる。
【０１７９】
同様に、ダウンリンクとアップリンクとの間のガードタイムでは、端末６００は、端末６００が接続可能な隣接する２つの中継装置のうち一方の中継装置（つまり、期間Ｂと期間Ｃとの間でガードタイムを設ける必要がある中継装置。図１４では奇数ＲＮ）からの制御情報を、他方の中継装置（図１４では偶数ＲＮ）からの信号による干渉を受けずに、受信することができる。
【０１８０】
このようにして、本実施の形態によれば、複数の中継装置間で同一周波数を用いてマルチホップ通信を行う場合でも、実施の形態１と同様、端末が接続している中継装置からの信号に対する、他の中継装置からの信号による干渉を低減させることができる。さらに、本実施の形態によれば、端末は、中継装置における送受信処理の切替、又は、ダウンリンクとアップリンクとの切替のためのガードタイムを、制御情報の通信に利用することで、干渉信号に関する制御情報を確実に得ることができる。このため、本実施の形態では、実施の形態２と同様、端末が接続している中継装置からの信号に対する他の中継装置からの信号による干渉を確実に低減させることができる。
【０１８１】
なお、本実施の形態では、例えば図１４に示す期間ｐｒｅ−Ｃ及び期間ｐｏｓｔ−Ｃにおいて、所望信号及び干渉信号の制御情報（マッピング位置及びＭＣＳ等）を送信する場合について説明した。しかし、例えば図１４に示す期間ｐｒｅ−Ｃ及び期間ｐｏｓｔ−Ｃでは、マッピング位置及びＭＣＳ等の制御情報に限らず、他のデータを送信してもよい。例えば、期間ｐｒｅ−Ｃ及び期間ｐｏｓｔ−Ｃで送信する情報としては、マルチホップ通信ネットワークの構成の変更を通知する情報（変更後のＲＮ数又は新たに追加されたＲＮのＲＮ番号）、中継信号のデータ種別を示す情報、ハンドオーバの通知、チャネル推定を行うための既知信号、又は、干渉レベルを示す情報等が挙げられる。
【０１８２】
（実施の形態４）
実施の形態１〜３では、ダウンリンクにおけるマルチホップ通信について説明したのに対し、本実施の形態では、アップリンクにおけるマルチホップ通信について説明する。
【０１８３】
以下の説明では、図１５に示すように、アップリンクにおいて、複数の中継装置と端末との間での通信のための期間Ａ’と、複数の中継装置間での通信のための期間Ｂ’及び期間Ｃ’とを含むサブフレーム（ＵＬサブフレーム）単位で、かつ、同一の周波数で、基地局及び端末が複数の中継装置を介して通信を行う無線通信システムについて説明する。
【０１８４】
また、図１５に示すＵＬサブフレーム内の期間Ｂ’及び期間Ｃ’では、ＤＬサブフレーム内の期間Ａ及び期間Ｂと同様にして、複数の中継装置において、隣接する２つの中継装置が互いに異なる期間（つまり、期間Ｂ’及び期間Ｃ’のいずれか一方）でそれぞれ送信処理を行う。また、図１５に示すＵＬサブフレーム内の期間Ａ’では、各端末置が、Ｓｅｒｖｉｎｇ  ｃｅｌｌである中継装置への送信を同時に行う。
【０１８５】
また、以下の説明では、隣接する２つの中継装置のうち、端末と基地局（マクロセル基地局）との間の信号（アップリンク信号）の伝達方向において、より上位に位置する中継装置を上位ＲＮと呼び、より下位に位置する中継装置を下位ＲＮと呼ぶ。例えば、基地局からの距離の順に複数の中継装置が多段に接続されている場合、隣接する２つの中継装置のうち、基地局（マクロセル基地局）により遠い中継装置を上位ＲＮとし、より近い中継装置を下位ＲＮとする。つまり、ダウンリンクとアップリンクとでは、上位ＲＮと下位ＲＮとの関係が入れ替わる。例えば、図１５に示すように、隣接する２つの中継装置ＲＮ１及びＲＮ２のうち、アップリンク信号の伝達方向においてより上位に位置するＲＮ２（基地局を上位ＲＮとし、信号の伝達方向においてより下位に位置するＲＮ１を下位ＲＮとする。
【０１８６】
また、以下の説明では、実施の形態１と同様、基地局と直接通信を行う中継装置、例えば、基地局に最も近い中継装置（最下位ＲＮ）のＲＮ番号を１（奇数）とし、ＲＮ番号１の中継装置よりも上位の中継装置のＲＮ番号を順に２，３，４，…とする。すなわち、基地局と端末との間の通信を中継する複数の中継装置のＲＮ番号は、最下位ＲＮから順に奇数と偶数とが入れ替わる。なお、最下位ＲＮのＲＮ番号を偶数（例えばＲＮ番号を０）とし、ＲＮ番号０の中継装置よりも上位の中継装置のＲＮ番号を順に１，２，３，…としてもよい。
【０１８７】
また、以下の説明では、奇数ＲＮ（図１５ではＲＮ１及びＲＮ３）は、期間Ｂ’で、下位ＲＮ（又はマクロセル基地局）への中継信号を送信し、偶数ＲＮ（図１５ではＲＮ２）は、期間Ｃ’で、下位ＲＮへの中継信号を送信する。換言すると、偶数ＲＮは、期間Ｂ’で、上位ＲＮからの中継信号を受信し、奇数ＲＮは、期間Ｃ’で、上位ＲＮからの中継信号を受信する。
【０１８８】
上記無線通信システムにおいて、本実施の形態に係る端末（例えば、選択部）は、実施の形態１と同様にして、隣接するＲＮの双方に接続可能な場合には、隣接する複数のＲＮ（図１５では２つのＲＮ）のうち、より上位となるＲＮ（基地局と端末との間の信号の伝達方向において上位に位置するＲＮ。つまり、基地局により遠いＲＮ）との接続を選択（つまり、Ｓｅｒｖｉｎｇ  ｃｅｌｌとして選択）する。例えば、図１５に示すように、ＭＳ１は、ＲＮ１及びＲＮ２の双方に接続可能である。また、ＲＮ１とＲＮ２との間では、ＲＮ１が下位ＲＮとなり、ＲＮ２が上位ＲＮとなる。そこで、ＭＳ１は、ＲＮ１及びＲＮ２のうち、より上位であるＲＮ２との接続を選択する。図１５に示すＭＳ２についても同様である。
【０１８９】
そして、本実施の形態に係る端末は、ＵＬサブフレーム内の期間Ａ’において、Ｓｅｒｖｉｎｇ  ｃｅｌｌとして選択した中継装置に対して、基地局向けの信号を送信する。
【０１９０】
一方、本実施の形態に係る中継装置（例えば、受信部）は、期間Ａ’において、端末から送信される信号を受信する。ただし、この信号には、自装置配下の端末からの信号（所望信号）のみでなく、上位ＲＮ配下の端末からの信号（干渉信号）も含まれる。また、中継装置（例えば、受信部）は、期間Ｂ’又は期間Ｃ’において、上位ＲＮから自装置へ送信される中継信号（自装置配下の端末以外の他の端末から送信された基地局向け信号）を受信する。つまり、中継装置は、期間Ｂ’又は期間Ｃ’（中継装置間の通信）において、期間Ａ’で自装置に対する干渉信号となる信号を含む中継信号を受信する。
【０１９１】
そして、中継装置（例えば、干渉除去部）は、期間Ｂ’又は期間Ｃ’で受信した、中継信号（上位ＲＮ配下の端末から送信された基地局向け信号）（つまり、期間Ａ’での干渉信号）、及び、自装置配下の端末向け制御情報を用いて、期間Ａ’で受信した信号から、期間Ａ’で上位ＲＮ配下の端末から送信された信号（干渉信号）を除去することにより、自装置配下の端末から送信された信号（所望信号）を得る。なお、中継装置は、自装置配下の端末に対して自装置配下の端末向け制御情報を通知している（つまり、自装置配下の端末向け制御情報は既知である）。また、中継装置は、上位ＲＮに対して、上位ＲＮ配下の端末向けの制御情報を通知している。
【０１９２】
次に、本実施の形態に係る中継装置及び端末における処理の詳細について説明する。
【０１９３】
上述したように、図１５では、ＲＮ２にＭＳ１が接続され、ＲＮ３にＭＳ２が接続される。
【０１９４】
なお、ここでは、図１５に示すＲＮ２における干渉除去処理に着目して説明する。
【０１９５】
図１５に示すように、ＵＬサブフレーム内の期間Ａ’では、ＭＳ１は、Ｓｅｒｖｉｎｇ  ｃｅｌｌであるＲＮ２に対して、基地局向けの信号１１を送信し、ＭＳ２は、Ｓｅｒｖｉｎｇ  ｃｅｌｌであるＲＮ３に対して、基地局向けの信号１２を送信する。よって、期間Ａ’では、ＲＮ２は、ＭＳ１からの信号１１（所望信号）及びＭＳ２からの信号１２（干渉信号）を含む信号を受信する。
【０１９６】
次いで、図１５に示すように、ＤＬサブフレーム内の期間Ｂ’では、ＲＮ１及びＲＮ３（奇数ＲＮ）は、下位の装置（ＲＮ１の場合はマクロセル基地局、ＲＮ３の場合はＲＮ２）に対して中継信号を送信する。なお、図１５に示すように、ＲＮ３から送信される中継信号には、ＲＮ３に接続されたＭＳ２から期間Ａ’で送信された信号１２、及び、ＲＮ３よりも上位に位置するＲＮ（図示せず）に接続された端末から送信された基地局向けの信号１３が含まれる。
【０１９７】
ここで、図１５に示すＲＮ２は、期間Ｂ’において、期間Ａ’で干渉信号となる信号１２を含む中継信号（信号１２及び信号１３）を受信する。そこで、ＲＮ２は、実施の形態１の端末と同様にして、中継信号（信号１２及び信号１３）に含まれる制御情報（例えば、図６に示す制御情報）を用いて、信号１２に含まれるデータ信号に対して復調及び復号を行い、復号後の信号（期間Ａ’での干渉信号）を得る。次いで、ＲＮ２は、復号後の干渉信号に対して符号化及び変調を行い、変調後の干渉信号（つまり、期間Ａ’における干渉信号のレプリカ）を生成する。そして、ＲＮ２は、期間Ｂ’で生成した干渉信号のレプリカ、及び、ＭＳ１向け制御情報（既知の情報）を用いて、期間Ａ’で受信した信号（信号１１及び信号１２を含む信号）から、干渉信号である信号１２を除去することにより、ＲＮ２配下のＭＳ１から送信された信号１１を得る。
【０１９８】
そして、図１５に示すＵＬサブフレーム内の期間Ｃ’では、ＲＮ２（偶数ＲＮ）は、下位ＲＮであるＲＮ１に対して中継信号を送信する。なお、図１５に示すように、ＲＮ２から送信される中継信号には、期間Ｂ’で上位ＲＮであるＲＮ３から受信した信号１２及び信号１３と、期間Ｂ’で得られた信号１１（干渉除去後の信号１１）とが含まれる。
【０１９９】
このようにして、本実施の形態に係る端末は、隣接するＲＮの双方に接続可能な場合には、隣接する複数のＲＮ（図１５では２つのＲＮ）のうち、より上位となるＲＮ（基地局と端末との間の信号の伝達方向においてより上位に位置するＲＮ。つまり、アップリンクでは基地局に最も遠いＲＮ）をＳｅｒｖｉｎｇ  ｃｅｌｌとして選択する。これにより、図１５に示す期間Ｂ’及び期間Ｃ’において各ＲＮが受信する信号（ＲＮ間で通信される信号）は、各ＲＮよりも上位に位置するＲＮ配下の端末からの基地局宛ての信号、つまり、各ＲＮ配下の端末以外の他の端末向けの信号である。つまり、図１５に示す期間Ｂ’及び期間Ｃ’において各ＲＮが受信する信号は、期間Ａ’において各ＲＮに対して干渉信号となり得る信号を含んでいる。例えば、図１５に示すＲＮ２は、ＵＬサブフレーム内の期間Ｂ’で、期間Ａ’において干渉信号となる信号１２を得る。
【０２００】
ここで、実施の形態１（ＤＬサブフレーム）と同様、ＵＬサブフレームでは、図１５に示すように、ＲＮ間での通信のための期間（期間Ｂ’及び期間Ｃ’）では、隣接するＲＮは、互いに異なる期間で同一周波数を用いて中継信号の送信処理をそれぞれ行う。例えば、図１５に示すように、奇数ＲＮ（ＲＮ１及びＲＮ３）は、期間Ｂ’で、周波数ｆ１を用いて中継信号を送信するのに対して、偶数ＲＮ（ＲＮ２）は、期間Ｂ’とは異なる期間Ｃ’で、周波数ｆ１を用いて、中継信号を送信する。つまり、隣接する２つのＲＮは、中継信号を期間Ｂ’と期間Ｃ’とで時分割して直交化している。よって、各ＲＮは、期間Ｂ’及び期間Ｃ’のいずれか一方で、隣接するＲＮからの干渉を受けることなく、中継信号を下位ＲＮへ送信することができる。
【０２０１】
これにより、各ＲＮは、期間Ａ’において干渉信号となる、上位ＲＮ配下の端末から送信される基地局向け信号（図１５ではＲＮ２に対する信号１２）を、期間Ｂ’又は期間Ｃ’で干渉無く受信することができる。つまり、端末が、接続可能な上位ＲＮ及び下位ＲＮのうち、上位ＲＮとの接続を選択することで、下位ＲＮは、下位ＲＮに対して干渉信号となる信号（上位ＲＮ配下の端末の基地局向け信号）を、上位ＲＮからの中継信号として干渉無く受信できる。
【０２０２】
よって、本実施の形態に係る中継装置は、複数のＲＮと端末との間での通信のための期間（図１５に示す期間Ａ’）以外の時刻（期間Ｂ’又は期間Ｃ’）で、その中継装置に対する干渉信号を把握することができる。これにより、中継装置は、把握した干渉信号を用いて、期間Ａ’で受信した信号から干渉信号を除去することができる。
【０２０３】
このようにして、本実施の形態によれば、アップリンクにおいても、実施の形態１と同様にして、複数の中継装置間で同一周波数を用いてマルチホップ通信を行う場合でも、中継装置に接続されている端末からの信号に対する、他の中継装置に接続されている端末からの信号による干渉を低減させることができる。
【０２０４】
（実施の形態５）
本実施の形態では、さらに、実施の形態２と同様にして、アップリンクにおいて、或る端末が２つの中継装置に接続可能である場合に、２つの中継装置のうち下位ＲＮが、自装置に接続している端末向けの制御情報を用いて、上位ＲＮに接続している端末向けの制御情報を生成（スケジューリング）する場合について説明する。
【０２０５】
以下、本実施の形態について具体的に説明する。
【０２０６】
本実施の形態に係る中継装置（例えば、スケジューリング部）は、ダウンリンクにおいては、実施の形態２と同様、自装置配下の端末に対するスケジューリングに基づいて、ダウンリンクにおける下位ＲＮ（つまり、自装置よりも基地局から遠いＲＮ）配下の端末に対するスケジューリング処理を行う。一方、中継装置（例えば、スケジューリング部）は、アップリンクにおいて、自装置配下の端末に対するスケジューリングに基づいて、アップリンクにおける上位ＲＮ（つまり、自装置よりも基地局から遠いＲＮ）配下の端末に対するスケジューリング処理を行う。つまり、中継装置（例えば、スケジューリング部）は、ダウンリンク及びアップリンクのいずれにおいても、自装置配下の端末向け制御情報を用いて、自装置よりも基地局から遠い中継装置（ダウンリンクでは下位ＲＮとなり、アップリンクでは上位ＲＮとなる中継装置）配下の端末向け制御情報を生成する。
【０２０７】
そして、中継装置は、ダウンリンクにおけるＲＮ間の通信時（例えば、図９に示す期間Ａ又は期間Ｂ）に、ダウンリンク及びアップリンクの自装置配下の端末向け制御情報、及び、ダウンリンク及びアップリンクの他の中継装置（ダウンリンクでは下位ＲＮ、アップリンクでは上位ＲＮ）配下の端末向け制御情報を含む中継信号を送信する。
【０２０８】
本実施の形態に係る端末（例えば、選択部）は、ダウンリンク及びアップリンクにおいて、実施の形態１及び実施の形態４と同様にして、接続可能な複数の中継装置が存在する場合、上位ＲＮ（信号の伝達方向においてより上位に位置する中継装置）との接続を選択する。例えば、端末は、ダウンリンクでは、接続可能な複数の中継装置のうち、基地局により近い中継装置（ダウンリンク信号の伝達方向においてより上位に位置する中継装置）との接続を選択する。一方、端末は、アップリンクでは、接続可能な複数の中継装置のうち、基地局により遠い中継装置（アップリンク信号の伝達方向においてより上位に位置する中継装置）との接続を選択する。
【０２０９】
また、本実施の形態に係る端末（例えば、タイミング制御部）は、実施の形態２と同様にして、ダウンリンクにおけるＲＮ間の通信時（例えば、図９に示す期間Ａ又は期間Ｂ）に、ダウンリンク及びアップリンクの自端末向け制御情報、及び、ダウンリンク及びアップリンクの他の端末向け制御情報を含む中継信号を受信するように、入出力タイミングを制御する。
【０２１０】
次に、本実施の形態に係る中継装置におけるスケジューリング処理の詳細について説明する。
【０２１１】
以下の説明では、図１６に示すように、４つのＲＮ＃１〜＃４によりマルチホップ通信を行う場合について説明する。また、図１６では、ＲＮ＃１がマクロセル基地局に最も近く、ＲＮ＃４がマクロセル基地局に最も遠い。よって、図１６に示すように、ダウンリンク信号の伝達方向は、ＲＮ＃１からＲＮ＃４への方向となり、アップリンク信号の伝達方向は、ＲＮ＃４からＲＮ＃１への方向となる。すなわち、ダウンリンクでは、ＲＮ＃１が最上位ＲＮであり、ＲＮ＃４が最下位ＲＮである。また、アップリンクでは、ＲＮ＃４が最上位ＲＮであり、ＲＮ＃１が最下位ＲＮである。
【０２１２】
よって、図１６において、ダウンリンクでは、ＭＳ１は、接続可能なＲＮ＃１及びＲＮ＃２のうち、ダウンリンクにおける上位ＲＮであるＲＮ＃１に接続される。同様に、ダウンリンクでは、ＭＳ２は、接続可能なＲＮ＃２及びＲＮ＃３のうち、ダウンリンクにおける上位ＲＮであるＲＮ＃２に接続される。ＭＳ０、ＭＳ３、ＭＳ４についても同様である。
【０２１３】
一方、図１６において、アップリンクでは、ＭＳ１は、接続可能なＲＮ＃１及びＲＮ＃２のうち、アップリンクにおける上位ＲＮであるＲＮ＃２に接続される。同様に、アップリンクでは、ＭＳ２は、接続可能なＲＮ＃２及びＲＮ＃３のうち、アップリンクにおける上位ＲＮであるＲＮ＃３に接続される。ＭＳ０、ＭＳ３についても同様である。なお、アップリンクでは、図１６に示すＲＮ＃４よりも上位のＲＮ（ＲＮ４よりも基地局から遠いＲＮ）は存在しないため、ＭＳ４はＲＮ＃４に接続される。
【０２１４】
なお、ここでは、図１６において、ＲＮ＃１（奇数ＲＮ）がＤＬサブフレーム［ｍ］で、ダウンリンク（ＤＬ）におけるＲＮ＃１配下のＭＳ１向け制御情報（ＤＬ制御情報）及びアップリンク（ＵＬ）におけるＲＮ＃１配下のＭＳ０向け制御情報（ＵＬ制御情報）を受信してから、その制御情報を端末に反映するまでの処理に着目して説明する。
【０２１５】
図１６において、ダウンリンクにおける中継装置のスケジューリング処理は、実施の形態２と同様である。すなわち図１６に示すサブフレーム［ｍ］では、ＲＮ＃１は、ＲＮ＃１配下のＭＳ１向けＤＬ制御情報を用いて、ＲＮ＃２配下のＭＳ２向けＤＬ制御情報を生成する。同様に、図１６に示すサブフレーム［ｍ＋１］では、ＲＮ＃２は、ＲＮ＃２配下のＭＳ２向けＤＬ制御情報を用いて、ＲＮ＃３配下のＭＳ３向けＤＬ制御情報を生成する。図１６に示すサブフレーム［ｍ＋２］におけるＲＮ＃４ついても同様である。
【０２１６】
これに対して、アップリンクにおける中継装置のスケジューリング処理は以下のようになる。具体的には、図１６に示すサブフレーム［ｍ］では、ＲＮ＃１は、マクロセル基地局から、ＲＮ＃１配下のＭＳ０向けＵＬ制御情報を受信する。そこで、ＲＮ＃１は、ＲＮ＃１配下のＭＳ０向けＵＬ制御情報を用いて、アップリンクにおけるＲＮ＃１の上位ＲＮであるＲＮ＃２配下のＭＳ１に対するスケジューリング処理を行う。これにより、ＲＮ＃１は、ＲＮ＃２配下のＭＳ１向けＵＬ制御情報を得る。同様に、図１６に示すサブフレーム［ｍ＋１］では、ＲＮ＃２は、ＲＮ＃１から送信されるＲＮ＃２配下のＭＳ１向けＵＬ制御情報を用いて、アップリンクにおけるＲＮ＃２の上位ＲＮであるＲＮ＃３配下のＭＳ２向けＵＬ制御情報を生成する。図１６に示すサブフレーム［ｍ＋２］におけるＲＮ＃３についても同様である。
【０２１７】
そして、図１６に示すサブフレーム［ｍ＋３］では、ＲＮ＃１〜ＲＮ＃４の全てのＲＮは、サブフレーム［ｍ］〜［ｍ＋２］でそれぞれ決定されたスケジューリング結果に基づいて、各ＲＮ配下の端末（図１６ではＭＳ０〜ＭＳ４）との通信を行うことで、端末に対してスケジューリング結果を反映する。
【０２１８】
このように、本実施の形態では、中継装置は、自装置配下の端末に対するスケジューリングに基づいて、自装置よりも基地局から遠い隣接する中継装置（ダウンリンクでは下位ＲＮ、アップリンクでは上位ＲＮ）配下の端末に対するスケジューリング処理を行う。
【０２１９】
これにより、ダウンリンクでは、実施の形態２と同様、端末は、自端末向け中継信号（所望信号）のマッピング位置及びＭＣＳのみでなく、他の端末向け中継信号（干渉信号）のマッピング位置及びＭＣＳも、干渉信号となる中継信号を実際に受信する時刻（例えば、図９に示す期間Ｃ）よりも前に干渉無く受信できる。よって、端末は、干渉信号となる信号を事前に取得した時点から干渉除去処理の準備（例えば、干渉信号のレプリカ生成処理又は干渉除去方法の選択処理等）を開始することができるため、所望信号を得るのに必要な受信処理時間を短縮することができる。
【０２２０】
また、アップリンクでは、中継装置は、アップリンクにおける上位ＲＮ配下の端末向け制御情報を生成する。これにより、中継装置は、自装置に対して干渉信号となる信号を送信する端末向け制御情報を把握することができる。例えば、図１６に示すＲＮ＃２は、アップリンクにおける上位ＲＮであるＲＮ＃３に接続されるＭＳ２向け制御情報を生成する。これにより、図１６に示すＲＮ＃２は、ＲＮ＃２配下のＭＳ１からの信号を受信する際の干渉信号、つまり、ＭＳ２からの信号の制御情報を確実に得ることができる。
【０２２１】
このようにして、本実施の形態によれば、ダウンリンクでは、実施の形態２と同様、端末は、干渉信号を除去するための、干渉信号に関する制御情報を確実に得ることができるため、端末が接続している中継装置からの信号に対する、他の中継装置からの信号による干渉を確実に低減させることができる。また、本実施の形態によれば、アップリンクでは、中継装置は、自装置に対して干渉信号となる信号を送信する端末向けの制御情報を生成する。このため、本実施の形態によれば、中継装置は、自装置配下の端末から送信される信号に対する、他の中継装置配下の端末から送信される信号による干渉を確実に低減させることができる。
【０２２２】
なお、本実施の形態では、ダウンリンクでのスケジューリングとアップリンクでのスケジューリングをダウンリンク及びアップリンクのそれぞれで実施する場合を一例として説明した。しかし、これに限らず、例えば、ダウンリンクで次のアップリンク及びダウンリンクの双方のスケジューリングを同時に実施してもよく、アップリンクで次のダウンリンク及びアップリンクの双方のスケジューリングを同時に実施してもよい。
【０２２３】
（実施の形態６）
本実施の形態では、実施の形態４と同様、アップリンクにおけるマルチホップ通信において、実施の形態３と同様にして端末が、Ｓｅｒｖｉｎｇ  ｃｅｌｌ以外の中継装置に対して、自端末の制御情報（通知先の中継装置に対する干渉信号の制御情報）を通知する場合について説明する。
【０２２４】
なお、以下の説明では、実施の形態４と同様、ＵＬサブフレーム内の期間Ａ’〜期間Ｃ’において、奇数ＲＮは、期間Ｂ’で、下位ＲＮ（又はマクロセル基地局）への中継信号を送信し、偶数ＲＮは、期間Ｃ’で、下位ＲＮへの中継信号を送信する。
【０２２５】
また、ＤＬサブフレームと同様、ＵＬサブフレームでも、マルチホップ通信を構成する複数の中継装置（ＲＮ）では、送信処理と受信処理とを切り替えるためのガード時間（ガードタイム）が設けられている。
【０２２６】
例えば、ここでは、奇数ＲＮは、期間Ｂ’で中継信号を下位の装置へ送信し、期間Ｃ’で中継信号を上位ＲＮから受信する。一方、偶数ＲＮは、期間Ｂ’で中継信号を上位ＲＮから受信し、期間Ｃ’で中継信号を下位の装置へ送信する。すなわち、期間Ｂ’と期間Ｃ’との間において、奇数ＲＮ及び偶数ＲＮ（つまり、全てのＲＮ）では、送信処理と受信処理とが切り替わる。よって、期間Ｂ’と期間Ｃ’との間には、いずれのＲＮでもガードタイムを設ける必要がある。
【０２２７】
また、奇数ＲＮ及び偶数ＲＮは、期間Ａ’で各ＲＮ配下の端末から送信される基地局向け信号（中継信号）を受信する。よって、期間Ａ’と期間Ｂ’との間において、奇数ＲＮでは、受信処理と送信処理とが切り替わるのに対し、偶数ＲＮでは、受信処理のままである。よって、奇数ＲＮは期間Ａ’と期間Ｂ’との間にガードタイムを設ける必要がある。一方、偶数ＲＮは期間Ａ’と期間Ｂ’との間にガードタイムを設ける必要がない。換言すると、期間Ａ’と期間Ｂ’との間のガードタイムに対応する期間では、奇数ＲＮは、送受信処理の切替のため、信号を受信することができないのに対して、偶数ＲＮは、受信処理のままであるので、信号を受信することができる。
【０２２８】
つまり、隣接する複数のＲＮ（或る端末が接続可能な複数のＲＮ）のうち一方のＲＮ（上記例では奇数ＲＮ）における送受信処理の切替のために設けられるガードタイムでは、他方のＲＮは、自装置配下の端末のみでなく、自装置以外のＲＮ配下の端末からの信号も受信することができる。
【０２２９】
また、実施の形態３で説明したように、本実施の形態に係る無線通信システムでは、ダウンリンクとアップリンクとがサブフレーム単位で交互に切り替わる。そのため、マルチホップ通信を構成する複数の中継装置（ＲＮ）では、ダウンリンクとアップリンクとを切り替える際にも、ガードタイムが設けられている。すなわち、上述したＵＬサブフレームの直後（又は直前）にはＤＬサブフレームが存在し、例えば、ＵＬサブフレーム内の期間Ａ’〜期間Ｃ’のうち、期間Ａ’の前には、ＤＬサブフレームとの切替のためのガードタイムが設けられている。
【０２３０】
よって、実施の形態３と同様、ダウンリンクとアップリンクとの間に設けられたガードタイムでは、隣接する複数のＲＮ（或る端末が接続可能な複数のＲＮ）のうち一部のＲＮが、端末からの信号を受信することも可能である。
【０２３１】
そこで、本実施の形態では、マルチホップ通信を構成する複数の中継装置（ＲＮ）において、隣接する２つの中継装置配下の各端末のうち、一方の中継装置配下の端末は、接続している中継装置の送受信処理の切替のために設けられるガードタイムで自端末に関する制御情報を送信し、他方の中継装置配下の端末は、ダウンリンクとアップリンクとの間に設けられるガードタイムで自端末に関する制御情報を送信する。
【０２３２】
また、マルチホップ通信を構成する複数の中継装置（ＲＮ）において、隣接する２つの中継装置のうち、一方の中継装置は、他方の中継装置の送受信処理の切替のために設けられるガードタイムで他方の中継装置配下の端末からの制御情報を受信し、他方の中継装置は、ダウンリンクとアップリンクとの間に設けられるガードタイムで一方の中継装置配下の端末からの制御情報を受信する。
【０２３３】
以下、本実施の形態について具体的に説明する。なお、本実施の形態では、ダウンリンクとアップリンクとがサブフレーム単位で切り替わり、ＤＬサブフレームとＵＬサブフレームとの間にガードタイムを設けるとともに、ＵＬサブフレーム内の期間Ａ’と期間Ｂ’との間にガードタイムを設ける無線通信システムについて説明する。
【０２３４】
上記無線通信システムにおいて、本実施の形態に係る中継装置は、実施の形態４における中継装置の処理に加え、各ＵＬサブフレーム内の期間Ａ’と期間Ｂ’との間（期間ｐｏｓｔ−Ａ’）、及び、期間Ｂ’と期間Ｃ’との間にガードタイムを設け、ＤＬサブフレームとＵＬサブフレームとの間（期間ｐｒｅ−Ａ’）にガードタイムを設ける。ただし、中継装置は、期間Ａ’と期間Ｂ’との間のガードタイム（期間ｐｏｓｔ−Ａ’）、及び、ダウンリンクとアップリンクとの間のガードタイム（期間ｐｒｅ−Ａ’）のうちいずれか１つのガードタイムにおいて、上位ＲＮ配下の端末からの制御情報（つまり、干渉信号の制御情報）を受信する。なお、中継装置は、自装置配下の端末に対して、各端末に関する制御情報（ＵＬ制御情報）を通知している（つまり、自装置配下の端末向けの制御情報は既知である）。また、中継装置は、上位ＲＮに対して、上位ＲＮ配下の端末向けの制御情報を通知している。
【０２３５】
そして、中継装置は、期間ｐｒｅ−Ａ’又は期間ｐｏｓｔ−Ａ’で受信した、上位ＲＮ配下の端末からの制御情報（干渉信号の制御情報）を復調及び復号する。これにより、中継装置は、干渉信号（上位ＲＮ配下の端末からの中継信号）のマッピング位置及びＭＣＳ等を取得する。なお、中継装置では、自装置配下の端末向けの制御情報（所望信号の制御情報）は既知であるため、所望信号（自装置配下の端末からの中継信号）のマッピング位置及びＭＣＳ等を把握している。よって、中継装置は、実施の形態４と同様にして、期間ｐｒｅ−Ａ’又は期間ｐｏｓｔ−Ａ’で受信した上位ＲＮ配下の端末からの制御情報を用いて、期間Ｂ’又は期間Ｃ’で受信した中継信号に含まれる干渉信号を符号化及び変調する。そして、中継装置は、変調後の干渉信号（干渉信号のレプリカ）、及び、自装置配下の端末向けの制御情報（所望信号の制御情報）を用いて、期間Ａ’で受信した信号から干渉信号を除去することにより、自装置配下の端末から送信された中継信号（所望信号）を得る。
【０２３６】
本実施の形態に係る端末は、実施の形態４における端末の処理に加え、期間Ａ’と期間Ｂ’との間のガードタイムに対応する期間（以下、期間ｐｏｓｔ−Ａ’という）、及び、期間Ａ’の直前、つまり、ダウンリンクとアップリンクとの間のガードタイムに対応する期間（以下、期間ｐｒｅ−Ａ’という）の２つの期間のうちいずれか一方において、自端末に関する制御情報を送信する。例えば、端末は、Ｓｅｒｖｉｎｇ  ｃｅｌｌが期間ｐｏｓｔ−Ａ’にガードタイムを設ける場合には、期間ｐｏｓｔ−Ａ’で自端末に関する制御情報を送信する。また、端末は、Ｓｅｒｖｉｎｇ  ｃｅｌｌが期間ｐｏｓｔ−Ａ’にガードタイムを設けない場合には、期間ｐｒｅ−Ａ’で自端末に関する制御情報を送信する。なお、各端末では、自端末に関する制御情報（ＵＬ制御情報）は、Ｓｅｒｖｉｎｇ  ｃｅｌｌから通知される。
【０２３７】
次に、本実施の形態に係る中継装置及び端末における処理の詳細について説明する。
【０２３８】
以下の説明では、３つ以上のＲＮによりアップリンクにおけるマルチホップ通信を行う場合について説明する。ただし、図１７では、３つ以上のＲＮのうち、２つのＲＮ＃１及びＲＮ２のみを示す。また、図１７に示すＲＮ１とＲＮ２との間では、ＲＮ１が下位ＲＮであり、ＲＮ２が上位ＲＮである。また、図１７では、ＲＮ１にはＭＳ０（図示せず）が接続され、ＲＮ２にはＭＳ１が接続されている。また、図１７に示すＭＳ２はＲＮ３（図示せず）に接続されている。
【０２３９】
また、図１７では、送信処理を‘ＴＸ’で表し、受信処理を‘ＲＸ’で表す。
【０２４０】
図１７に示す期間ｐｒｅ−Ａ’では、ＲＮ２配下のＭＳ１は、ＭＳ１に関する制御情報を送信する。なお、ＭＳ１には、ＭＳ１に関する制御情報がＳｅｒｖｉｎｇ  ｃｅｌｌであるＲＮ２から通知される。また、ＲＮ２には、ＭＳ１に関する制御情報が下位ＲＮ（つまり、基地局により近いＲＮ）から通知される。そして、期間ｐｒｅ−Ａ’では、ＲＮ１は、ＭＳ１に関する制御情報を受信する。つまり、ＲＮ１は、期間ｐｒｅ−Ａ’において、期間Ａ’で干渉信号の送信元となるＭＳ１に関する制御情報（干渉信号の制御情報）を受信できる。そして、ＲＮ１は、期間ｐｒｅ−Ａ’で受信したＭＳ１に関する制御情報を用いて、ＲＮ１とＭＳ１との間のチャネル推定値（干渉信号に関するチャネル推定値）を取得する。また、期間ｐｒｅ−Ａ’では、ＲＮ２は、ガードタイムを設けるため、ＭＳ１に関する制御情報を受信しない。
【０２４１】
次いで、図１７に示す期間Ａ’では、ＲＮ１は、ＲＮ１配下のＭＳ０からの中継信号を受信し、ＲＮ２は、ＲＮ２配下のＭＳ１からの中継信号を受信する。ただし、ＲＮ１が期間Ａ’で受信する信号には、ＭＳ０からの中継信号（所望信号）の他に、ＲＮ２配下のＭＳ１からの中継信号（干渉信号）も含まれる。同様に、ＲＮ２が期間Ａ’で受信する信号には、ＭＳ１からの中継信号（所望信号）の他に、ＲＮ３配下のＭＳ２からの中継信号（干渉信号）も含まれる。
【０２４２】
次いで、図１７に示す期間ｐｏｓｔ−Ａ’では、ＲＮ３（図示せず）配下のＭＳ２は、ＭＳ２に関する制御情報を送信する。なお、ＭＳ２には、ＭＳ２に関する制御情報がＳｅｒｖｉｎｇ  ｃｅｌｌであるＲＮ３（図示せず）から通知される。また、ＲＮ３（図示せず）には、ＭＳ２に関する制御情報が下位ＲＮ（つまり、基地局により近いＲＮ）から通知される。そして、期間ｐｏｓｔ−Ａ’では、ＲＮ２は、ＭＳ２に関する制御情報を受信する。つまり、ＲＮ２は、期間ｐｏｓｔ−Ａ’において、期間Ａ’で干渉信号の送信元となるＭＳ２に関する制御情報（干渉信号の制御情報）を受信できる。そして、ＲＮ２は、期間ｐｏｓｔ−Ａ’で受信したＭＳ２に関する制御情報を用いて、ＲＮ２とＭＳ２との間のチャネル推定値（干渉信号に関するチャネル推定値）を取得する。また、期間ｐｏｓｔ−Ａ’では、ＲＮ１は、ガードタイムを設ける。
【０２４３】
図１４に示す期間Ｂ’では、奇数ＲＮであるＲＮ１は、下位の装置であるマクロセル基地局に対して中継信号を送信する。また、奇数ＲＮであるＲＮ３（図示せず）は、下位ＲＮであるＲＮ２に対して中継信号を送信する。また、図１４に示す期間Ｃ’では、偶数ＲＮであるＲＮ２は、下位ＲＮであるＲＮ１に対して中継信号を送信する。これにより、実施の形態４と同様、ＲＮ１は、期間Ａ’での干渉信号（ＲＮ２配下のＭＳ１から送信された信号）を、期間Ｃ’で受信した中継信号から抽出する。同様に、ＲＮ２は、期間Ａ’での干渉信号（ＲＮ３配下のＭＳ２から送信された信号）を、期間Ｂ’で受信した中継信号から抽出する。これにより、ＲＮ１及びＲＮ２は、期間ｐｒｅ−Ａ’又は期間ｐｏｓｔ−Ａ’で取得した干渉信号の制御情報を用いて、期間Ａ’における干渉信号のレプリカを取得する。
【０２４４】
そして、図１７に示すＲＮ１及びＲＮ２は、実施の形態４と同様にして、期間Ｂ’又は期間Ｃ’で取得した干渉信号のレプリカ、期間ｐｒｅ−Ａ’又は期間ｐｏｓｔ−Ａ’で取得した干渉信号に関するチャネル推定値、及び、既知である自装置配下の端末に関する制御情報（所望信号の制御情報）を用いて、期間Ａ’で受信した信号から干渉信号を除去することにより、所望信号を得る。
【０２４５】
このようにして、本実施の形態では、端末は、期間Ａ’と期間Ｂ’との間のガードタイム（送受信処理の切替のために設けられるガードタイム（期間ｐｏｓｔ−Ａ’））、又は、ダウンリンクとアップリンクとの間のガードタイム（ダウンリンクとアップリンクとの切替のために設けられるガードタイム（期間ｐｒｅ−Ａ’））のうちいずれか一方で、自端末に関する制御情報を送信する。そして、中継装置は、期間Ａ’と期間Ｂ’との間のガードタイム、又は、ダウンリンクとアップリンクとの間のガードタイムにおいて、上位ＲＮ配下の端末から送信される制御情報、つまり、干渉信号の制御情報を受信する。
【０２４６】
これにより、期間Ａ’と期間Ｂ’との間のガードタイムでは、送受信処理の切替が不要である中継装置（ここでは偶数ＲＮ）は、上位ＲＮ（ここでは奇数ＲＮ）配下の端末からの制御情報を、干渉を受けずに受信することができる。同様に、ダウンリンクとアップリンクとの間のガードタイムでは、期間Ａ’と期間Ｂ’との間でガードタイムを設ける必要がある中継装置（ここでは奇数ＲＮ）は、上位ＲＮ（ここでは偶数ＲＮ）からの制御情報を、干渉を受けずに受信することができる。
【０２４７】
このようにして、本実施の形態によれば、アップリンクにおいて、複数の中継装置間で同一周波数を用いてマルチホップ通信を行う場合でも、実施の形態４と同様、中継装置に接続されている端末からの信号に対する、他の中継装置に接続されている端末からの信号による干渉を低減させることができる。さらに、本実施の形態によれば、中継装置は、中継装置における送受信処理の切替、又は、ダウンリンクとアップリンクとの切替のためのガードタイムを、制御情報の通信に利用することで、干渉信号に関する制御情報を確実に得ることができる。このため、本実施の形態では、中継装置において、中継装置に接続されている端末からの信号に対する、他の中継装置に接続されている端末からの信号による干渉を確実に低減させることができる。
【０２４８】
（実施の形態７）
本実施の形態では、端末が、自端末向けの制御情報及び他の端末向けの制御情報（干渉信号の制御情報）を用いて干渉除去処理を行う点は実施の形態１〜３と同様である。これに対して、本実施の形態では、端末が干渉除去処理に用いる制御情報の通知方法が実施の形態２及び実施の形態３と異なる。
【０２４９】
以下、本実施の形態について具体的に説明する。まず、本実施の形態に係る中継装置について説明する。本実施の形態に係る中継装置１００（図２）は、実施の形態１と同様の構成であるが、受信処理部１０４、送信処理部１０６、及び、タイミング制御部１０９の動作が異なる。
【０２５０】
なお、本実施の形態では、基地局又は上位ＲＮから中継装置１００へ送信される中継信号には、既知信号（参照信号又はパイロット信号とも呼ばれる）、期間Ｃで送信される中継装置１００に接続された端末（中継装置１００配下の端末）向けの中継信号（データ信号及びそのデータ信号に対する制御情報）、中継装置１００よりも下位の中継装置（下位ＲＮ）に接続された端末向けの中継信号（データ信号及びそのデータ信号に対する制御情報）、及び、期間Ｃで送信される中継装置１００に接続された端末向けの中継データを中継する際に用いる制御情報等が含まれる。
【０２５１】
図２に示す中継装置１００において、受信処理部１０４は、まず、第１メモリ１０３から入力される中継信号に含まれる、中継装置間の中継信号に対する制御情報に対して復調及び復号を行う。ここで、制御情報のマッピング位置及びＭＣＳ（Modulation and Coding Scheme）は予め設定され既知である等、中継装置１００が知り得ている情報とする。また、制御情報には、中継装置間の中継信号（中継装置１００に接続された端末宛てのデータ及び／又は下位ＲＮに接続された端末宛てのデータ）のマッピング位置及びＭＣＳが含まれている。そして、受信処理部１０４は、制御情報に含まれるマッピング位置及びＭＣＳに基づいて、第１メモリ１０３から入力される中継信号に含まれるデータ信号に対して復調及び復号を行う。そして、受信処理部１０４は、復号後の信号を第２メモリ１０５に出力する。
【０２５２】
送信処理部１０６は、第２メモリ１０５から入力される信号（中継装置１００に接続された端末向け中継信号（中継装置１００に接続された端末向け中継データ）、中継装置１００に接続された端末向けの中継信号に対する制御情報（端末向けの制御情報。つまり、端末向けの中継データ伝送用制御情報）、下位ＲＮに接続された端末向け中継信号（下位ＲＮに接続された端末向け中継データ）、又は、下位ＲＮに接続された端末向けの中継信号に対する制御情報（ＲＮ向けの制御情報。つまり、中継装置間の中継データ伝送用制御情報））に対して符号化及び変調を行う。そして、送信処理部１０６は、変調後の信号を第１メモリ１０３に出力する。
【０２５３】
タイミング制御部１０９は、奇数／偶数切替部１０８から入力される設定情報に基づいて、第１メモリ１０３及び第２メモリ１０５に対して、中継信号の入出力タイミングを指示する。
【０２５４】
例えば、奇数／偶数切替部１０８から入力される設定情報が‘奇数’を示す場合（中継装置１００が奇数ＲＮの場合）、タイミング制御部１０９は、期間Ａにおいて、第１メモリ１０３に対して、期間Ｃで送信する中継装置１００配下の端末向けの中継データに対する制御情報、下位ＲＮ向けの中継データに対する制御情報、及び、下位ＲＮ向け中継データ（データ信号）を送信ＲＦ部１０７へ出力するように指示（読み出し指示）する。
【０２５５】
また、タイミング制御部１０９は、期間Ｂにおいて、第１メモリ１０３に対して受信ＲＦ部１０２から入力される中継信号（中継装置１００に接続された端末向け中継信号、下位ＲＮに接続された端末向け中継信号、及び、これらの中継信号に対する制御情報）を格納するように指示（書き込み指示）する。また、タイミング制御部１０９は、期間Ｂにおいて、第１メモリ１０３に中継信号が格納されると、第１メモリ１０３に対して、格納している中継信号を受信処理部１０４へ出力するように指示（読み出し指示）し、第２メモリ１０５に対して、受信処理部１０４から入力される信号（復号後の信号）を格納するように指示（書き込み指示）する。また、タイミング制御部１０９は、期間Ｂにおいて、第２メモリ１０５に復号後の信号が格納されると、第２メモリ１０５に対して、中継信号（中継装置１００に接続された端末向け中継信号及び／又は下位ＲＮに接続された端末向け中継信号、これらの中継信号に対する制御情報）を送信処理部１０６へ出力するように指示（読み出し指示）し、第１メモリ１０３に対して、送信処理部１０６から入力される中継信号（中継装置１００に接続された端末向け中継信号及び／又は下位ＲＮに接続された端末向け中継信号、これらの中継信号に対する制御情報）を格納するように指示（書き込み指示）する。
【０２５６】
一方、奇数／偶数切替部１０８から入力される設定情報が‘偶数’を示す場合（中継装置１００が偶数ＲＮの場合）には、タイミング制御部１０９は、設定情報が‘奇数’を示す場合における期間Ａと同様の処理を期間Ｂで行い、設定情報が‘奇数’を示す場合における期間Ｂと同様の処理を期間Ａで行う。つまり、奇数ＲＮと偶数ＲＮとの間では、タイミング制御部１０９での期間Ａ及び期間Ｂにおける処理の順序が入れ替わる。
【０２５７】
また、奇数／偶数切替部１０８から入力される設定情報がいずれの場合でも、タイミング制御部１０９は、期間Ｃにおいて、第１メモリ１０３に対して、中継装置１００に接続された端末向け中継信号を送信ＲＦ部１０７へ出力するように指示（読み出し指示）する。
【０２５８】
次に、本実施の形態に係る端末について説明する。本実施の形態に係る端末２００（図３）は、実施の形態１と同様の構成であるが、受信処理部２０７（受信部２０８及び干渉除去部２０９）、及び、タイミング制御部２１４の動作が異なる。
【０２５９】
なお、本実施の形態では、端末２００が接続している中継装置１００から送信される中継信号には、端末２００向けの中継信号（データ信号）及び既知信号が含まれる。
【０２６０】
図３に示す端末２００において、受信処理部２０７の受信部２０８は、第１メモリ２０３から入力される中継信号に対して復調及び復号を行う。具体的には、端末２００が隣接する２つの中継装置（ＲＮ）に接続可能である場合には、受信部２０８は以下の処理を行う。受信部２０８は、期間Ａ又は期間Ｂ（中継装置間の通信期間）において、端末２００が接続可能な２つの中継装置における上位ＲＮから下位ＲＮへ送信される中継信号（既知信号、期間Ｃで送信される端末２００向けの中継データに対する制御情報（端末２００向けの制御情報）、下位ＲＮ配下の他の端末向けの中継データ（下位ＲＮ向けの中継データ）、及び、下位ＲＮ配下の他の端末向けの中継データに対する制御情報（下位ＲＮ向けの制御情報））を受信する。更に、受信部２０８は、期間Ａ又は期間Ｂ（中継装置間の通信期間）において、端末２００が接続可能な２つの中継装置における下位ＲＮが送信する中継信号（期間Ｃで送信される、他の端末（端末２００にとっての干渉局）向けの中継データに対する制御情報）を受信する。そして、受信部２０８は、受信した中継信号に対して復調及び復号を行う。
【０２６１】
つまり、受信部２０８は、期間Ａ又は期間Ｂでは、他の端末向けの中継データと他の端末向けの制御情報（つまり、期間Ｃで端末２００に対して干渉を与え得る信号（干渉信号）と制御情報）、及び、端末２００向けの中継データに対する制御情報（つまり、期間Ｃで端末２００に対して送信される信号に対する制御情報）を受信する。そして、受信部２０８は、期間Ａ又は期間Ｂで受信した他の端末向けの中継データ（干渉信号）と他の端末向けの制御情報、及び、端末２００向けの制御情報を第２メモリ２１０に出力する。
【０２６２】
また、受信部２０８は、期間Ａ又は期間Ｂ（中継装置間の通信期間）における上位ＲＮから下位ＲＮへの中継信号に含まれる既知信号を用いて、端末２００が接続している中継装置（上位ＲＮ）と端末２００との間のチャネル推定値を算出し、チャネル推定値を第２メモリ２１０に出力する。同様に、受信部２０８は、期間Ａ又は期間Ｂ（中継装置間の通信期間）における下位ＲＮからの中継信号に含まれる既知信号を用いて、下位ＲＮと端末２００との間のチャネル推定値を算出し、干渉信号のチャネル推定値として第２メモリ２１０に出力する。
【０２６３】
受信処理部２０７の干渉除去部２０９は、第２メモリ２１０に格納されている、期間Ａ又は期間Ｂで受信された、他の端末向けの中継データ（干渉信号）、他の端末向けの制御情報、干渉信号のチャネル推定値、及び、端末２００向けの制御情報を用いて、期間Ｃで受信する中継信号から、期間Ｃに下位ＲＮから送信される他の端末向けの中継データを除去する。そして、受信部２０８は、ＤＬサブフレーム内の期間Ｃ（中継装置と端末との間の通信期間）で受信する中継信号において、干渉除去部２０９で干渉信号が除去された信号に対し復調及び復号を行うことで、上位ＲＮ（端末２００のＳｅｒｖｉｎｇ  ｃｅｌｌ）から送信される端末２００向けの中継データ（所望信号）を得る。
【０２６４】
タイミング制御部２１４は、タイミング制御部１０９（図２）と同様にして、奇数／偶数切替部２１３から入力される設定情報に基づいて、第１メモリ２０３及び第２メモリ２１０に対して、中継信号の入出力タイミングを指示する。
【０２６５】
例えば、奇数／偶数切替部２１３から入力される設定情報が‘奇数’を示す場合（Ｓｅｒｖｉｎｇ  ｃｅｌｌが奇数ＲＮの場合）、タイミング制御部２１４は、期間Ａにおいて、第１メモリ２０３に対して、受信ＲＦ部２０２から入力される、既知信号、下位ＲＮ向け中継信号、下位ＲＮ向けの制御情報、及び、端末２００向けの制御情報を格納するように指示（書き込み指示）する。また、タイミング制御部２１４は、期間Ａにおいて、第１メモリ２０３に下位ＲＮ向け中継信号、及び、端末２００向けの制御情報が格納されると、第１メモリ２０３に対して、既知信号、下位ＲＮ向け中継信号、下位ＲＮ向けの制御情報、及び、端末２００向けの制御情報を受信処理部２０７に出力するように指示（読み出し指示）し、第２メモリ２１０に対して、受信処理部２０７から入力される干渉信号（他の端末向け中継信号）及び端末２００向けの制御情報、更に、Ｓｅｒｖｉｎｇ  ｃｅｌｌと端末２００との間のチャネル推定値を格納するように指示（書き込み指示）する。
【０２６６】
また、タイミング制御部２１４は、期間Ｂにおいて、第１メモリ２０３に対して、受信ＲＦ部２０２から入力される、端末２００が接続可能な２つの中継装置のうち下位ＲＮから送信される中継信号（既知信号、及び、他の端末向けの制御情報）を格納するように指示（書き込み指示）する。また、タイミング制御部２１４は、期間Ｂにおいて、第１メモリ２０３に下位ＲＮからの中継信号が格納されると、第１メモリ２０３に対して、格納している下位ＲＮからの中継信号を受信処理部２０７へ出力するように指示（読み出し指示）し、第２メモリ２１０に対して、受信処理部２０７から入力される、下位ＲＮと端末２００との間のチャネル推定値を格納するように指示（書き込み指示）する。
【０２６７】
一方、奇数／偶数切替部２１３から入力される設定情報が‘偶数’を示す場合（Ｓｅｒｖｉｎｇ  ｃｅｌｌが偶数ＲＮの場合）には、タイミング制御部２１４は、設定情報が‘奇数’を示す場合における期間Ａと同様の処理を期間Ｂで行い、設定情報が‘奇数’を示す場合における期間Ｂと同様の処理を期間Ａで行う。つまり、奇数ＲＮに接続された端末２００と偶数ＲＮに接続された端末２００との間では、タイミング制御部２１４での期間Ａ及び期間Ｂにおける処理の順序が入れ替わる。
【０２６８】
また、奇数／偶数切替部２１３から入力される設定情報がいずれの場合でも、タイミング制御部２１４は、期間Ｃにおいて、第１メモリ２０３に対して、受信ＲＦ部２０２から入力される各ＲＮからの信号を格納するように指示（書き込み指示）する。また、タイミング制御部２１４は、期間Ｃにおいて、第１メモリ２０３に各ＲＮからの信号が格納されると、第１メモリ２０３に対して、格納している各ＲＮからの信号を受信処理部２０７に出力するように指示（読み出し指示）し、第２メモリ２１０に対して、期間Ａ及び期間Ｂで受信した、干渉信号、干渉信号に対する制御情報、端末２００向けの制御情報、Ｓｅｒｖｉｎｇ  ｃｅｌｌと端末２００との間のチャネル推定値及び下位ＲＮと端末２００との間のチャネル推定値を、受信処理部２０７に出力するように指示（読み出し指示）する。また、タイミング制御部２１４は、第２メモリ２１０に対して、受信処理部２０７から入力される信号（干渉除去後の信号）を格納するように指示（書き込み指示）する。
【０２６９】
次に、本実施の形態に係る中継装置１００及び端末２００における処理の詳細について説明する。
【０２７０】
以下の説明では、３つ以上のＲＮによりマルチホップ通信を行う場合について説明する。ただし、図１８では、３つ以上のＲＮのうち、３つのＲＮ１、ＲＮ２及びＲＮ３のみを示す。また、図１８に示すＲＮ１とＲＮ２との間では、ＲＮ１が上位ＲＮであり、ＲＮ２が下位ＲＮである。また、図１８に示すＲＮ２とＲＮ３との間では、ＲＮ２が上位ＲＮであり、ＲＮ３が下位ＲＮである。また、図１８では、ＲＮ１にはＭＳ１が接続され、ＲＮ２にはＭＳ２が接続されている。なお、図１８に示すＲＮ１、ＲＮ２及びＲＮ３は図２に示す中継装置１００の構成を備え、ＭＳ１及びＭＳ２は図３に示す端末２００の構成を備える。
【０２７１】
また、図１８では、送信処理を‘ＴＸ’で表し、受信処理を‘ＲＸ’で表す。
【０２７２】
また、図１８では、中継装置間の中継データ伝送用制御情報（下位ＲＮ向けの制御情報）を‘制御情報 for RN’と表し、中継装置間の中継データ（下位ＲＮ向けの中継データ）を‘データto RN’と表す。同様に、図１８では、端末向けの中継データ伝送用制御情報（端末向けの制御情報）を‘制御情報for MS’と表し、端末向け中継データを‘データ to MS’と表す。つまり、図１８の点線矢印に示すように、‘制御情報 for MS’は‘データ to MS’の中継の際に用いる制御情報（マッピング位置及びＭＣＳ等）であり、‘制御情報 for RN’は‘データ to RN’の中継の際に用いる制御情報（マッピング位置及びＭＣＳ等）である。
【０２７３】
なお、ここでは、図１８に示すＲＮ２（偶数ＲＮ）、及び、ＲＮ２に接続しているＭＳ２（ＲＮ２配下のＭＳ２）における制御情報通知処理に着目して説明する。
【０２７４】
図１８に示すＤＬサブフレーム内の期間Ａでは、ＲＮ２は、上位ＲＮであるＲＮ１から、既知信号、中継装置間の中継データ伝送用制御情報（制御情報 for RN）、及び、中継装置間の中継データ（データ to RN）を受信する。一方、期間Ａでは、ＭＳ２は、ＲＮ３から、ＲＮ３の下位ＲＮへ送信された、既知信号、及び、ＲＮ３配下の端末向け中継データ伝送用制御情報（制御情報 for MS）を受信する。そして、ＭＳ２は、ＲＮ３からの既知信号を用いて、ＲＮ３とＭＳ２との間のチャネル推定値（期間Ｃにおける干渉信号に関するチャネル推定値）を取得する。また、ＭＳ２は、期間ＡではＲＮ３から送信されるＲＮ３配下の端末（図示せず）向け制御情報（干渉信号の制御情報）を取得する。
【０２７５】
次いで、図１８に示すＤＬサブフレーム内の期間Ｂでは、ＲＮ２は、既知信号、ＲＮ２配下の端末（ＭＳ２）向け中継データ伝送用制御情報（制御情報 for MS）、中継装置間の中継データ伝送用制御情報（制御情報 for RN）、及び、中継装置間の中継データ（データ to RN）を送信する。一方、期間Ｂでは、ＭＳ２は、ＲＮ２からＭＳ２へ送信された、ＲＮ２配下の端末（ＭＳ２）向け中継データ伝送用制御情報（制御情報 for MS）を受信する。また、ＭＳ２は、ＲＮ２からＲＮ３へ送信された、既知信号、中継装置間の中継データ伝送用制御情報（制御情報 for RN）、及び、中継装置間の中継データ（データ to RN）を受信する。そして、ＭＳ２は、期間ＢではＲＮ２から送信されるＲＮ３配下の端末向け中継データ及び制御情報を用いて、期間ＣにおけるＭＳ２に対する干渉信号を取得する。また、ＭＳ２は、期間ＢではＲＮ２から送信される既知信号を用いて、ＲＮ２とＭＳ２との間のチャネル推定値（所望信号に関するチャネル推定値）を取得する。また、ＭＳ２は、期間ＢではＲＮ２から送信されるＭＳ２向け制御情報（所望信号の制御情報）を取得する。
【０２７６】
次いで、図１８に示すＤＬサブフレーム内の期間Ｃでは、ＲＮ２は、ＲＮ２配下の端末（ＭＳ２）向け中継データ（データ to MS）をＭＳ２へ送信する。一方、期間Ｃでは、ＭＳ２は、ＲＮ２からの、ＲＮ２配下の端末（ＭＳ２）向け中継データ（データ to MS）を受信する。そして、ＭＳ２は、期間Ａ及び期間Ｂで取得した、干渉信号、干渉信号の制御情報、ＭＳ２向けの制御情報、ＲＮ２とＭＳ２との間のチャネル推定値、及び、ＲＮ３とＭＳ２との間のチャネル推定値を用いて、期間Ｃで受信した信号（ＲＮ２からの中継データ（所望信号）及びＲＮ３からの中継データ（干渉信号））から干渉信号を除去することにより、所望信号を得る。
【０２７７】
このように、中継装置１００は、期間Ｃで端末２００に送信する中継データに対する制御情報（端末２００向け中継データのマッピング位置及びＭＣＳ等）を、中継装置間の通信時（期間Ａ又は期間Ｂ）に送信する。例えば、図１８では、期間Ａにおいて、奇数ＲＮ（ＲＮ１及びＲＮ３）は、期間Ｃで自装置配下の端末に送信する中継データ（データ to MS）に対する制御情報（制御情報 for MS）を送信する。また、図１８では、期間Ｂにおいて、偶数ＲＮ（ＲＮ２）は、期間Ｃで自装置配下の端末に送信する中継データ（データ to MS）に対する制御情報（制御情報 for MS）を送信する。
【０２７８】
そして、端末２００は、端末２００が接続する中継装置１００が期間Ａ又は期間Ｂで送信する端末２００向けの制御情報と、端末２００が接続する中継装置１００の下位ＲＮが期間Ｂ又は期間Ａ（つまり、中継装置１００と異なる期間）で送信する、下位ＲＮ配下の端末向けの制御情報（干渉信号の制御情報）と、を受信する。これにより、端末２００は、期間Ａ又は期間Ｂで、端末２００が接続可能な隣接する２つの中継装置（図１８に示すＭＳ２に対するＲＮ２及びＲＮ３）から、端末２００向け制御情報（所望信号の制御情報）及び下位ＲＮ配下の端末向け制御情報（干渉信号の制御情報）を、それぞれ干渉無く受信できるので、干渉除去（干渉キャンセラ）を精度良く行うことができる。
【０２７９】
このようにして、本実施の形態によれば、複数の中継装置間で同一周波数を用いてマルチホップ通信を行う場合でも、実施の形態１と同様、端末が接続している中継装置からの信号に対する、他の中継装置からの信号による干渉を低減させることができる。さらに、本実施の形態によれば、端末は、中継装置間の通信期間（期間Ａ及び期間Ｂ）を、端末向けの制御情報の通信に利用することで、所望信号（自端末向けの中継データ）に関する制御情報及び干渉信号（他の端末向けの中継データ）に関する制御情報を確実に得ることができる。このため、本実施の形態では、実施の形態２及び実施の形態３と同様、端末が接続している中継装置からの信号に対する他の中継装置からの信号による干渉を確実に低減させることができる。
【０２８０】
（実施の形態８）
本実施の形態では、端末は、実施の形態７と同様にして、中継装置間の通信期間で端末向けの制御情報を受信する。更に、本実施の形態では、端末向けの制御情報に設けられた制御ヘッダに各端末向けの中継データ（中継信号）の有無を示す通知情報を含める場合について説明する。
【０２８１】
以下、本実施の形態について具体的に説明する。
【０２８２】
本実施の形態に係る中継装置１００（図２）は、実施の形態７と同様の構成であり、実施の形態７と同様の動作を行う。つまり、中継装置１００は、実施の形態７と同様、期間Ａ又は期間Ｂでは、既知信号、中継装置１００配下の端末向けの制御情報、中継装置１００よりも下位の中継装置（下位ＲＮ）に接続された端末向けの中継データ（下位ＲＮ向けの中継データ）、及び、下位ＲＮに接続された端末向けの制御情報を送信する。また、中継装置１００は、実施の形態７と同様、期間Ｃでは、中継装置１００配下の端末向けの中継データ（データ信号）を送信する。
【０２８３】
ここで、各制御情報には制御ヘッダが設けられている。制御ヘッダには、制御情報の長さ（データ量）、制御情報が割り当てられた時間リソース又は周波数リソースを端末が把握するための情報（つまり、制御情報に続くデータの開始位置を把握するための情報）、又は、ＭＣＳ等の制御情報に対する変調方式、チャネル符号化率を端末が把握するための情報が含まれる。
【０２８４】
ただし、本実施の形態に係る中継装置１００では、中継装置１００配下の端末向けの制御情報に設けられた制御ヘッダには、更に、端末向けの中継信号（中継データ及び制御情報）の有無を示す通知情報が含まれる。
【０２８５】
また、中継装置１００は、実施の形態３と同様にして、隣接するＲＮにおける送受信処理の切替のために設けられるガードタイム（期間Ｂと期間Ｃとの間）で既知信号を送信する。
【０２８６】
図１９は、本実施の形態に係る端末の構成を示すブロック図である。なお、図１９に示す端末７００において、実施の形態７（図３）と同一構成要素には同一の符号を付しその説明を省略する。
【０２８７】
図１９に示す端末７００において、受信処理部２０７の受信部２０８は、第１メモリ２０３から入力される中継信号に対して復調及び復号を行う。具体的には、端末２００が隣接する２つの中継装置（ＲＮ）に接続可能である場合には、受信部２０８は以下の処理を行う。受信部２０８は、期間Ａ又は期間Ｂ（中継装置間の通信期間）において、端末２００が接続可能な２つの中継装置における上位ＲＮから下位ＲＮへ送信される中継信号（既知信号、期間Ｃで送信される端末２００向けの中継データに対する制御情報とその制御ヘッダ（以下、ＣＨ’で表す）、下位ＲＮ向け制御情報とその制御ヘッダ（以下、ＣＨで表す）、及び、下位ＲＮ配下の他の端末向けの中継データ）を受信する。
【０２８８】
ただし、受信部２０８は、まず、期間Ｃで送信される端末２００向けの中継データに対する制御情報の制御ヘッダＣＨ’に対して復調及び復号を行い、復号後の制御ヘッダＣＨ’を中継信号有無検出部７０１に出力する。
【０２８９】
次いで、受信部２０８は、端末７００向けの中継信号（中継データ及び制御情報）が有る旨を示す情報が中継信号有無検出部７０１（後述する）から入力された場合、期間Ｃで送信される端末７００向けの中継データに対する制御情報、下位ＲＮ向け制御情報とその制御ヘッダＣＨ、及び、下位ＲＮ向けの中継データに対して、復調及び復号を行う。更に、受信部２０８は、期間Ａ又は期間Ｂ（中継装置間の通信期間）において、端末７００が接続可能な２つの中継装置における下位ＲＮが送信する中継信号（既知信号、期間Ｃで送信される他の端末（端末７００にとっての干渉局）向けの中継データに対する制御情報とその制御ヘッダＣＨ’）を受信する。そして、受信部２０８は、受信した中継信号に対して復調及び復号を行う。
【０２９０】
また、受信部２０８は、端末７００向けの中継信号（中継データ及び制御情報）が有る旨を示す情報が中継信号有無検出部７０１から入力された場合、隣接する２つのＲＮのうち一方のＲＮにおける送受信処理の切替のために設けられるガードタイム（期間Ｂと期間Ｃとの間）で、他方のＲＮから送信される既知信号を受信する。そして、受信部２０８は、既知信号を送信したＲＮと端末７００との間のチャネル推定値を算出し、チャネル推定値を第２メモリ２１０に出力する。同様に、受信部２０８は、期間Ａ〜Ｃで送信される各ＲＮからの既知信号を用いて、各ＲＮと端末７００との間のチャネル推定値を算出し、チャネル推定値を第２メモリ２１０に出力する。
【０２９１】
一方、受信部２０８は、端末７００向けの中継信号（中継データ及び制御情報）が無い旨を示す情報が中継信号有無検出部７０１から入力された場合、端末７００向けの中継信号が存在しないＤＬサブフレームでの受信処理を停止する。
【０２９２】
中継信号有無検出部７０１は、受信部２０８から入力される制御ヘッダＣＨ’に含まれる通知情報を用いて、端末７００向けの中継信号（中継データ及び制御情報）が有るか無いかを判断する（中継信号の有無を検出する）。つまり、中継信号有無検出部７０１は、端末７００向けの制御情報に設けられた制御ヘッダＣＨ’に含まれる、端末７００向けの中継信号の有無を示す通知情報を検出して、端末７００向けの中継信号が中継装置１００（端末７００が接続している上位ＲＮ）から送信されるか否かを判断する。そして、中継信号有無検出部７０１は、中継信号の有無を示す情報（‘有り’又は‘無し’）を、受信部２０８及びタイミング制御部２１４に出力する。
【０２９３】
タイミング制御部２１４は、端末７００向けの中継信号が有る旨を示す情報が中継信号有無検出部７０１から入力された場合、実施の形態７と同様にして、奇数／偶数切替部２１３から入力される設定情報に基づいて、第１メモリ２０３及び第２メモリ２１０に対して、中継信号の入出力タイミングを指示する。一方、タイミング制御部２１４は、端末７００向けの中継信号が無い旨を示す情報が中継信号有無検出部７０１から入力された場合、端末７００向けの中継信号が存在しないＤＬサブフレームでの受信処理を停止するように、第１メモリ２０３及び第２メモリ２１０に対して指示する。
【０２９４】
次に、本実施の形態に係る中継装置１００及び端末７００における処理の詳細について説明する。
【０２９５】
以下の説明では、実施の形態７（図１８）と同様、３つ以上のＲＮによりマルチホップ通信を行う場合について説明する。ただし、図２０及び図２１では、３つ以上のＲＮのうち、３つのＲＮ１、ＲＮ２及びＲＮ３のみを示す。また、図２０及び図２１に示すＲＮ１とＲＮ２との間では、ＲＮ１が上位ＲＮであり、ＲＮ２が下位ＲＮである。また、図２０及び図２１に示すＲＮ２とＲＮ３との間では、ＲＮ２が上位ＲＮであり、ＲＮ３が下位ＲＮである。また、図２０及び図２１では、ＲＮ１にはＭＳ１が接続され、ＲＮ２にはＭＳ２が接続されている。なお、図２０及び図２１に示すＲＮ１、ＲＮ２及びＲＮ３は図２に示す中継装置１００の構成を備え、ＭＳ１及びＭＳ２は図１９に示す端末７００の構成を備える。
【０２９６】
また、図２０及び図２１では、送信処理を‘ＴＸ’で表し、受信処理を‘ＲＸ’で表す。
【０２９７】
また、図２０及び図２１では、中継装置間の中継データ伝送用制御情報（下位ＲＮ向けの制御情報）を‘制御情報 for RN’と表し、中継装置間の中継データ伝送用制御情報の制御ヘッダを「ＣＨ」と表し、中継装置間の中継データ（下位ＲＮ向けの中継データ）を‘データ to RN’と表す。また、図２０及び図２１では、端末向けの中継データ伝送用制御情報（端末向けの制御情報）を‘制御情報 for MS’と表し、端末向けの中継データ伝送用制御情報の制御ヘッダを「ＣＨ’」と表し、端末向け中継データを‘データ to MS’と表す。
【０２９８】
なお、ここでは、図２０及び図２１に示すＲＮ１（奇数ＲＮ）、及び、ＲＮ１に接続しているＭＳ１（ＲＮ１配下のＭＳ１）における制御情報通知処理に着目して説明する。
【０２９９】
まず、図２０に示すように、ＤＬサブフレームにおいてＭＳ１向けの中継データ（データ to MS）がＲＮ１からＭＳ１に送信される場合について説明する。
【０３００】
すなわち、図２０に示すＤＬサブフレーム内の期間Ａでは、ＲＮ１は、既知信号、ＲＮ１配下の端末（ＭＳ１）向け中継データ伝送用制御情報（制御情報 for MS）とその制御ヘッダＣＨ’、中継装置間の中継データ伝送用制御情報（制御情報for RN）とその制御ヘッダＣＨ、及び、中継装置間の中継データ（データ to RN）を送信する。このとき、制御ヘッダＣＨ’には、ＲＮ１配下の端末（ＭＳ１）向け中継信号（データ to MS）が含まれること（割当データ有り）を示す通知情報が含まれる。
【０３０１】
また、期間Ｂでは、ＲＮ１は、上位装置から、既知信号、上位装置配下の端末向け中継データ伝送用制御情報の制御ヘッダＣＨ’、中継装置間の中継データ伝送用制御情報（制御情報 for RN）とその制御ヘッダＣＨ、及び、中継装置間の中継データ（データ to RN）を受信する。また、期間Ｃでは、ＲＮ１は、ＲＮ１配下の端末（ＭＳ１）向け中継データ（データ to MS）をＭＳ１へ送信する。
【０３０２】
一方、図２０に示すＤＬサブフレーム内の期間Ａでは、ＭＳ１（受信部２０８）は、まず、ＲＮ１配下の端末（ＭＳ１）向け中継データ伝送用制御情報の制御ヘッダＣＨ’を受信し、制御ヘッダＣＨ’に対して復調及び復号を行う。そして、ＭＳ１（中継信号有無検出部７０１）は、制御ヘッダＣＨ’に含まれる通知情報を用いて、ＭＳ１向けの中継データ（データ to MS）がＲＮ１から送信されると判断する。
【０３０３】
そこで、ＭＳ１は、実施の形態７と同様、期間Ａでは、更に、ＲＮ２配下の端末（ＭＳ２）向け中継データ伝送用制御情報（制御情報 for MS）、ＲＮ１からＲＮ２へ送信された、既知信号、中継装置間の中継データ伝送用制御情報（制御情報 for RN）とその制御ヘッダＣＨ、及び、中継装置間の中継データ（データ to RN）を受信する。また、期間Ｂでは、ＭＳ１は、ＲＮ２からＲＮ３へ送信された、既知信号、及び、ＲＮ２配下の端末（ＭＳ２）向け中継データ伝送用制御情報（制御情報 for MS）とその制御ヘッダＣＨ’を受信する。また、期間Ｃでは、ＭＳ１は、ＲＮ１からの、ＲＮ１配下の端末（ＭＳ１）向け中継データ（データ to MS）を受信する。そして、ＭＳ１は、実施の形態７と同様にして、期間Ａ及び期間Ｂで取得した、干渉信号、干渉信号の制御情報、ＭＳ１向けの制御情報、ＲＮ１とＭＳ１との間のチャネル推定値、及び、ＲＮ２とＭＳ１との間のチャネル推定値を用いて、期間Ｃで受信した信号（ＲＮ１からの中継データ（所望信号）及びＲＮ２からの中継データ（干渉信号））から干渉信号を除去することにより、所望信号を得る。
【０３０４】
次に、図２１に示すように、ＤＬサブフレームにおいてＭＳ１向けの中継データ（データ to MS）がＲＮ１からＭＳ１に送信されない場合について説明する。
【０３０５】
すなわち、図２１に示すＤＬサブフレーム内の期間Ａでは、ＲＮ１は、既知信号、ＲＮ１配下の端末（ＭＳ１）向け中継データ伝送用制御情報（制御情報 for MS）の制御ヘッダＣＨ’、中継装置間の中継データ伝送用制御情報（制御情報for RN）とその制御ヘッダＣＨ、及び、中継装置間の中継データ（データ to RN）を送信する。つまり、図２１に示すＤＬサブフレームでは、ＲＮ１は、ＭＳ１向け中継データ伝送用制御情報（制御情報 for MS）及びＭＳ１向け中継データ（データ to MS）を送信しない。なお、期間Ａで送信される制御ヘッダＣＨ’には、ＲＮ１配下の端末（ＭＳ１）向け中継データ（データ to MS）が含まれないこと（割当データ無し）を示す通知情報が含まれる。
【０３０６】
一方、図２１に示すＤＬサブフレーム内の期間Ａでは、ＭＳ１（受信部２０８）は、図２０と同様に、まず、ＲＮ１配下の端末（ＭＳ１）向け中継データ伝送用制御情報の制御ヘッダＣＨ’を受信し、制御ヘッダＣＨ’に対して復調及び復号を行う。そして、ＭＳ１（中継信号有無検出部７０１）は、制御ヘッダＣＨ’に含まれる通知情報を用いて、ＭＳ１向けの中継データ（データ to MS）がＲＮ１から送信されないと判断する。そこで、ＭＳ１は、図２１に示すＤＬサブフレームでの、制御ヘッダＣＨ’よりも後の受信処理（復調及び復号）を停止する。
【０３０７】
このように、端末７００は、制御ヘッダＣＨ’に含まれる通知情報を用いて、接続している中継装置１００（上位ＲＮ）から端末７００向けの中継信号（中継データ及び制御情報）が送信されると判断した場合（図２０）、実施の形態７と同様にして、期間Ａ又は期間Ｂにおいて上位ＲＮから送信される端末７００向けの制御情報、及び、下位ＲＮから送信される他の端末装置向けの制御情報の受信処理を行う。そして、端末７００は、実施の形態７と同様にして、期間Ｃで干渉除去処理を行う。
【０３０８】
つまり、端末７００は、期間Ｃにおいて端末７００向けの中継信号が有る場合には、実施の形態７と同様、期間Ａ又は期間Ｂで、端末７００が接続可能な隣接する２つの中継装置（図２０に示すＭＳ１に対するＲＮ１及びＲＮ２）から、端末７００向け制御情報及び下位ＲＮ配下の端末向け制御情報を、それぞれ干渉無く受信できるので、干渉除去（干渉キャンセラ）を精度良く行うことができる。
【０３０９】
これに対して、端末７００は、制御ヘッダＣＨ’に含まれる通知情報を用いて、接続している中継装置１００（上位ＲＮ）から端末７００向けの中継信号が送信されないと判断した場合（図２１）、期間Ａ又は期間Ｂにおいて上位ＲＮから送信される端末７００向けの制御情報、及び、下位ＲＮから送信される他の端末装置向けの制御情報の受信処理を停止する。
【０３１０】
つまり、端末７００は、期間Ｃにおいて端末７００向けの中継信号を受信する場合（つまり、干渉除去処理が必要な場合）にのみ、期間Ａ及び期間Ｂでの中継信号の受信処理を動作させる。すなわち、端末７００は、期間Ｃにおいて端末７００向けの中継データが無い場合には、期間Ａ又は期間Ｂにおいて中継信号の受信処理を停止させることで、干渉信号及び干渉信号の制御情報の受信処理、及び、干渉局とのチャネル推定処理等の無駄な処理を抑えることができる。
【０３１１】
このようにして、本実施の形態によれば、複数の中継装置間で同一周波数を用いてマルチホップ通信を行う場合でも、実施の形態１と同様、端末が接続している中継装置からの信号に対する、他の中継装置からの信号による干渉を低減させることができる。更に、本実施の形態によれば、端末は、中継装置間の通信期間（期間Ａ及び期間Ｂ）を、端末向けの制御情報の通信に利用することで、所望信号（自端末向けの中継データ）に関する制御情報及び干渉信号（他の端末向けの中継データ）に関する制御情報を確実に得ることができる。このため、本実施の形態では、実施の形態７と同様、端末が接続している中継装置からの信号に対する他の中継装置からの信号による干渉を確実に低減させることができる。更に、本実施の形態によれば、或るサブフレームにおいて、端末向けの中継データが存在しない場合（干渉除去処理が不要な場合）、端末は、各中継装置からの中継信号の受信処理を停止することで、干渉除去処理に関する無駄な処理を抑えることができる。
【０３１２】
（実施の形態９）
実施の形態８では、端末向けの制御情報に設けられた制御ヘッダに端末向けの中継信号の有無を示す通知情報を含める場合について説明した。これに対して、本実施の形態では、中継装置が、或るサブフレームにおける端末向けの中継信号（中継データ及び制御情報）の有無を示す情報を、そのサブフレームの直前のサブフレーム（前回のサブフレーム）で送信する場合について説明する。
【０３１３】
以下、本実施の形態について具体的に説明する。
【０３１４】
図２２は、本実施の形態に係る中継装置８００である。なお、図２２に示す中継装置８００において、実施の形態８の中継装置１００（図２）と同一構成には同一の符号を付しその説明を省略する。図２２に示す中継装置８００は、次サブフレーム送信情報生成部８０１が追加された点、及び、受信処理部１０４及びタイミング制御部１０９の動作が中継装置１００と異なる。
【０３１５】
図２２に示す中継装置８００において、受信処理部１０４は、まず、第１メモリ１０３から入力される中継信号に含まれる中継装置間の中継信号に対する制御情報に対して復調及び復号を行う。ここで、制御情報のマッピング位置及びＭＣＳ（Modulation and Coding Scheme）等は、その制御情報に設けられた制御ヘッダで通知される。また、制御情報には、中継装置間の中継信号（中継装置１００に接続された端末宛てのデータ及び/又は下位ＲＮに接続された端末宛てのデータ）のマッピング位置及びＭＣＳが含まれている。そして、受信処理部１０４は、制御情報に含まれるマッピング位置及びＭＣＳに基づいて、第１メモリ１０３から入力される中継信号に含まれるデータ信号に対して復調及び復号を行う。そして、受信処理部１０４は、復号後の信号を第２メモリ１０５に出力する。
【０３１６】
さらに、受信処理部１０４は、受信した中継信号に、現在のサブフレームの次のサブフレームで送信される中継装置８００配下の端末向けの中継信号が含まれていたか否かを検出する。そして、受信処理部１０４は、受信した中継信号に、次のサブフレームで送信される中継信号が含まれていた場合には、中継装置８００配下のどの端末向けの中継信号であるかを示す情報を、次サブフレーム送信情報生成部８０１に出力する。
【０３１７】
次サブフレーム送信情報生成部８０１は、受信処理部１０４から入力される情報に基づいて、中継装置８００配下の全端末に対して次のサブフレームで送信する中継信号が存在するか否かをマッピングした情報を、次サブフレーム送信情報として生成する。そして、次サブフレーム送信情報生成部８０１は、生成した次サブフレーム送信情報を、第２メモリ１０５に出力する。これにより、第２メモリ１０５には、次サブフレーム送信情報が格納（書込）される。
【０３１８】
タイミング制御部１０９は、奇数／偶数切替部１０８から入力される設定情報に基づいて、第１メモリ１０３及び第２メモリ１０５に対して、中継信号の入出力タイミングを指示する。
【０３１９】
例えば、奇数／偶数切替部１０８から入力される設定情報が‘奇数’を示す場合（中継装置８００が奇数ＲＮの場合）、タイミング制御部１０９は、期間Ａにおいて、第１メモリ１０３に対して、期間Ｃで送信する中継装置１００配下の端末向けの中継データに対する制御情報とその制御ヘッダ、下位ＲＮ向けの中継データに対する制御情報とその制御ヘッダ、及び、下位ＲＮ向け中継信号を送信ＲＦ部１０７へ出力するように指示（読み出し指示）する。
【０３２０】
また、タイミング制御部１０９は、期間Ｂにおいて、第１メモリ１０３に対して受信ＲＦ部１０２から入力される中継信号（中継装置１００に接続された端末向け中継信号及び/又は下位ＲＮに接続された端末向け中継信号、各中継信号に対する制御情報）を格納するように指示（書き込み指示）する。また、タイミング制御部１０９は、期間Ｂにおいて、第１メモリ１０３に中継信号が格納されると、第１メモリ１０３に対して、格納している中継信号を受信処理部１０４へ出力するように指示（読み出し指示）し、第２メモリ１０５に対して、受信処理部１０４から入力される信号（復号後の信号）及び次サブフレーム送信情報生成部８０１から入力される次サブフレーム送信情報を格納するように指示（書き込み指示）する。また、タイミング制御部１０９は、期間Ｂにおいて、第２メモリ１０５に復号後の信号が格納されると、第２メモリ１０５に対して、中継信号（中継装置１００に接続された端末向け中継信号及び/又は下位ＲＮに接続された端末向け中継信号、各中継信号に対する制御情報、及び、次サブフレーム送信情報）を送信処理部１０６へ出力するように指示（読み出し指示）する。また、タイミング制御部１０９は、期間Ｂにおいて、第１メモリ１０３に対して、送信処理部１０６から入力される中継信号（中継装置１００に接続された端末向け中継信号及び/又は下位ＲＮに接続された端末向け中継信号、各中継信号に対する制御情報、及び、次サブフレーム送信情報）を格納するように指示（書き込み指示）する。
【０３２１】
一方、奇数／偶数切替部１０８から入力される設定情報が‘偶数’を示す場合（中継装置１００が偶数ＲＮの場合）には、タイミング制御部１０９は、設定情報が‘奇数’を示す場合における期間Ａと同様の処理を期間Ｂで行い、設定情報が‘奇数’を示す場合における期間Ｂと同様の処理を期間Ａで行う。つまり、奇数ＲＮと偶数ＲＮとの間では、タイミング制御部１０９での期間Ａ及び期間Ｂにおける処理の順序が入れ替わる。
【０３２２】
また、奇数／偶数切替部１０８から入力される設定情報がいずれの場合でも、タイミング制御部１０９は、期間Ｃにおいて、第１メモリ１０３に対して、中継装置１００に接続された端末向け中継信号を送信ＲＦ部１０７へ出力するように指示（読み出し指示）する。また、奇数／偶数切替部１０８から入力される設定情報がいずれの場合でも、タイミング制御部１０９は、期間Ｃの後のタイミング（例えば、サブフレームの最後尾）において、第１メモリ１０３に対して、次サブフレーム送信情報を送信ＲＦ部１０７へ出力するように指示（読み出し指示）する。
【０３２３】
また、中継装置１００は、実施の形態８と同様にして、隣接するＲＮにおける送受信処理の切替のために設けられるガードタイム（期間Ｂと期間Ｃとの間）で既知信号を送信する。
【０３２４】
次に、本実施の形態に係る端末について説明する。本実施の形態に係る端末７００（図１９）は、実施の形態８と同様の構成であり、受信部２０８、タイミング制御部２１４、及び中継信号有無検出部７０１の動作のみが異なる。
【０３２５】
本実施の形態に係る端末７００において、受信処理部２０７の受信部２０８は、第１メモリ２０３から入力される中継信号に対して復調及び復号を行う。具体的には、端末７００が隣接する２つの中継装置（ＲＮ）に接続可能である場合には、受信部２０８は以下の処理を行う。受信部２０８は、まず、前回のサブフレームの期間Ｃの後のタイミングで受信した次サブフレーム送信情報に対して復調及び復号を行い、復号後の次サブフレーム送信情報を中継信号有無検出部７０１に出力する。なお、前回のサブフレームで受信した次サブフレーム送信情報には、現在のサブフレームにおいて端末７００向けの中継信号の有無が示されている。
【０３２６】
次いで、受信部２０８は、現在のサブフレームにおいて端末７００向けの中継信号が有る旨を示す情報が中継信号有無検出部７０１（後述する）から入力された場合、期間Ａ又は期間Ｂ（中継装置間の通信期間）において、端末７００が接続可能な２つの中継装置における上位ＲＮが送信する中継信号（既知信号、期間Ｃで送信される端末２００向けの中継データに対する制御情報とその制御ヘッダ（以下、ＣＨ’で表す）、下位ＲＮ向け制御情報とその制御ヘッダ（以下、ＣＨで表す）、及び、下位ＲＮ向けの中継データ）を受信し、受信した中継信号に対して復調及び復号を行う。更に、受信部２０８は、期間Ａ又は期間Ｂ（中継装置間の通信期間）において、端末７００が接続可能な２つの中継装置における下位ＲＮ送信する中継信号（既知信号、期間Ｃで送信される、他の端末（端末７００にとっての干渉局）向けの中継データに対する制御情報とその制御ヘッダＣＨ’）を受信し、受信した中継信号に対して復調及び復号を行う。
【０３２７】
また、受信部２０８は、端末７００向けの中継信号が有る旨を示す情報が中継信号有無検出部７０１から入力された場合、隣接する２つのＲＮのうち一方のＲＮにおける送受信処理の切替のために設けられるガードタイム（期間Ｂと期間Ｃとの間）で、他方のＲＮから送信される既知信号を受信する。そして、受信部２０８は、既知信号を送信したＲＮと端末７００との間のチャネル推定値を算出し、チャネル推定値を第２メモリ２１０に出力する。同様に、受信部２０８は、期間Ａ〜Ｃで送信される各ＲＮからの既知信号を用いて、各ＲＮと端末７００との間のチャネル推定値を算出し、チャネル推定値を第２メモリ２１０に出力する。
【０３２８】
一方、受信部２０８は、現在のサブフレームにおいて端末７００向けの中継信号が無い旨を示す情報が中継信号有無検出部７０１から入力された場合、期間Ａにおいて端末７００が接続可能な２つの中継装置における上位ＲＮから下位ＲＮへ送信される中継信号（既知信号のみ）を受信し、上位ＲＮとの同期を維持する。また、受信部２０８は、現在のサブフレームのうち期間Ｃの後のタイミングで次サブフレーム送信情報を受信する。すなわち、受信部２０８は、現在のサブフレームにおいて端末７００向けの中継信号が無い旨を示す情報が中継信号有無検出部７０１から入力された場合（つまり、端末７００向けの中継信号が存在しないＤＬサブフレームでは）、期間Ａにおける既知信号及び次サブフレーム送信情報以外の中継信号の受信処理をすべて停止する。
【０３２９】
中継信号有無検出部７０１は、受信部２０８から入力される、前回のサブフレームで上位ＲＮから送信された次サブフレーム送信情報（通知情報）を検出して、現在のサブフレームで端末７００向けの中継信号が中継装置８００（端末７００が接続している上位ＲＮ）から送信されるか否かを判断する（中継信号の有無を検出する）。そして、中継信号有無検出部７０１は、中継信号の有無を示す情報（‘有り’又は‘無し’）を、受信部２０８及びタイミング制御部２１４に出力する。
【０３３０】
タイミング制御部２１４は、現在のサブフレームにおいて端末７００向けの中継信号が有る旨を示す情報が中継信号有無検出部７０１から入力された場合、現在のサブフレームでは、実施の形態７と同様にして、奇数／偶数切替部２１３から入力される設定情報に基づいて、第１メモリ２０３及び第２メモリ２１０に対して、中継信号の入出力タイミングを指示する。
【０３３１】
一方、タイミング制御部２１４は、現在のサブフレームにおいて端末７００向けの中継信号が無い旨を示す情報が中継信号有無検出部７０１から入力された場合、現在のサブフレームでは、期間Ａにおける既知信号、及び、期間Ｃの後のタイミングにおける次サブフレーム送信情報のみを受信し、その他のタイミングでの受信処理を停止するように、第１メモリ２０３及び第２メモリ２１０に対して指示する。例えば、タイミング制御部２１４は、期間Ａの既知信号に対応するタイミング、及び、期間Ｃの後のタイミングのみで各構成部が動作するように、各構成部のクロックをマスクする。
【０３３２】
次に、本実施の形態に係る中継装置８００（図２２）及び端末７００（図１９）における処理の詳細について説明する。
【０３３３】
以下の説明では、実施の形態８（図２０及び図２１）と同様、３つ以上のＲＮによりマルチホップ通信を行う場合について説明する。ただし、図２３及び図２４では、３つ以上のＲＮのうち、３つのＲＮ１、ＲＮ２及びＲＮ３のみを示す。また、図２３及び図２４に示すＲＮ１とＲＮ２との間では、ＲＮ１が上位ＲＮであり、ＲＮ２が下位ＲＮである。また、図２３及び図２４に示すＲＮ２とＲＮ３との間では、ＲＮ２が上位ＲＮであり、ＲＮ３が下位ＲＮである。また、図２３及び図２４では、ＲＮ１にはＭＳ１が接続され、ＲＮ２にはＭＳ２が接続されている。なお、図２３及び図２４に示すＲＮ１、ＲＮ２及びＲＮ３は図２２に示す中継装置８００の構成を備え、ＭＳ１及びＭＳ２は図１９に示す端末７００の構成を備える。
【０３３４】
また、図２３及び図２４では、送信処理を‘ＴＸ’で表し、受信処理を‘ＲＸ’で表す。
【０３３５】
また、図２３及び図２４では、実施の形態８（図２０及び図２１）と同様、中継装置間の中継データ伝送用制御情報（下位ＲＮ向けの制御情報）を‘制御情報 for RN’と表し、中継装置間の中継データ伝送用制御情報の制御ヘッダを「ＣＨ」と表し、中継装置間の中継データ（下位ＲＮ向けの中継データ）を‘データ to RN’と表す。また、図２３及び図２４では、端末向けの中継データ伝送用制御情報（端末向けの制御情報）を‘制御情報 for MS’と表し、端末向けの中継データ伝送用制御情報の制御ヘッダを「ＣＨ’」と表し、端末向け中継データを‘データ to MS’と表す。また、図２３及び図２４では、次サブフレーム送信情報を「ｉ」と表す。ただし、次サブフレーム送信情報ｉは、隣り合う中継装置同士で干渉し合わないように、例えば、中継送信間で互いに異なるリソース（時間、周波数、符号等）を用いて送信される。
【０３３６】
なお、ここでは、図２３及び図２４に示すＲＮ１（奇数ＲＮ）、及び、ＲＮ１に接続しているＭＳ１（ＲＮ１配下のＭＳ１）における制御情報通知処理に着目して説明する。
【０３３７】
まず、図２３に示すように、ＤＬサブフレーム（ｎ）においてＭＳ１向けの中継データ（データ to MS）がＲＮ１からＭＳ１に送信される場合について説明する。
【０３３８】
このとき、図２３に示すＤＬサブフレーム（ｎ）の前回サブフレームであるＤＬサブフレーム（ｎ−１）内の期間Ｃの後のタイミングでは、ＲＮ１は、次サブフレーム送信情報ｉを送信する。ＤＬサブフレーム（ｎ−１）内の次サブフレーム送信情報ｉには、ＤＬサブフレーム（ｎ）で送信されるＭＳ１向け中継信号（データ to MS）が有ること（割当データ有り）が示されている。
【０３３９】
また、図２３に示すＤＬサブフレーム（ｎ）内の期間Ａでは、ＲＮ１は、実施の形態８と同様、既知信号、ＲＮ１配下の端末（ＭＳ１）向け中継データ伝送用制御情報（制御情報 for MS）とその制御ヘッダＣＨ’、中継装置間の中継データ伝送用制御情報（制御情報for RN）とその制御ヘッダＣＨ、及び、中継装置間の中継データ（データ to RN）を送信する。また、ＤＬサブフレーム（ｎ）内の期間Ｂでは、ＲＮ１は、上位装置から、既知信号、上位装置配下の端末向け中継データ伝送用制御情報の制御ヘッダＣＨ’、中継装置間の中継データ伝送用制御情報（制御情報 for RN）とその制御ヘッダＣＨ、及び、中継装置間の中継データ（データ to RN）を受信する。また、ＤＬサブフレーム（ｎ）内の期間Ｃでは、ＲＮ１は、ＲＮ１配下の端末（ＭＳ１）向け中継データ（データ to MS）をＭＳ１へ送信する。
【０３４０】
また、図２３に示すＤＬサブフレーム（ｎ）内の期間Ｃの後のタイミングでは、ＲＮ１は、次のＤＬサブフレーム（ｎ＋１）（図示せず）におけるＲＮ１配下の端末向け中継信号の有無を示す次サブフレーム送信情報ｉを送信する。
【０３４１】
一方、ＤＬサブフレーム（ｎ−１）内の期間Ｃの後のタイミングでは、ＭＳ１（受信部２０８）は、次サブフレーム送信情報ｉを受信する。そして、ＭＳ１（中継信号有無検出部７０１）は、次サブフレーム送信情報ｉを用いて、ＤＬサブフレーム（ｎ）においてＭＳ１向けの中継データ（データ to MS）がＲＮ１から送信されると判断する。
【０３４２】
そこで、ＭＳ１は、ＤＬサブフレーム（ｎ）内の期間Ａでは、ＲＮ１配下の端末（ＭＳ１）向け中継データ伝送用制御情報（制御情報 for MS）とその制御ヘッダＣＨ’、ＲＮ１からＲＮ２へ送信された、既知信号、中継装置間の中継データ伝送用制御情報（制御情報 for RN）とその制御ヘッダＣＨ、及び、中継装置間の中継データ（データ to RN）を受信する。また、ＤＬサブフレーム（ｎ）内の期間Ｂでは、ＭＳ１は、ＲＮ２からＲＮ３へ送信された、既知信号、及び、ＲＮ２配下の端末（ＭＳ２）向け中継データ伝送用制御情報（制御情報 for MS）とその制御ヘッダＣＨ’を受信する。また、ＤＬサブフレーム（ｎ）内の期間Ｃでは、ＭＳ１は、ＲＮ１からの、ＲＮ１配下の端末（ＭＳ１）向け中継データ（データ to MS）を受信する。そして、ＭＳ１は、実施の形態８と同様にして、期間Ａ及び期間Ｂで取得した、干渉信号、干渉信号の制御情報、ＭＳ１向けの制御情報、ＲＮ１とＭＳ１との間のチャネル推定値、及び、ＲＮ２とＭＳ１との間のチャネル推定値を用いて、期間Ｃで受信した信号（ＲＮ１からの中継データ（所望信号）及びＲＮ２からの中継データ（干渉信号））から干渉信号を除去することにより、所望信号を得る。
【０３４３】
次に、図２４に示すように、ＤＬサブフレーム（ｎ）においてＭＳ１向けの中継データ（データ to MS）がＲＮ１からＭＳ１に送信されない場合について説明する。
【０３４４】
このとき、図２４に示すＤＬサブフレーム（ｎ）の前回サブフレームであるＤＬサブフレーム（ｎ−１）内の期間Ｃの後のタイミングでは、ＲＮ１は、次サブフレーム送信情報ｉを送信する。ＤＬサブフレーム（ｎ−１）内の次サブフレーム送信情報ｉには、ＤＬサブフレーム（ｎ）で送信されるＭＳ１向け中継信号（データ to MS）が無いこと（割当データ無し）が示されている。
【０３４５】
また、図２４に示すＤＬサブフレーム（ｎ）内の期間Ａでは、ＲＮ１は、既知信号、ＲＮ１配下の端末（ＭＳ１）向け中継データ伝送用制御情報（制御情報 for MS）の制御ヘッダＣＨ’、中継装置間の中継データ伝送用制御情報（制御情報for RN）とその制御ヘッダＣＨ、及び、中継装置間の中継データ（データ to RN）を送信する。つまり、図２４に示すＤＬサブフレーム（ｎ）では、ＲＮ１は、ＭＳ１向け中継データ伝送用制御情報（制御情報 for MS）及びＭＳ１向け中継データ（データ to MS）を送信しない。
【０３４６】
また、図２４に示すＤＬサブフレーム（ｎ）内の期間Ｃの後のタイミングでは、ＲＮ１は、次のＤＬサブフレーム（ｎ＋１）（図示せず）におけるＲＮ１配下の端末向け中継信号の有無を示す次サブフレーム送信情報ｉを送信する。
【０３４７】
一方、ＤＬサブフレーム（ｎ−１）内の期間Ｃの後のタイミングでは、ＭＳ１（受信部２０８）は、次サブフレーム送信情報ｉを受信する。そして、ＭＳ１（中継信号有無検出部７０１）は、次サブフレーム送信情報ｉを用いて、ＤＬサブフレーム（ｎ）においてＭＳ１向けの中継データ（データ to MS）がＲＮ１から送信されないと判断する。
【０３４８】
そこで、ＭＳ１は、図２４に示すＤＬサブフレーム（ｎ）内の期間Ａでは、ＲＮ１との同期を維持するために、ＲＮ１からの既知信号を受信する。また、ＭＳ１は、図２４に示すＤＬサブフレーム（ｎ）内の期間Ｃの後のタイミングでは、次のＤＬサブフレーム（ｎ＋１）におけるＭＳ１向けの中継信号の有無を判断するために、次サブフレーム送信情報ｉを受信する。つまり、図２４に示すＤＬサブフレーム（ｎ）では、ＭＳ１は、干渉除去処理のための受信処理を停止する。
【０３４９】
ここで、端末７００向けの中継信号が無いＤＬサブフレームについて、実施の形態８（図２１）と本実施の形態（図２４）とを比較する。実施の形態８（図２１）では、各端末は、或るＤＬサブフレームにおける自端末向けの中継信号の有無を示す通知情報を、そのＤＬサブフレーム内（制御ヘッダＣＨ’）で受信する。よって、例えば、実施の形態８（図２１）では、ＭＳ２に着目すると、ＭＳ２は、ＭＳ２向けの中継信号の有無を期間Ｂでしか判断できない。すなわち、実施の形態８（図２１）では、ＭＳ２（偶数ＲＮ配下の端末）は、ＭＳ２向けの中継信号の有無にかかわらず干渉候補となる制御情報を期間Ａで受信する必要がある。これに対して、本実施の形態（図２４）では、端末７００は、或るＤＬサブフレームにおける端末７００向けの中継信号の有無を示す通知情報（次サブフレーム送信情報）を、そのＤＬサブフレームの前のＤＬサブフレーム（前回のＤＬサブフレーム）で受信する。つまり、本実施の形態（図２４）では、全ての端末７００（図２４ではＭＳ１及びＭＳ２）は、いずれのＲＮに接続している場合でも、端末７００向けの中継信号の有無をＤＬサブフレームの開始時点で判断することができる。
【０３５０】
これにより、端末７００は、端末７００向けの中継信号が無いＤＬサブフレームでは、干渉除去のための情報（干渉候補となる中継データ、制御情報）を一切受信しなくて済むので、実施の形態８よりも無駄な処理を抑えることができる。
【０３５１】
また、端末７００は、実施の形態７及び実施の形態８と同様、期間Ａ又は期間Ｂで、端末７００が接続可能な隣接する２つの中継装置（図２０に示すＭＳ１に対するＲＮ１及びＲＮ２）から、端末７００向け制御情報及び下位ＲＮ配下の端末向け制御情報を、それぞれ干渉無く受信できるので、干渉除去（干渉キャンセラ）を精度良く行うことができる。
【０３５２】
このようにして、本実施の形態によれば、複数の中継装置間で同一周波数を用いてマルチホップ通信を行う場合でも、実施の形態１と同様、端末が接続している中継装置からの信号に対する、他の中継装置からの信号による干渉を低減させることができる。さらに、本実施の形態によれば、端末は、中継装置間の通信期間（期間Ａ及び期間Ｂ）を、端末向けの制御情報の通信に利用することで、所望信号（自端末向けの中継データ）に関する制御情報及び干渉信号（他の端末向けの中継データ）に関する制御情報を確実に得ることができる。このため、本実施の形態では、実施の形態７及び実施の形態８と同様、端末が接続している中継装置からの信号に対する他の中継装置からの信号による干渉を確実に低減させることができる。更に、本実施の形態によれば、端末は、或るサブフレームにおいて端末向けの中継データが存在しない場合（干渉除去処理が不要な場合）、そのサブフレームの開始時点から、各中継装置からの中継信号の受信処理を停止することで、実施の形態８よりも更に、干渉除去処理に関する無駄な処理を抑えることができる。
【０３５３】
以上、本発明の実施の形態について説明した。
【０３５４】
なお、上記実施の形態１〜３では、中継装置及び端末が、各ＤＬサブフレーム内の期間Ｃまでに、全ての信号の受信処理及び送信処理が完了する場合を想定して説明した。しかし、中継装置及び端末での処理内容、処理能力、又は、中継信号のデータ量等に応じて、送受信処理に要する時間が異なる。しかし、本発明では、各ＤＬサブフレーム内の期間Ａ又は期間Ｂにおいて中継装置で受信されたデータの処理が、期間Ａ及び期間Ｂよりも後の期間Ｃまでに完了せず、期間Ｃにおいて前回のＤＬサブフレームで受信された信号を送信する場合でも、上記実施の形態と同様の効果を得ることができる。
【０３５５】
また、本発明において、端末における接続先の中継装置（ＲＮ）（Ｓｅｒｖｉｎｇ  ｃｅｌｌ）の選択処理（例えば図４に示す処理）は、例えば、図２５に示すように、ＤＬサブフレーム（図２５に示す‘ＤＬ’）とＵＬサブフレーム（図２５に示す‘ＵＬ’）との間に、周期的に設けられた接続先ＲＮ選択処理のための期間（図２５に示す‘ＲＮ選択’）で行われてもよい。または、端末における接続先ＲＮの選択処理は、上述した、ダウンリンク及びアップリンクでのＲＮ間の通信及びＲＮと端末との間の通信と並行して行われてもよい。この場合、図４に示す端末における接続先ＲＮの選択処理（手順１〜手順４）のうち、手順１及び手順２は、図５に示すＤＬサブフレーム内の期間Ａ及び期間Ｂで行われる。すなわち、図４に示す手順１及び手順２では、ＲＮ（上位ＲＮ及び下位ＲＮ）間で通信される中継信号に含まれる既知信号を用いる。また、図４に示す端末における接続先ＲＮの選択処理のうち、手順３は、図１４に示すＵＬサブフレーム内の期間Ａ’で行われる。また、図４に示す端末における接続先ＲＮの選択処理のうち、手順４は、手順１及び手順２が行われたＤＬサブフレームの次のＤＬサブフレーム内の期間Ａ又は期間Ｂで行われる。
【０３５６】
また、上記実施の形態では、本発明をハードウェアで構成する場合を例にとって説明したが、本発明はソフトウェアで実現することも可能である。
【０３５７】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０３５８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０３５９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０３６０】
２０１０年１月２９日出願の特願２０１０−０１９０５８および２０１０年４月２６日出願の特願２０１０−１００８７０の日本出願に含まれる明細書、図面および要約書の開示内容は、すべて本願に援用される。
【産業上の利用可能性】
【０３６１】
本発明は、移動体通信システム等に適用することができる。
【符号の説明】
【０３６２】
１００，３００，５００，８００  中継装置
２００，４００，６００，７００  端末
１０１，２０１  アンテナ
１０２，２０２  受信ＲＦ部
１０３，２０３  第１メモリ
１０４，２０７  受信処理部
１０５，２１０  第２メモリ
１０６，２１１，３０２  送信処理部
１０７，２１２  送信ＲＦ部
１０８，２１３  奇数／偶数切替部
１０９，２１４，３０３，４０２，５０１，６０１  タイミング制御部
２０４  既知信号検出部
２０５  信号強度測定部
２０６  選択部
２０８，６０２  受信部
２０９，６０３  干渉除去部
３０１  スケジューリング部
４０１  ポインタ生成部
７０１  中継信号有無検出部
８０１  次サブフレーム送信情報生成部
【図１】
0005450660.tif 000002
【図２】
0005450660.tif 000003
【図３】
0005450660.tif 000004
【図４】
0005450660.tif 000005
【図５】
0005450660.tif 000006
【図６】
0005450660.tif 000007
【図７】
0005450660.tif 000008
【図８】
0005450660.tif 000009
【図９】
0005450660.tif 000010
【図１０】
0005450660.tif 000011
【図１１】
0005450660.tif 000012
【図１２】
0005450660.tif 000013
【図１３】
0005450660.tif 000014
【図１４】
0005450660.tif 000015
【図１５】
0005450660.tif 000016
【図１６】
0005450660.tif 000017
【図１７】
0005450660.tif 000018
【図１８】
0005450660.tif 000019
【図１９】
0005450660.tif 000020
【図２０】
0005450660.tif 000021
【図２１】
0005450660.tif 000022
【図２２】
0005450660.tif 000023
【図２３】
0005450660.tif 000024
【図２４】
0005450660.tif 000025
【図２５】
0005450660.tif 000026